(57)【要約】【課題】  リアルタイムで動画データを記録しＷｅｂページ参照希望時に該動画データを参照させる。【解決手段】    動画データを記録する際、管理サーバＡ２では記録する動画データに対応付けて動画ＩＤ情報を自動生成可能に、且つ動画データに対応付けた動画Ｗｅｂページを自動生成可能に構成する。  動画データが送信されると、管理サーバＡ２では動画ＩＤ情報に対応させて動画記録装置Ａ２１ａへ記録する。次いで管理サーバＡ２では動画データに対応付けて動画Ｗｅｂページを自動生成する。  また、管理サーバＡ２は動画データと合成する広告動画データを記録可能に構成する。  そして、参照希望端末Ａ３が動画Ｗｅｂページの参照を希望すると、該ページに対応付けて記録されている動画ＩＤ情報から動画データを特定し、該動画データを動画合成装置Ａ２２ｇが合成可能に構成し、参照希望端末Ａ３に動画データに広告データを合成した合成動画データを閲覧させる。【選択図】  図２
2006237682.tif 000002
【特許請求の範囲】
【請求項１】
クライアント端末および管理サーバが、インターネットを介して相互に通信可能に接続されるシステムにおいて、
クライアント端末は、管理サーバに対して該端末が送信する動画データを記録するよう要求する動画記録要求情報を送信可能な動画記録要求手段を備え、記録させる動画データを特定可能な動画ＩＤ情報を管理サーバから受領可能な動画ＩＤ受領手段を備え、動画ＩＤ情報を受領すると動画ＩＤ情報に対応させて管理サーバに記録させる動画データを送信可能であると共に動画送信が終了すると動画送信終了信号を送信可能な動画データ送信手段を備え、
管理サーバは、クライアント端末から動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末の動画データ送信手段から受領する動画データを動画送信終了信号を受領するまで受領すると共に動画ＩＤ情報と対応付けて記録可能な動画記録手段を備え、
クライアント端末が動画記録要求手段によって動画記録要求情報を管理サーバへ送信し、管理サーバが動画記録要求受領手段によって動画記録要求情報を受領するのを受け動画ＩＤ生成手段によって動画ＩＤ情報を自動生成すると共に動画ＩＤ送信手段によって生成した動画ＩＤ情報をクライアント端末へ送信し、クライアント端末が動画ＩＤ受領手段によって動画ＩＤ情報を受領すると動画データ送信手段によって動画データを送信し、且つ、動画送信を終了すると動画送信終了信号を管理サーバへ送信し、管理サーバでは送信された動画データを動画送信終了信号を受領するまで記録すると共に記録した動画データを動画ＩＤ情報に対応させて記録することを特徴とする動画データ記録システム。
【請求項２】
クライアント端末および管理サーバが、インターネットを介して相互に通信可能に接続されるシステムにおいて、
クライアント端末は、管理サーバに対して該端末が送信する動画データを記録するよう要求する動画記録要求情報を送信可能な動画記録要求手段を備え、記録させる動画データを特定可能な動画ＩＤ情報を管理サーバから受領可能な動画ＩＤ受領手段を備え、動画ＩＤ情報を受領すると動画ＩＤ情報に対応させて管理サーバに記録させる動画データを送信可能であると共に動画送信が終了すると動画送信終了信号を送信可能な動画データ送信手段を備え、
管理サーバは、クライアント端末から動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末の動画データ送信手段から受領する動画データを動画送信終了信号を受領するまで受領すると共に動画ＩＤ情報と対応付けて記録可能な動画記録手段を備え、生成した動画ＩＤ情報を関連付けたＷｅｂページを自動生成するＷｅｂページ生成手段を備え、生成したＷｅｂページを記録するＷｅｂページ記録手段を備え、Ｗｅｂページ記録手段に記録されたＷｅｂページの参照要求に対して該Ｗｅｂページに関連付けて記憶された動画ＩＤ情報によって動画データを特定し参照要求した端末へ送信するＷｅｂ動画送信手段を備え、
クライアント端末が動画記録要求手段によって動画記録要求情報を管理サーバへ送信し、管理サーバが動画記録要求受領手段によって動画記録要求情報を受領するのを受け動画ＩＤ生成手段によって動画ＩＤ情報を自動生成すると共に動画ＩＤ送信手段によって生成した動画ＩＤ情報をクライアント端末へ送信し、クライアント端末が動画ＩＤ受領手段によって動画ＩＤ情報を受領すると動画データ送信手段によって動画データを送信し、且つ、動画送信を終了すると動画送信終了信号を管理サーバへ送信し、管理サーバでは送信された動画データを動画送信終了信号を受領するまで記録すると共に記録した動画データを動画ＩＤ情報に対応させて記録し、Ｗｅｂページ生成手段が該動画ＩＤ情報を関連付けたＷｅｂページを自動生成する共に、Ｗｅｂページ記録手段が自動生成したＷｅｂページを記録し、管理サーバに対しＷｅｂページ記録手段に記録されたＷｅｂページの参照要求が有った場合には、Ｗｅｂ動画送信手段が該Ｗｅｂページに関連付けて記憶された動画ＩＤ情報によって動画データを特定し参照要求した端末へ送信することを特徴とする動画データ記録システム。
【請求項３】
管理サーバは、
クライアント端末から動画記録要求情報を受領可能である動画記録要求受領手段、動画記録要求情報を受領することで動画ＩＤ情報を自動生成する動画ＩＤ生成手段、動画ＩＤ情報をクライアント端末およびＷｅｂページ保管サーバへ送信可能である動画ＩＤ送信手段、クライアント端末の動画データ送信手段から受領する動画データを動画送信終了信号を受領するまで受領すると共に動画ＩＤ情報と対応付けて記録可能な動画記録手段とを備える動画保管サーバと、
動画保管サーバから生成した動画ＩＤ情報を受領すると共に該動画ＩＤ情報に対応付けたＷｅｂページを自動生成するＷｅｂページ生成手段、生成したＷｅｂページを記録するＷｅｂページ記録手段、Ｗｅｂページ記録手段に記録されたＷｅｂページの参照要求に対して該Ｗｅｂページに関連付けて記憶された動画ＩＤ情報によって動画データを特定し参照要求した端末へ送信するＷｅｂ動画送信手段とを備えるＷｅｂページ保管サーバと、からなることを特徴とする請求項２記載の動画データ記録システム。
【請求項４】
動画保管サーバおよびＷｅｂページ保管サーバは、通信手段によって相互に通信可能に接続されることを特徴とする請求項３に記載の動画データ記録システム。
【請求項５】
クライアント端末とインターネットを介して相互に通信可能に接続され、クライアント端末から送信される動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末から送信される動画データを動画送信終了信号を受信するまで受領すると共に動画ＩＤ情報と対応付けて記録可能な動画記録手段を備え、
動画記録要求受領手段がクライアント端末から動画記録要求情報を受領すると、動画ＩＤ生成手段によって動画ＩＤ情報を自動生成すると共に動画ＩＤ送信手段によって生成した動画ＩＤ情報をクライアント端末へ送信し、クライアント端末から送信される動画データを動画送信終了信号を受領するまで記録すると共に記録した動画データを動画ＩＤ情報に対応させて記録することを特徴とする動画データ記録可能な管理サーバ。
【請求項６】
クライアント端末とインターネットを介して相互に通信可能に接続され、クライアント端末から送信される動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末から送信される動画データを動画送信終了信号を受信するまで受領すると共に動画ＩＤ情報と対応付けて記録可能な動画記録手段を備え、生成した動画ＩＤ情報を関連付けたＷｅｂページを自動生成するＷｅｂページ生成手段を備え、生成したＷｅｂページを記録するＷｅｂページ記録手段を備え、Ｗｅｂページ記録手段に記録されたＷｅｂページの参照要求に対して該Ｗｅｂページに関連付けて記憶された動画ＩＤ情報によって動画データを特定し参照要求した端末へ送信するＷｅｂ動画送信手段を備え、
動画記録要求受領手段がクライアント端末から動画記録要求情報を受領すると、動画ＩＤ生成手段によって動画ＩＤ情報を自動生成すると共に動画ＩＤ送信手段によって生成した動画ＩＤ情報をクライアント端末へ送信し、クライアント端末から送信される動画データを動画送信終了信号を受領するまで記録すると共に記録した動画データを動画ＩＤ情報に対応させて記録し、Ｗｅｂページ生成手段が該動画ＩＤ情報を関連付けたＷｅｂページを自動生成する共に、Ｗｅｂページ記録手段が自動生成したＷｅｂページを記録し、管理サーバに対しＷｅｂページ記録手段に記録されたＷｅｂページの参照要求が有った場合には、Ｗｅｂ動画送信手段が該Ｗｅｂページに関連付けて記憶された動画ＩＤ情報によって動画データを特定し参照要求した端末へ送信することを特徴とする動画データ記録可能な管理サーバ。
【請求項７】
管理サーバは、
クライアント端末から動画記録要求情報を受領可能である動画記録要求受領手段、動画記録要求情報を受領することで動画ＩＤ情報を自動生成する動画ＩＤ生成手段、動画ＩＤ情報をクライアント端末へ送信可能である動画ＩＤ送信手段、クライアント端末の動画データ送信手段から受領する動画データを動画送信終了信号を受領するまで受領すると共に動画ＩＤ情報と対応付けて記録可能な動画記録手段とを備える動画保管サーバと、
生成した動画ＩＤ情報を関連付けたＷｅｂページを自動生成するＷｅｂページ生成手段、生成したＷｅｂページを記録するＷｅｂページ記録手段、Ｗｅｂページ記録手段に記録されたＷｅｂページの参照要求に対して該Ｗｅｂページに関連付けて記憶された動画ＩＤ情報によって動画データを特定し参照要求した端末へ送信するＷｅｂ動画送信手段とを備えるＷｅｂページ保管サーバと、からなることを特徴とする請求項６記載の動画データ記録可能な管理サーバ。
【請求項８】
動画保管サーバおよびＷｅｂページ保管サーバは、通信手段によって相互に通信可能に接続されることを特徴とする請求項７に記載の動画データ記録システム。
【請求項９】
クライアント端末および管理サーバが、インターネットを介して相互に通信可能に接続されるシステムにおいて、
クライアント端末は、管理サーバに対して該端末が送信する動画データを記録するよう要求する動画記録要求情報を送信可能な動画記録要求手段を備え、記録させる動画データを特定可能な動画ＩＤ情報を管理サーバから受領可能な動画ＩＤ受領手段を備え、動画ＩＤ情報を受領すると動画ＩＤ情報に対応させて管理サーバに記録させる動画データを送信可能であると共に動画送信が終了すると動画送信終了信号を送信可能な動画データ送信手段を備え、既に管理サーバによって記録されている動画を特定する動画ＩＤ情報を受領すると共に
管理サーバは、クライアント端末から動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末の動画データ送信手段から受領する動画データを動画送信終了信号を受領するまで受領すると共に動画ＩＤ情報と対応付けて記録可能な動画記録手段を備え、生成した動画ＩＤ情報を関連付けたＷｅｂページを自動生成するＷｅｂページ生成手段を備え、生成したＷｅｂページを記録するＷｅｂページ記録手段を備え、予め広告動画データを記録された広告動画記録手段を備え、Ｗｅｂページ記録手段に記録されたＷｅｂページの参照要求に対して該Ｗｅｂページに関連付けて記憶された動画ＩＤ情報によって動画データを特定する動画データ特定手段を備え、動画データ特定手段が特定した動画データを動画記録手段から受領すると共に広告動画記録手段から広告動画データを受領し動画データと広告動画データとを合成して新たな合成動画を生成し該合成動画を参照要求した端末へ送信するＷｅｂ動画送信手段を備え、
クライアント端末が動画記録要求手段によって動画記録要求情報を管理サーバへ送信し、管理サーバが動画記録要求受領手段によって動画記録要求情報を受領するのを受け動画ＩＤ生成手段によって動画ＩＤ情報を自動生成すると共に動画ＩＤ送信手段によって生成した動画ＩＤ情報をクライアント端末へ送信し、クライアント端末が動画ＩＤ受領手段によって動画ＩＤ情報を受領すると動画データ送信手段によって動画データを送信し、且つ、動画送信を終了すると動画送信終了信号を管理サーバへ送信し、管理サーバでは送信された動画データを動画送信終了信号を受領するまで記録すると共に記録した動画データを動画ＩＤ情報に対応させて記録し、Ｗｅｂページ生成手段が該動画ＩＤ情報を関連付けたＷｅｂページを自動生成すると共に、Ｗｅｂページ記録手段が自動生成したＷｅｂページを記録し、管理サーバに対しＷｅｂページ記録手段に記録されたＷｅｂページの参照要求が有った場合には、Ｗｅｂ動画送信手段が該Ｗｅｂページに関連付けて記憶された動画ＩＤ情報によって動画データを特定し該動画データと広告動画データとを合成して参照要求した端末へ送信することを特徴とする動画データ記録システム。
【請求項１０】
クライアント端末とインターネットを介して相互に通信可能に接続され、動画データを動画ＩＤ情報と対応付けて記録可能な動画記録手段を備え、該動画ＩＤ情報と関連付けたＷｅｂページを自動生成するＷｅｂページ生成手段を備え、生成したＷｅｂページを記録するＷｅｂページ記録手段を備え、予め広告動画データを記録された広告動画記録手段を備え、Ｗｅｂページ記録手段に記録されたＷｅｂページの参照要求に対して該Ｗｅｂページに関連付けて記憶された動画ＩＤ情報によって動画データを特定する動画データ特定手段を備え、動画データ特定手段が特定した動画データを動画記録手段から受領すると共に広告動画記録手段から広告動画データを受領し動画データと広告動画データとを合成して新たな合成動画を生成し該合成動画を参照要求した端末へ送信するＷｅｂ動画送信手段を備え、
クライアント端末から送信される動画データを動画ＩＤ情報に対応させて記録し、Ｗｅｂページ生成手段が該動画ＩＤ情報を関連付けたＷｅｂページを自動生成すると共に、Ｗｅｂページ記録手段が自動生成したＷｅｂページを記録し、管理サーバに対しＷｅｂページ記録手段に記録されたＷｅｂページの参照要求が有った場合には、
Ｗｅｂ動画送信手段が該Ｗｅｂページに関連付けて記憶された動画ＩＤ情報によって動画データを特定し該動画データと広告動画データとを合成して参照要求した端末へ送信することを特徴とする動画データ記録可能な管理サーバ。
【請求項１１】
クライアント端末とインターネットを介して相互に通信可能に接続され、クライアント端末から送信される動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末から送信される動画データを動画送信終了信号を受信するまで受領すると共に動画ＩＤ情報と対応付けて記録可能な動画記録手段を備え、生成した動画ＩＤ情報を関連付けたＷｅｂページを自動生成するＷｅｂページ生成手段を備え、生成したＷｅｂページを記録するＷｅｂページ記録手段を備え、予め広告動画データを記録された広告動画記録手段を備え、Ｗｅｂページ記録手段に記録されたＷｅｂページの参照要求に対して該Ｗｅｂページに関連付けて記憶された動画ＩＤ情報によって動画データを特定する動画データ特定手段を備え、動画特定手段が特定した動画データを動画記録手段から受領すると共に広告動画記録手段から広告動画データを受領し動画データと広告動画データとを合成して新たな合成動画を生成し該合成動画を参照要求した端末へ送信するＷｅｂ動画送信手段を備え、
動画記録要求受領手段がクライアント端末から動画記録要求情報を受領すると、動画ＩＤ生成手段によって動画ＩＤ情報を自動生成すると共に動画ＩＤ送信手段によって生成した動画ＩＤ情報をクライアント端末へ送信し、クライアント端末から送信される動画データを動画送信終了信号を受領するまで記録すると共に記録した動画データを動画ＩＤ情報に対応させて記録し、Ｗｅｂページ生成手段が該動画ＩＤ情報を関連付けたＷｅｂページを自動生成すると共に、Ｗｅｂページ記録手段が自動生成したＷｅｂページを記録し、管理サーバに対しＷｅｂページ記録手段に記録されたＷｅｂページの参照要求が有った場合には、Ｗｅｂ動画送信手段が該Ｗｅｂページに関連付けて記憶された動画ＩＤ情報によって動画データを特定し該動画データと広告動画データとを合成して参照要求した端末へ送信することを特徴とする動画データ記録可能な管理サーバ。
【請求項１２】
動画記録要求情報を受領する動画記録要求受領ステップと、動画記録要求情報を受領することで動画ＩＤ情報を自動生成する動画ＩＤ生成ステップと、生成した動画ＩＤ情報を送信する動画ＩＤ送信ステップと、動画データを受領すると動画送信終了信号を受信するまで動画ＩＤ情報と対応付けて記録させる動画記録ステップとを備え、
動画記録要求受領ステップが動画記録要求情報を受領すると、動画ＩＤ生成ステップによって動画ＩＤ情報を自動生成すると共に動画ＩＤ送信ステップによって生成した動画ＩＤ情報を送信し、動画データを受領すると動画記録ステップが該動画データを動画送信終了信号受領まで記録させると共に記録させた動画データを動画ＩＤ情報に対応させて記録させることを特徴とする動画データ記録プログラム。
【請求項１３】
動画記録要求情報を受領する動画記録要求受領ステップと、動画記録要求情報を受領することで動画ＩＤ情報を自動生成する動画ＩＤ生成ステップと、生成した動画ＩＤ情報を送信する動画ＩＤ送信ステップと、動画データを受領すると動画送信終了信号を受信するまで動画ＩＤ情報と対応付けて記録させる動画記録ステップと、生成した動画ＩＤ情報を関連付けたＷｅｂページを自動生成するＷｅｂページ生成ステップと、生成したＷｅｂページを記録させるＷｅｂページ記録ステップと、Ｗｅｂページ記録ステップによって記録させたＷｅｂページの参照要求に対して該Ｗｅｂページに関連付けて記憶された動画ＩＤ情報によって動画データを特定し送信するＷｅｂ動画送信ステップとを備え、
動画記録要求受領ステップが動画記録要求情報を受領すると、動画ＩＤ生成ステップによって動画ＩＤ情報を自動生成すると共に動画ＩＤ送信ステップによって生成した動画ＩＤ情報を送信させ、動画データを受領すると動画記録ステップが該動画データを動画送信終了信号受領まで記録させると共に記録させた動画データを動画ＩＤ情報に対応させて記録させ、Ｗｅｂページ生成ステップが該動画ＩＤ情報を関連付けたＷｅｂページを自動生成すると共に、Ｗｅｂページ記録ステップが自動生成したＷｅｂページを記録させ、Ｗｅｂページ記録ステップに記録されたＷｅｂページの参照要求が有った場合には、Ｗｅｂ動画送信ステップが該Ｗｅｂページに関連付けて記憶された動画ＩＤ情報によって動画データを特定し送信させることを特徴とする動画データ記録プログラム。
【請求項１４】
動画データを動画ＩＤ情報と対応付けて記録可能な動画記録ステップと、生成した動画ＩＤ情報を関連付けたＷｅｂページを自動生成するＷｅｂページ生成ステップと、生成したＷｅｂページを記録するＷｅｂページ記録ステップと、予め広告動画データを記録させる広告動画記録ステップと、Ｗｅｂページ記録ステップに記録されたＷｅｂページの参照要求に対して該Ｗｅｂページに関連付けて記憶された動画ＩＤ情報によって動画データを特定する動画データ特定ステップと、動画データ特定ステップが特定した動画データを受領すると共に広告動画データを受領し動画データと広告動画データとを合成して新たな合成動画を生成させ該合成動画を参照要求した端末へ送信させるＷｅｂ動画送信ステップとを備え、
動画記録要求受領ステップがクライアント端末から動画記録要求情報を受領すると、動画ＩＤ生成ステップによって動画ＩＤ情報を自動生成すると共に動画ＩＤ送信ステップによって生成した動画ＩＤ情報をクライアント端末へ送信し、クライアント端末から送信される動画データを動画送信終了信号を受領するまで記録させると共に記録させた動画データを動画ＩＤ情報に対応させて記録させ、Ｗｅｂページ生成ステップが該動画ＩＤ情報を関連付けたＷｅｂページを自動生成する共にＷｅｂページ記録ステップが自動生成したＷｅｂページを記録させ、管理サーバに対しＷｅｂページ記録ステップが記録させたＷｅｂページの参照要求が有った場合には、Ｗｅｂ動画送信ステップが該Ｗｅｂページに関連付けて記憶された動画ＩＤ情報によって動画データを特定して該動画データと広告動画データとを合成させて参照要求した端末へ送信させることを特徴とする動画データ記録プログラム。
【発明の詳細な説明】
【技術分野】
【０００１】
この発明は、インターネット等のネットワークを用いて動画の配信を行う動画配信システムに係り、詳細には、クライアントが撮影した動画を記録し、ユーザーの要求によって記録した動画をユーザーに配信可能な動画配信システムに関する。
【背景技術】
【０００２】
インターネットによる通信が発達するに従って、特定の知識あるいは技術を要していたインターネットに於ける個人のホームページ開設やインターネットによる通信販売の出店等は比較的容易にできるようになり、個人等一般に広く利用されるようになった。
また、インターネットにおける通信技術あるいは通信網の整備等によってＡＤＳＬ方式による通信や専用線を用いた光通信というような高速な通信が可能になってきた現在では、通信データ量の大きな動画の配信が比較的手軽に行えるようになった。
【０００３】
これに伴い、映画配給やドラマの配給などが可能となったため、これらを取り扱う企業等では、映画やドラマのような動画を商品として配信するサービスも可能となった。このような配信サービスでは、予め会員を募集し、予めユーザーＩＤや暗証番号等によって会員となったユーザのみを配信対象である動画を記録した配信サーバへ接続可能にする会員制の配信サービスと、何れのユーザーでも動画を配信可能な配信サーバへ接続可能であり接続時にクレジットカード等によって視聴料金を徴収する配信サービスとがある。勿論後者である何れのユーザでも接続可能な配信サーバのシステムでは、特に視聴料金を徴収しないフリーな配信システムとして映画の予告編等のサンプル動画を配信するものもある。
【０００４】
かかる従来の動画配信では、会員を募集して会員にのみ動画を配信する場合には、配信対象者である会員が特定されるので、動画提供サイト独自のコーデックおよび再生ソフトウェアを会員に配布することができるので、再生ソフトウェアやコーデックにおいてＩＤやパスワード等によって会員の認証が可能である。従って会員を募って利用者を特定できる場合には、汎用性を考慮しないでエンコーダやデコーダ等のソフトウェアあるいはコーデックを用いることができる。即ち、録画されている動画を単一の手法によって圧縮し、動画を識別可能にサーバ上にアップロードして、動画配信を希望する視聴者が該ホームページへ接続して所望の動画を選択することで、該動画を該視聴者へ配信している。そして視聴者側では、予めサーバ側である動画配信業者から配布された動画再生ソフトによって再生可能となる。
【０００５】
これに対し、動画を配信するサイトへアクセスした視聴者であるユーザーが自由に動画を視聴可能とする場合には、コーデックおよび再生ソフトウェアは汎用性のあるものを用いることとなる。
そして、一般には、多くのユーザーが利用しているオペレーションシステムであるＷｉｎｄｏｗｓ（登録商標、以下、単にＯＳという。）において利用可能であり、ＯＳと共に供給されるＷｉｎｄｏｗｓＭｅｄｉａＰｌａｙｅｒ（登録商標、以下、単にＷＭＰという。）や無償でダウンロード可能なＦｌａｓｈＰｌａｙｅｒ（登録商標、以下、単にＦＰという。）等の動画表示用ソフトウェアによって動画を再生表示させていた。
【０００６】
一方、インターネット通信販売の出店ページや個人等のホームページにおいても商品の情報や他者に知らせたい情報等を画像によって個人等の各Ｗｅｂサーバから配信できるようになった。
また、インターネットが動画を送受信するとともに再生可能なデータ通信速度を提供しているので、一般のユーザーでも、動画を撮影できる環境および動画をアップロードするためのエンコーダ等があれば、動画を自身のホームページにおいて提供することが可能である。
【０００７】
以下に、これら動画を配信するためにサーバにおける動画配信の形態を説明する。
図１２は、動画を配信可能なサーバの構成を表し、１００は動画配信サーバであり、１０１は動画配信サーバ１００に記録して配信可能とする動画の撮像・編集・画像圧縮等を行う動画撮像編集端末１０１であり、これら動画配信サーバ１００および動画撮像編集端末１０１が動画を供給するＷｅｂページをインターネット上に開示している。
動画撮像編集端末１０１は、動画をＭＰＥＧ２等の一般に用いられている画像として録画するための動画入力手段である動画カメラ１０２を備えている。また、動画撮像編集端末１０１は、パーソナルコンピュータから構成され、演算処理手段であるＣＰＵ、入力手段であるキーボードおよびマウス、表示手段であるディスプレイ、記録手段であるハードディスク等の各手段を備え、動画カメラ１０２によって撮像する画像をハードディスクへ記録可能である。そして、動画撮像編集端末１０１は、ＬＡＮによって動画配信サーバ１００とデータ転送可能に接続される。尚、動画カメラ１０２からなる動画入力手段は、既にアナログビデオテープ等に記録されている動画を入力可能なビデオボードであってもよく、デジタルＶＴＲを入力可能なインターフェースボードであってもよく、予め撮像されている動画の画像を動画撮像編集端末１０１に入力可能であればよく、動画撮像編集端末１０１がリアルタイムで動画を撮像しなくともよい。
【０００８】
そして、動画撮像編集端末１０１は、動画の撮像および編集が可能なソフトウェアを予めインストールされており、動画カメラ１０２に動画を撮像させる。撮像された動画はファイル名を付与されて記録手段であるハードディスクへ一端記録される。
そして、ハードディスク等の記録手段へ記録された動画は、インターネットを介して容易に配信できるように圧縮処理がなされる。該圧縮処理は、動画撮像編集端末１０１に予めインストールされているエンコードソフトウェアによって符号化および圧縮が行われる。この時行われる符号化および圧縮は予めインターネットを経由して動画配信サーバ１００から動画を配信するユーザ端末１０３の持つ動画再生ソフトウェアに合わせて作成する。動画配信サーバ１００が個人や商店等一般のＷｅｂサイトであれば、配信を希望するユーザ端末１０３に用意されている一般的なウィンドウズメディアプレイヤー（ＷＭＰ）やフラッシュプレーヤー（ＦＰ）によって再生可能に作成すればよい。
【０００９】
上記のようにオーサリング作業が終了した動画は、動画撮像編集端末１０１から動画配信サーバ１００へ送信され、該動画を動画配信サーバ１００にインターネットを経由してアクセスしてくるユーザ端末１０３が識別可能にタイトル等を付加し動画像と対応付けて記録する。
【発明の開示】
【発明が解決しようとする課題】
【００１０】
上記従来例によれば、個人で運営しているＷｅｂサイトでも、動画を配信することが可能となるが、上記のように動画を作成するに当っては、動画撮像編集端末１０１には撮影するためのビデオカメラ、ビデオカメラで撮影した映像を取込んで編集するためのオーサリング機材、および、これらを動作させるためのオーサリングソフトウェアが必要であるが、これらの機器およびソフトウェアは高価であり、個人のＷｅｂサイトを運営する上では大きな負担となるという問題点を有した。
【００１１】
また、配信する動画を作成するに当り、例えば最も一般的と思われるデジタルビデオカメラで撮影した動画を動画配信サーバ１００に配信可能な動画として記録するには、
１．デジタルビデオカメラによる撮影を行う。
２．１．で撮影した動画を動画撮像編集端末１０１へ取込む。
３．２．で取込んだ動画をエンコーダによってエンコードする。
４．３．でエンコードされた動画を動画配信サーバ１００へ記録する。
という手順で行うが、デジタルビデオカメラによる撮影はともかくとして、撮影した動画のデータを動画撮像編集端末１０１へ取込むためには、少なくとも撮像されている動画の長さと同じ時間を要し、該取込んだ動画をエンコードするに当っても、やはり同様に長時間を要し、更に、エンコードされた該動画を動画配信サーバ１００へ記録するにもやはり時間を要するので、撮影から動画配信サーバ１００への記録までに動画の映像時間に比して多大な時間を要するという問題点を有した。
【００１２】
更には、動画を閲覧するユーザの閲覧環境が特定できないので、動画をエンコードする際にも、ユーザが持っているであろうデコードデータである例えばＤｖｉＸ形式やＸｖｉＤ形式等複数の動画形式に対応させてエンコードする必要があり、更に例えばＤｖｉＸ形式であっても該形式のバージョン毎にデコードデータが異なるので、更に複数のエンコードデータが必要となるので、１つの動画を複数の動画形式にエンコードする時間および記録する容量が必要となってしまうという問題点を有した。
【００１３】
そして、個人がホームページを開設するのに一般的に行われている、例えばインターネットプロバイダが提供するＷｅｂサーバの領域を借りて開設している場合などには、該Ｗｅｂサーバの利用可能な記録領域が少ないので、複数のエンコードデータをＷｅｂサーバへ記録しておくことができないので、閲覧者に対する制限が多くなってしまうという問題点を有した。
そしてこれら問題点に起因して、一般のユーザがインターネットを経由して動画の配信を手軽に行うことができないという問題があった。
【００１４】
また、Ｗｅｂサーバを提供して会員にホームページを開設させるインターネットプロバイダでは、Ｗｅｂサーバの運営にかかる費用は会員のプロバイダ契約料金に含まれているため、ホームページを開設するユーザは、Ｗｅｂサーバを利用料が含まれた料金を支払うこととなるので、インターネットにおけるホームページの開設の妨げとなる問題点を有した。この利用料を低減させるために、従来は開設されるホームページや各Ｗｅｂページに広告を掲載して広告料として利用料を低減させるものがあったが、Ｗｅｂページから動画を閲覧する際に動画に自動的に、且つ、簡便に広告を載せて配信するものは無かった。
【００１５】
そこでこの発明は、上記問題点に鑑み、動画の配信を希望するホームページの開設者がインターネット接続環境およびインターネットを利用してリアルタイムに画像を送信可能なＷｅｂカメラを用いて動画を録画再生可能とし、更に、閲覧させる動画に広告を自動的に且つ簡便に載せて配信可能とすることを課題とする。
【課題を解決するための手段】
【００１６】
この発明は、上記課題を解決するために、
【００１７】
クライアント端末および管理サーバが、インターネットを介して相互に通信可能に接続されるシステムにおいて、
クライアント端末は、管理サーバに対して該端末が送信する動画データを記録するよう要求する動画記録要求情報を送信可能な動画記録要求手段を備え、記録させる動画データを特定可能な動画ＩＤ情報を管理サーバから受領可能な動画ＩＤ受領手段を備え、動画ＩＤ情報を受領すると動画ＩＤ情報に対応させて管理サーバに記録させる動画データを送信可能であると共に動画送信が終了すると動画送信終了信号を送信可能な動画データ送信手段を備え、
管理サーバは、クライアント端末から動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末の動画データ送信手段から受領する動画データを動画送信終了信号を受領するまで受領すると共に動画ＩＤ情報と対応付けて記録可能な動画記録手段を備え、
クライアント端末が動画記録要求手段によって動画記録要求情報を管理サーバへ送信し、管理サーバが動画記録要求受領手段によって動画記録要求情報を受領するのを受け動画ＩＤ生成手段によって動画ＩＤ情報を自動生成すると共に動画ＩＤ送信手段によって生成した動画ＩＤ情報をクライアント端末へ送信し、クライアント端末が動画ＩＤ受領手段によって動画ＩＤ情報を受領すると動画データ送信手段によって動画データを送信し、且つ、動画送信を終了すると動画送信終了信号を管理サーバへ送信し、管理サーバでは送信された動画データを動画送信終了信号を受領するまで記録すると共に記録した動画データを動画ＩＤ情報に対応させて記録することを特徴とする動画データ記録システム、
【００１８】
を提供する。このシステムでは、インターネットを介して管理サーバと通信可能なクライアント端末は、管理サーバへ動画を記録する場合には、動画記録要求手段によって動画を記録するように要求する。
すると、管理サーバでは、クライアント端末の動画要求手段によって送信される動画記録要求情報を動画記録要求受領手段が受領すると、これから録画する動画を特定するためのＩＤ情報を動画ＩＤ生成手段が生成し、生成された該動画ＩＤ情報を動画ＩＤ送信手段がクライアント端末へ送信する。
クライアント端末では、送信される動画ＩＤ情報を動画ＩＤ情報受領手段が受信し、送信した動画記録要求情報に対して動画ＩＤが付与されたので、動画データ送信手段では動画ＩＤ情報に対応させて記録させる動画を送信する。この時、動画データ送信手段は、予めこれから動画を送信するという動画送信開始信号を送信してから次いで動画データの送信を始めても良く、管理サーバでは動画送信開始信号を受信することで次いで配信されてくる動画データを受領開始可能な状態としておくことができる。このようにすることで、複数のクライアント端末からの動画データ送信に対応させることができる。そして、クライアント端末が動画データの送信を終了すると、動画データ送信手段では動画データの送信が終了したことを動画送信終了信号の送信をもって管理サーバへ通知する。
【００１９】
管理サーバでは、動画データを受領すると、該動画データを動画送信終了信号を受領するまで動画ＩＤ情報に対応させて動画記録手段へ順次記録してゆく。やがて動画データに続いて動画送信終了信号を受領すると、動画記録手段では動画の記録を終了する。
このように、管理サーバでは、クライアント端末の指示により動画ＩＤ情報に対応させて動画データを記録するので、クライアント端末では所望の動画データを管理サーバへ記録させ、しかも該動画データは動画ＩＤ情報によって特定できるので、クライアント端末側から管理サーバで記録されている動画ＩＤ情報を指定することで、動画データの記録が終了して直ちに、管理サーバに対して動画ＩＤ情報を指示することだけで自動的にしかも直ちに動画の閲覧ができる。
また、この発明では、上記動画ＩＤ情報に対応させてＷｅｂページアドレスを自動生成し、該Ｗｅｂページアドレスにアクセスすることによって動画ＩＤ情報を特定できて直ちに記録した動画の閲覧ができるシステムとして、
【００２０】
クライアント端末および管理サーバが、インターネットを介して相互に通信可能に接続されるシステムにおいて、
クライアント端末は、管理サーバに対して該端末が送信する動画データを記録するよう要求する動画記録要求情報を送信可能な動画記録要求手段を備え、記録させる動画データを特定可能な動画ＩＤ情報を管理サーバから受領可能な動画ＩＤ受領手段を備え、動画ＩＤ情報を受領すると動画ＩＤ情報に対応させて管理サーバに記録させる動画データを送信可能であると共に動画送信が終了すると動画送信終了信号を送信可能な動画データ送信手段を備え、既に管理サーバによって記録されている動画を特定する動画ＩＤ情報を受領すると共に
管理サーバは、クライアント端末から動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末の動画データ送信手段から受領する動画データを動画送信終了信号を受領するまで受領すると共に動画ＩＤ情報と対応付けて記録可能な動画記録手段を備え、生成した動画ＩＤ情報を関連付けたＷｅｂページを自動生成するＷｅｂページ生成手段を備え、生成したＷｅｂページを記録するＷｅｂページ記録手段を備え、Ｗｅｂページ記録手段に記録されたＷｅｂページの参照要求に対して該Ｗｅｂページに関連付けて記憶された動画ＩＤ情報によって動画データを特定し参照要求した端末へ送信するＷｅｂ動画送信手段を備え、
クライアント端末が動画記録要求手段によって動画記録要求情報を管理サーバへ送信し、管理サーバが動画記録要求受領手段によって動画記録要求情報を受領するのを受け動画ＩＤ生成手段によって動画ＩＤ情報を自動生成すると共に動画ＩＤ送信手段によって生成した動画ＩＤ情報をクライアント端末へ送信し、クライアント端末が動画ＩＤ受領手段によって動画ＩＤ情報を受領すると動画データ送信手段によって動画データを送信し、且つ、動画送信を終了すると動画送信終了信号を管理サーバへ送信し、管理サーバでは送信された動画データを動画送信終了信号を受領するまで記録すると共に記録した動画データを動画ＩＤ情報に対応させて記録し、Ｗｅｂページ生成手段が該動画ＩＤ情報を関連付けたＷｅｂページを自動生成すると共に、Ｗｅｂページ記録手段が自動生成したＷｅｂページを記録し、管理サーバに対しＷｅｂページ記録手段に記録されたＷｅｂページの参照要求が有った場合には、Ｗｅｂ動画送信手段が該Ｗｅｂページに関連付けて記憶された動画ＩＤ情報によって動画データを特定し参照要求した端末へ送信することを特徴とする動画データ記録システム、
【００２１】
を提供する。このシステムでは、前記システムに加え、管理サーバが記録する動画データを動画ＩＤ情報に対応させて記憶する際に該動画データに対応させてＷｅｂページを自動生成する。
即ち、インターネットを介して管理サーバと通信可能なクライアント端末は、管理サーバへ動画を記録する場合には、動画記録要求手段によって動画を記録するように要求する。
すると、管理サーバでは、クライアント端末の動画要求手段によって送信される動画記録要求情報を動画記録要求受領手段が受領すると、これから録画する動画を特定するためのＩＤ情報を動画ＩＤ生成手段が生成し、生成された該動画ＩＤ情報を動画ＩＤ送信手段がクライアント端末へ送信する。
クライアント端末では、送信される動画ＩＤ情報を動画ＩＤ情報受領手段が受信し、送信した動画記録要求情報に対して動画ＩＤが付与されたので、動画データ送信手段では動画ＩＤ情報に対応させて記録させる動画を送信する。この時、動画データ送信手段は、予めこれから動画を送信するという動画送信開始信号を送信してから次いで動画データの送信を始めても良く、管理サーバでは動画送信開始信号を受信することで次いで配信されてくる動画データを受領開始可能な状態としておくことができる。このようにすることで、複数のクライアント端末からの動画データ送信に対応させることができる。そして、クライアント端末が動画データの送信を終了すると、動画データ送信手段では動画データの送信が終了したことを動画送信終了信号の送信をもって管理サーバへ通知する。
【００２２】
管理サーバでは、動画データを受領すると、該動画データを動画送信終了信号を受領するまで動画ＩＤ情報に対応させて動画記録手段へ順次記録してゆく。やがて動画データに続いて動画送信終了信号を受領すると、動画記録手段では動画の記録を終了する。また、管理サーバでは、Ｗｅｂページ生成手段が動画ＩＤ情報に対応付けたＷｅｂページを自動生成する。そして生成されたＷｅｂページはＷｅｂページ記録手段によって記録される。従って、Ｗｅｂページ記録手段が記録するＷｅｂページは、動画ＩＤ情報と対応付けられているため、該Ｗｅｂページに対する参照要求が有った場合には、Ｗｅｂページ動画送信手段が、該Ｗｅｂページに対応付けられた動画ＩＤ情報から特定される動画データを参照要求の有った端末へ送信する。
このように、管理サーバでは、クライアント端末の指示により動画ＩＤ情報に対応させて動画データを記録すると共に、該動画ＩＤ情報に対応付けてＷｅｂページを生成し且つ記録しておくので、クライアント端末では所望の動画データを管理サーバへ記録させ、しかも該動画データは動画ＩＤ情報によって特定できる。そして、クライアント端末側から管理サーバで記録されている動画ＩＤ情報を指定することで、動画データの記録が終了して直ちに、管理サーバに対して動画ＩＤ情報を指示することだけで自動的にしかも直ちに動画の閲覧ができる。更に、該動画ＩＤ情報が自動生成したＷｅｂページに対応付けられているので、管理サーバに該Ｗｅｂページを参照する参照要求があった場合には、Ｗｅｂページに対応した動画ＩＤ情報から動画データを特定してＷｅｂページ動画送信手段が該動画を送信し、端末が動画を再生可能としている。
【００２３】
またこの発明では、動画ＩＤ情報に対応させてＷｅｂページアドレスを自動生成し、該Ｗｅｂページアドレスにアクセスすることによって動画ＩＤ情報を特定できて直ちに記録した動画の閲覧ができるシステムの管理サーバを、動画データを記録および管理するサーバとＷｅｂページを記録および管理するサーバとに分けたシステムとして、
【００２４】
動画データを動画ＩＤ情報に対応付けて記録可能であり、且つ動画ＩＤ情報に対応付けたＷｅｂページを自動生成可能な管理サーバが、
クライアント端末から動画記録要求情報を受領可能である動画記録要求受領手段、動画記録要求情報を受領することで動画ＩＤ情報を自動生成する動画ＩＤ生成手段、動画ＩＤ情報をクライアント端末へインターネットを介して送信する共にＷｅｂページ保管サーバへ送信する動画ＩＤ送信手段、クライアント端末の動画データ送信手段から受領する動画データを動画送信終了信号を受領するまで受領すると共に動画ＩＤ情報と対応付けて記録可能な動画記録手段とを備える動画保管サーバと、
動画保管サーバから生成した動画ＩＤ情報受領すると共に該動画ＩＤ情報に対応付けたＷｅｂページを自動生成するＷｅｂページ生成手段、生成したＷｅｂページを記録するＷｅｂページ記録手段、Ｗｅｂページ記録手段に記録されたＷｅｂページの参照要求に対して該Ｗｅｂページに関連付けて記憶された動画ＩＤ情報によって動画データを特定し参照要求した端末へ送信するＷｅｂ動画送信手段とを備えるＷｅｂページ保管サーバと、からなることを特徴とする動画データ記録システム、
【００２５】
を提供するので、管理サーバでは、動画保管サーバとＷｅｂページ保管サーバとから構成する。そして動画保管サーバでは、動画記録要求受領手段がクライアント端末から動画記録要求情報を受領すると、動画ＩＤ生成手段が動画ＩＤ情報を自動生成する。そして、生成した動画ＩＤ情報は動画ＩＤ送信手段によってクライアント端末へ送信する。また、クライアント端末から動画記録手段が動画データを受領すると、該動画データを動画送信終了信号を受領するまで動画ＩＤ情報と対応付けて記録する。
またＷｅｂページ保管サーバでは、Ｗｅｂページ生成手段が動画保管サーバが生成した動画ＩＤ情報を受領すると共に、該動画ＩＤ情報に対応付けたＷｅｂページを自動生成する。この自動生成したＷｅｂページはＷｅｂページ記録手段によって記録する。
そして、Ｗｅｂページ記録手段に記録されたＷｅｂページの参照要求が有った場合には、Ｗｅｂ動画送信手段が該Ｗｅｂページに関連付けて記憶された動画ＩＤ情報によって動画データを特定し参照要求した端末へ該動画データを送信する。
従って、Ｗｅｂページ保管サーバへ端末からＷｅｂページを参照する要求があると、該Ｗｅｂページに対し動画ＩＤ情報を介して関連付けられている動画データを参照させる。
【００２６】
そして、この発明では動画保管サーバおよびＷｅｂページ保管サーバとが通信手段によって相互に通信可能に接続されるシステム、
【００２７】
とすることで、動画保管サーバおよびＷｅｂページ保管サーバが、インターネット等のネットワークによって接続されており、相互に遠隔地に存在しても実施可能なシステムを提供する。
また更に、この発明では上記システムにおける管理サーバとして、
【００２８】
クライアント端末とインターネットを介して相互に通信可能に接続され、クライアント端末から送信される動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末から送信される動画データを動画送信終了信号を受信するまで受領すると共に動画ＩＤ情報と対応付けて記録可能な動画記録手段を備え、
動画記録要求受領手段がクライアント端末から動画記録要求情報を受領すると、動画ＩＤ生成手段によって動画ＩＤ情報を自動生成すると共に動画ＩＤ送信手段によって生成した動画ＩＤ情報をクライアント端末へ送信し、クライアント端末から送信される動画データを動画送信終了信号を受領するまで記録すると共に記録した動画データを動画ＩＤ情報に対応させて記録することを特徴とする動画データ記録可能な管理サーバ、
【００２９】
を提供する。該管理サーバは、上記動画データ記録システムと同様、動画記録要求受領手段がインターネットを介して相互に通信可能に接続されているクライアント端末から動画記録要求情報を受領すると、これから録画する動画を特定するための動画ＩＤ情報を動画ＩＤ生成手段が生成し、生成された該動画ＩＤ情報を動画ＩＤ送信手段がクライアント端末へ送信する。
そして、動画ＩＤ情報を送信したクライアント端末から該ＩＤ情報を受けて送信されてくる動画データを、動画送信終了信号を受領するまで動画ＩＤ情報に対応させて動画記録手段へ順次記録してゆく。やがて動画データに続いて動画送信終了信号を受領すると、動画記録手段では動画の記録を終了する。
このように、管理サーバでは、動画ＩＤ情報に対応させて動画データを記録するので、クライアント端末では所望の動画データを管理サーバで記録し、しかも該動画データは動画ＩＤ情報によって特定できるので、クライアント端末側から管理サーバで記録されている動画ＩＤ情報を指定することで、動画データの記録が終了して直ちに、管理サーバに対して動画ＩＤ情報を指示することだけで自動的にしかも直ちに動画の閲覧ができる。
また、該管理サーバが動画ＩＤ情報に対応させてＷｅｂページアドレスを自動生成し、該Ｗｅｂページアドレスにアクセスすることによって動画ＩＤ情報を特定できて直ちに記録した動画の閲覧可能とさせるため、
【００３０】
クライアント端末とインターネットを介して相互に通信可能に接続され、クライアント端末から送信される動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末から送信される動画データを動画送信終了信号を受信するまで受領すると共に動画ＩＤ情報と対応付けて記録可能な動画記録手段を備え、生成した動画ＩＤ情報を関連付けたＷｅｂページを自動生成するＷｅｂページ生成手段を備え、生成したＷｅｂページを記録するＷｅｂページ記録手段を備え、Ｗｅｂページ記録手段に記録されたＷｅｂページの参照要求に対して該Ｗｅｂページに関連付けて記憶された動画ＩＤ情報によって動画データを特定し参照要求した端末へ送信するＷｅｂ動画送信手段を備え、
動画記録要求受領手段がクライアント端末から動画記録要求情報を受領すると、動画ＩＤ生成手段によって動画ＩＤ情報を自動生成すると共に動画ＩＤ送信手段によって生成した動画ＩＤ情報をクライアント端末へ送信し、クライアント端末から送信される動画データを動画送信終了信号を受領するまで記録すると共に記録した動画データを動画ＩＤ情報に対応させて記録し、Ｗｅｂページ生成手段が該動画ＩＤ情報を関連付けたＷｅｂページを自動生成すると共に、Ｗｅｂページ記録手段が自動生成したＷｅｂページを記録し、管理サーバに対しＷｅｂページ記録手段に記録されたＷｅｂページの参照要求が有った場合には、Ｗｅｂ動画送信手段が該Ｗｅｂページに関連付けて記憶された動画ＩＤ情報によって動画データを特定し参照要求した端末へ送信することを特徴とする動画データ記録可能な管理サーバ、
【００３１】
を提供する。この管理サーバでは、前記管理サーバに加え、管理サーバが記録する動画データを動画ＩＤ情報に対応させて記憶する際に該動画データに対応させてＷｅｂページを自動生成する。
即ち、インターネットを介して管理サーバと通信可能なクライアント端末から管理サーバへ動画を記録する場合には、管理サーバではクライアント端末から動画を記録するように要求する動画記録要求情報が送信されてくる。
すると、管理サーバでは、クライアント端末から送信される動画記録要求情報を動画記録要求受領手段が受領する。そして、これから録画する動画を特定するための動画ＩＤ情報を動画ＩＤ生成手段が生成し、生成された該動画ＩＤ情報を動画ＩＤ送信手段が該クライアント端末へ送信する。
【００３２】
そして、管理サーバでは、動画ＩＤ情報を送信したクライアント端末から動画データを受領すると、該動画データを動画送信終了信号を受領するまで動画ＩＤ情報に対応させて動画記録手段へ順次記録してゆく。やがて動画データに続いて動画送信終了信号を受領すると、動画記録手段では動画の記録を終了する。また、管理サーバでは、Ｗｅｂページ生成手段が動画ＩＤ情報に対応付けたＷｅｂページを自動生成する。
そして生成されたＷｅｂページはＷｅｂページ記録手段によって記録する。従って、Ｗｅｂページ記録手段が記録するＷｅｂページは、動画ＩＤ情報と対応付けられているため、該Ｗｅｂページに対する参照要求が有った場合には、Ｗｅｂページ動画送信手段が、該Ｗｅｂページに対応付けられた動画ＩＤ情報から特定される動画データを参照要求の有った端末へ送信する。
このように、管理サーバでは、動画ＩＤ情報に対応させて動画データを記録すると共に、該動画ＩＤ情報に対応付けてＷｅｂページを生成し且つ記録しておくので、ネットワークを経由して管理サーバへ接続され、該Ｗｅｂページを参照する参照要求があった場合には、Ｗｅｂページに対応した動画ＩＤ情報から動画データを特定してＷｅｂページ動画送信手段が該動画を送信し、端末が動画を再生可能としている。
【００３３】
またこの発明では、動画ＩＤ情報に対応させてＷｅｂページアドレスを自動生成し、該Ｗｅｂページアドレスにアクセスすることによって動画ＩＤ情報を特定できて直ちに記録した動画の閲覧ができるシステムの管理サーバを、動画データを記録および管理するサーバとＷｅｂページを記録および管理するサーバとに分け、
【００３４】
動画データを動画ＩＤ情報に対応付けて記録可能であり、且つ動画ＩＤ情報に対応付けたＷｅｂページを自動生成可能な管理サーバが、
クライアント端末から動画記録要求情報を受領可能である動画記録要求受領手段、動画記録要求情報を受領することで動画ＩＤ情報を自動生成する動画ＩＤ生成手段、動画ＩＤ情報をクライアント端末へ送信可能である動画ＩＤ送信手段、クライアント端末の動画データ送信手段から受領する動画データを動画送信終了信号を受領するまで受領すると共に動画ＩＤ情報と対応付けて記録可能な動画記録手段とを備える動画保管サーバと、
生成した動画ＩＤ情報を関連付けたＷｅｂページを自動生成するＷｅｂページ生成手段、生成したＷｅｂページを記録するＷｅｂページ記録手段、Ｗｅｂページ記録手段に記録されたＷｅｂページの参照要求に対して該Ｗｅｂページに関連付けて記憶された動画ＩＤ情報によって動画データを特定し参照要求した端末へ送信するＷｅｂ動画送信手段とを備えるＷｅｂページ保管サーバと、からなることを特徴とする動画データ記録可能な管理サーバ、
【００３５】
を提供するので、管理サーバでは、動画保管サーバとＷｅｂページ保管サーバとから構成する。そして動画保管サーバでは、動画記録要求受領手段が動画記録要求情報を受領すると、動画ＩＤ生成手段が動画ＩＤ情報を自動生成する。そして、自動生成した動画ＩＤ情報は動画ＩＤ送信手段によって送信する。また、動画記録手段が動画データを受領すると、該動画データを動画送信終了信号を受領するまで動画ＩＤ情報と対応付けて記録する。
またＷｅｂページ保管サーバでは、Ｗｅｂページ生成手段が動画保管サーバが生成した動画ＩＤ情報を受領すると共に、該動画ＩＤ情報に対応付けたＷｅｂページを自動生成する。この自動生成したＷｅｂページはＷｅｂページ記録手段によって記録する。
そして、Ｗｅｂページ記録手段に記録されたＷｅｂページの参照要求が有った場合には、Ｗｅｂ動画送信手段が該Ｗｅｂページに関連付けて記憶された動画ＩＤ情報によって動画データを特定し参照要求した端末へ該動画データを送信する。
従って、Ｗｅｂページ保管サーバへ端末からＷｅｂページを参照する要求があると、該Ｗｅｂページに対し動画ＩＤ情報を介して関連付けられている動画データを参照させる。
【００３６】
そして、この発明では動画保管サーバおよびＷｅｂページ保管サーバとが通信手段によって相互に通信可能に接続される管理サーバ、
【００３７】
とすることで、動画保管サーバおよびＷｅｂページ保管サーバが、インターネット等のネットワークによって接続され、相互に遠隔地に存在しても実施可能な管理サーバを提供する。
更にこの発明では、管理サーバから閲覧させて動画データに広告を付加して閲覧させるシステムとして、
【００３８】
クライアント端末および管理サーバが、インターネットを介して相互に通信可能に接続されるシステムにおいて、
クライアント端末は、管理サーバに対して該端末が送信する動画データを記録するよう要求する動画記録要求情報を送信可能な動画記録要求手段を備え、記録させる動画データを特定可能な動画ＩＤ情報を管理サーバから受領可能な動画ＩＤ受領手段を備え、動画ＩＤ情報を受領すると動画ＩＤ情報に対応させて管理サーバに記録させる動画データを送信可能であると共に動画送信が終了すると動画送信終了信号を送信可能な動画データ送信手段を備え、既に管理サーバによって記録されている動画を特定する動画ＩＤ情報を受領すると共に
管理サーバは、クライアント端末から動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末の動画データ送信手段から受領する動画データを動画送信終了信号を受領するまで受領すると共に動画ＩＤ情報と対応付けて記録可能な動画記録手段を備え、生成した動画ＩＤ情報を関連付けたＷｅｂページを自動生成するＷｅｂページ生成手段を備え、生成したＷｅｂページを記録するＷｅｂページ記録手段を備え、予め広告動画データを記録された広告動画記録手段を備え、Ｗｅｂページ記録手段に記録されたＷｅｂページの参照要求に対して該Ｗｅｂページに関連付けて記憶された動画ＩＤ情報によって動画データを特定する動画データ特定手段を備え、動画特定手段が特定した動画データを動画記録手段から受領すると共に広告動画記録手段から広告動画データを受領し動画データと広告動画データとを合成して新たな合成動画を生成し該合成動画を参照要求した端末へ送信するＷｅｂ動画送信手段を備え、
クライアント端末が動画記録要求手段によって動画記録要求情報を管理サーバへ送信し、管理サーバが動画記録要求受領手段によって動画記録要求情報を受領するのを受け動画ＩＤ生成手段によって動画ＩＤ情報を自動生成すると共に動画ＩＤ送信手段によって生成した動画ＩＤ情報をクライアント端末へ送信し、クライアント端末が動画ＩＤ受領手段によって動画ＩＤ情報を受領すると動画データ送信手段によって動画データを送信し、且つ、動画送信を終了すると動画送信終了信号を管理サーバへ送信し、管理サーバでは送信された動画データを動画送信終了信号を受領するまで記録すると共に記録した動画データを動画ＩＤ情報に対応させて記録し、Ｗｅｂページ生成手段が該動画ＩＤ情報を関連付けたＷｅｂページを自動生成すると共に、Ｗｅｂページ記録手段が自動生成したＷｅｂページを記録し、管理サーバに対しＷｅｂページ記録手段に記録されたＷｅｂページの参照要求が有った場合には、Ｗｅｂ動画送信手段が該Ｗｅｂページに関連付けて記憶された動画ＩＤ情報によって動画データを特定し該動画データと広告動画データとを合成して参照要求した端末へ送信することを特徴とする動画データ記録システム、
【００３９】
を提供する。このシステムでは、前記システムに加え、管理サーバが記録する動画データを動画ＩＤ情報に対応させて記憶する際に該動画データに対応させてＷｅｂページを自動生成する。
即ち、インターネットを介して管理サーバと通信可能なクライアント端末は、管理サーバへ動画を記録する場合には、動画記録要求手段によって動画を記録するように要求する。
【００４０】
すると、管理サーバでは、クライアント端末の動画要求手段によって送信される動画記録要求情報を動画記録要求受領手段が受領すると、これから録画する動画を特定するためのＩＤ情報を動画ＩＤ生成手段が生成し、生成された該動画ＩＤ情報を動画ＩＤ送信手段がクライアント端末へ送信する。
クライアント端末では、送信される動画ＩＤ情報を動画ＩＤ情報受領手段が受信し、送信した動画記録要求情報に対して動画ＩＤが付与されたので、動画データ送信手段では動画ＩＤ情報に対応させて記録させる動画を送信する。この時、動画データ送信手段は、予めこれから動画を送信するという動画送信開始信号を送信してから次いで動画データの送信を始めても良く、管理サーバでは動画送信開始信号を受信することで次いで配信されてくる動画データを受領開始可能な状態としておくことができる。このようにすることで、複数のクライアント端末からの動画データ送信に対応させることができる。そして、クライアント端末が動画データの送信を終了すると、動画データ送信手段では動画データの送信が終了したことを動画送信終了信号の送信をもって管理サーバへ通知する。
【００４１】
管理サーバでは、動画データを受領すると、該動画データを動画送信終了信号を受領するまで動画ＩＤ情報に対応させて動画記録手段へ順次記録してゆく。やがて動画データに続いて動画送信終了信号を受領すると、動画記録手段では動画の記録を終了する。また、管理サーバでは、Ｗｅｂページ生成手段が動画ＩＤ情報に対応付けたＷｅｂページを自動生成する。そして生成されたＷｅｂページはＷｅｂページ記録手段によって記録される。また、管理サーバでは、広告動画記録手段が予め広告動画データを記録されている。
そして、Ｗｅｂページ記録手段が記録するＷｅｂページは、動画ＩＤ情報と対応付けられているため、該Ｗｅｂページに対する参照要求が有った場合には、動画データ特定手段が参照要求の有ったＷｅｂページに関連付けて記録させている動画データを特定する。この特定された動画データは、Ｗｅｂページ動画送信手段によって、該動画データに広告動画データを合成し新たな合成動画として参照要求の有った端末へ送信することとなる。
【００４２】
このように、管理サーバでは、クライアント端末の指示により動画ＩＤ情報に対応させて動画データを記録すると共に、該動画ＩＤ情報に対応付けてＷｅｂページを生成し且つ記録しておくと共に、広告動画記録手段に予め広告動画データを記録しておくので、クライアント端末では所望の動画データを管理サーバへ記録させ、しかも該動画データは動画ＩＤ情報によって特定できる。そして、クライアント端末側から管理サーバで記録されている動画ＩＤ情報を指定することで、動画データの記録が終了して直ちに、管理サーバに対して動画ＩＤ情報を指示することだけで自動的にしかも直ちに動画の閲覧ができる状態とすることが可能である。更に、該動画ＩＤ情報が自動生成したＷｅｂページに対応付けられているので、管理サーバに該Ｗｅｂページを参照する参照要求があった場合には、Ｗｅｂページ動画送信手段がＷｅｂページに対応した動画ＩＤ情報から動画データを特定すると共に広告動画記録手段に記録されている広告動画データを該特定した動画データと合成して新たな合成動画とし、該合成動画を参照要求した端末へ送信する。これによりＷｅｂページを参照要求した端末で合成された動画、即ち本来参照させたい動画データに広告動画データを付加して再生可能としている。
更にこの発明では、該広告動画データを付加して動画データを閲覧させて管理サーバとして、
【００４３】
クライアント端末とインターネットを介して相互に通信可能に接続され、動画データを動画ＩＤ情報と対応付けて記録可能な動画記録手段を備え、動画ＩＤ情報と関連付けたＷｅｂページを自動生成するＷｅｂページ生成手段を備え、生成したＷｅｂページを記録するＷｅｂページ記録手段を備え、予め広告動画データを記録された広告動画記録手段を備え、Ｗｅｂページ記録手段に記録されたＷｅｂページの参照要求に対して該Ｗｅｂページに関連付けて記憶された動画ＩＤ情報によって動画データを特定する動画データ特定手段を備え、動画データ特定手段が特定した動画データを動画記録手段から受領すると共に広告動画記録手段から広告動画データを受領し動画データと広告動画データとを合成して新たな合成動画を生成し該合成動画を参照要求した端末へ送信するＷｅｂ動画送信手段を備え、
クライアント端末から送信される動画データを動画ＩＤ情報に対応させて記録し、Ｗｅｂページ生成手段が該動画ＩＤ情報を関連付けたＷｅｂページを自動生成すると共に、Ｗｅｂページ記録手段が自動生成したＷｅｂページを記録し、管理サーバに対しＷｅｂページ記録手段に記録されたＷｅｂページの参照要求が有った場合には、
Ｗｅｂ動画送信手段が該Ｗｅｂページに関連付けて記憶された動画ＩＤ情報によって動画データを特定し該動画データと広告動画データとを合成して参照要求した端末へ送信することを特徴とする動画データ記録可能な管理サーバ、
【００４４】
を提供する。従って該管理サーバでは、管理サーバが記録する動画データを動画ＩＤ情報に対応させて記憶する際に該動画データに対応させてＷｅｂページを自動生成する。
即ち、インターネットを介して管理サーバと通信可能なクライアント端末から管理サーバへ動画を記録する場合には、管理サーバでは動画記録手段がクライアント端末から動画を受領して動画ＩＤ情報と対応付けて記録する。ここで動画ＩＤ情報は、管理サーバ自身が生成しても良く、この場合には、クライアント端末へ予め該動画ＩＤ情報を送信可能な手段を備えて送信すれば良く、また、クライアント端末から動画データを受領する際に受領しても良い。
【００４５】
やがて動画データに続いて動画送信終了信号を受領すると、動画記録手段では動画の記録を終了する。また、管理サーバでは、Ｗｅｂページ生成手段が動画ＩＤ情報に対応付けたＷｅｂページを自動生成する。そして生成されたＷｅｂページはＷｅｂページ記録手段によって記録する。更に管理サーバでは、広告動画記録手段が予め広告データを記録しておく。
【００４６】
従って、Ｗｅｂページ記録手段が記録するＷｅｂページは、動画ＩＤ情報と対応付けられているため、該Ｗｅｂページに対する参照要求が有った場合には、動画データ特定手段が参照要求の有ったＷｅｂページに関連付けて記録させている動画データを特定する。この特定された動画データは、Ｗｅｂページ動画送信手段によって、該動画データに広告動画データを合成し新たな合成動画として参照要求の有った端末へ送信することとなる。
【００４７】
このように、管理サーバでは、動画データを動画ＩＤ情報に対応させて記録する。そして、該動画ＩＤ情報に対応付けてＷｅｂページを生成し且つ記録しておくと共に、広告動画記録手段に予め広告動画データを記録しておくので、動画データを管理サーバへ記録させ、しかも該動画データは動画ＩＤ情報によって特定できる。そして、管理サーバで記録されている動画ＩＤ情報を指定することで、動画データの記録が終了して直ちに管理サーバに対して動画ＩＤ情報を指示することだけで自動的にしかも直ちに動画の閲覧ができる状態とすることが可能である。
更に、該動画ＩＤ情報が自動生成したＷｅｂページに対応付けられているので、管理サーバに該Ｗｅｂページを参照する参照要求があった場合には、Ｗｅｂページ動画送信手段がＷｅｂページに対応した動画ＩＤ情報から動画データを特定すると共に広告動画記録手段に記録されている広告動画データを該特定した動画データと合成して新たな合成動画とし、該合成動画を参照要求した端末へ送信する。これによりＷｅｂページを参照要求した端末で合成された動画、即ち本来参照させたい動画データに広告動画データを付加して再生可能としている。
更にまた、この発明では、
【００４８】
クライアント端末とインターネットを介して相互に通信可能に接続され、クライアント端末から送信される動画記録要求情報を受領可能である動画記録要求受領手段を備え、動画記録要求情報を受領することで動画ＩＤ情報を自動生成する動画ＩＤ生成手段を備え、動画ＩＤ情報をクライアント端末へ送信可能である動画ＩＤ送信手段を備え、クライアント端末から送信される動画データを動画送信終了信号を受信するまで受領すると共に動画ＩＤ情報と対応付けて記録可能な動画記録手段を備え、生成した動画ＩＤ情報を関連付けたＷｅｂページを自動生成するＷｅｂページ生成手段を備え、生成したＷｅｂページを記録するＷｅｂページ記録手段を備え、予め広告動画データを記録された広告動画記録手段を備え、Ｗｅｂページ記録手段に記録されたＷｅｂページの参照要求に対して該Ｗｅｂページに関連付けて記憶された動画ＩＤ情報によって動画データを特定する動画データ特定手段を備え、動画特定手段が特定した動画データを動画記録手段から受領すると共に広告動画記録手段から広告動画データを受領し動画データと広告動画データとを合成して新たな合成動画を生成し該合成動画を参照要求した端末へ送信するＷｅｂ動画送信手段を備え、
動画記録要求受領手段がクライアント端末から動画記録要求情報を受領すると、動画ＩＤ生成手段によって動画ＩＤ情報を自動生成すると共に動画ＩＤ送信手段によって生成した動画ＩＤ情報をクライアント端末へ送信し、クライアント端末から送信される動画データを動画送信終了信号を受領するまで記録すると共に記録した動画データを動画ＩＤ情報に対応させて記録し、Ｗｅｂページ生成手段が該動画ＩＤ情報を関連付けたＷｅｂページを自動生成すると共に、Ｗｅｂページ記録手段が自動生成したＷｅｂページを記録し、管理サーバに対しＷｅｂページ記録手段に記録されたＷｅｂページの参照要求が有った場合には、Ｗｅｂ動画送信手段が該Ｗｅｂページに関連付けて記憶された動画ＩＤ情報によって動画データを特定し該動画データと広告動画データとを合成して参照要求した端末へ送信することを特徴とする動画データ記録可能な管理サーバ、
【００４９】
を提供する。従って該管理サーバでは、管理サーバが記録する動画データを動画ＩＤ情報に対応させて記憶する際に該動画データに対応させてＷｅｂページを自動生成する。
即ち、インターネットを介して管理サーバと通信可能なクライアント端末から管理サーバへ動画を記録する場合には、管理サーバではクライアント端末から動画を記録するように要求する動画記録要求情報が送信されてくる。
すると、管理サーバでは、クライアント端末から送信される動画記録要求情報を動画記録要求受領手段が受領する。そして、これから録画する動画を特定するための動画ＩＤ情報を動画ＩＤ生成手段が生成し、生成された該動画ＩＤ情報を動画ＩＤ送信手段が該クライアント端末へ送信する。
【００５０】
そして、管理サーバでは、動画ＩＤ情報を送信したクライアント端末から動画データを受領すると、該動画データを動画送信終了信号を受領するまで動画ＩＤ情報に対応させて動画記録手段へ順次記録してゆく。やがて動画データに続いて動画送信終了信号を受領すると、動画記録手段では動画の記録を終了する。また、管理サーバでは、Ｗｅｂページ生成手段が動画ＩＤ情報に対応付けたＷｅｂページを自動生成する。そして生成されたＷｅｂページはＷｅｂページ記録手段によって記録する。更に管理サーバでは、広告動画記録手段が予め広告データを記録しておく。
【００５１】
従って、Ｗｅｂページ記録手段が記録するＷｅｂページは、動画ＩＤ情報と対応付けられているため、該Ｗｅｂページに対する参照要求が有った場合には、動画データ特定手段が参照要求の有ったＷｅｂページに関連付けて記録させている動画データを特定する。この特定された動画データは、Ｗｅｂページ動画送信手段によって、該動画データに広告動画データを合成し新たな合成動画として参照要求の有った端末へ送信することとなる。
【００５２】
このように、管理サーバでは、動画データを動画ＩＤ情報に対応させて記録する。そして、該動画ＩＤ情報に対応付けてＷｅｂページを生成し且つ記録しておくと共に、広告動画記録手段に予め広告動画データを記録しておくので、動画データを管理サーバへ記録させ、しかも該動画データは動画ＩＤ情報によって特定できる。そして、管理サーバで記録されている動画ＩＤ情報を指定することで、動画データの記録が終了して直ちに管理サーバに対して動画ＩＤ情報を指示することだけで自動的にしかも直ちに動画の閲覧ができる状態とすることが可能である。
更に、該動画ＩＤ情報が自動生成したＷｅｂページに対応付けられているので、管理サーバに該Ｗｅｂページを参照する参照要求があった場合には、Ｗｅｂページ動画送信手段がＷｅｂページに対応した動画ＩＤ情報から動画データを特定すると共に広告動画記録手段に記録されている広告動画データを該特定した動画データと合成して新たな合成動画とし、該合成動画を参照要求した端末へ送信する。これによりＷｅｂページを参照要求した端末で合成された動画、即ち本来参照させたい動画データに広告動画データを付加して再生可能としている。
更にこの発明では、上記のような動画データを動画ＩＤ情報に対応付けて記録可能な管理サーバを構成するためのプログラムとして、
【００５３】
動画記録要求情報を受領する動画記録要求受領ステップと、動画記録要求情報を受領することで動画ＩＤ情報を自動生成する動画ＩＤ生成ステップと、生成した動画ＩＤ情報を送信する動画ＩＤ送信ステップと、動画データを受領すると動画送信終了信号を受信するまで動画ＩＤ情報と対応付けて記録させる動画記録ステップとを備え、
動画記録要求受領ステップが動画記録要求情報を受領すると、動画ＩＤ生成ステップによって動画ＩＤ情報を自動生成すると共に動画ＩＤ送信ステップによって生成した動画ＩＤ情報を送信し、動画データを受領すると動画記録ステップが該動画データを動画送信終了信号受領まで記録させると共に記録させた動画データを動画ＩＤ情報に対応させて記録させることを特徴とする動画データ記録プログラム、
【００５４】
を提供する。この動画データ記録プログラムは、動画記録要求受領ステップが動画記録要求情報を受領したのを受け、これから録画する動画を特定するための動画ＩＤ情報を動画ＩＤ生成ステップが生成させる。そして、生成された該動画ＩＤ情報は、動画ＩＤ送信ステップによって動画記録要求情報を送信した装置へ送信するので、動画記録要求情報を受領すると動画ＩＤ生成ステップが動画ＩＤ情報を自動生成する。この自動生成された動画ＩＤ情報は、動画ＩＤ送信ステップによって動画記録要求情報を送信した装置に送信する。
そして、動画ＩＤ情報を送信した後、該動画ＩＤ情報を受けて送信されてくる動画データを、動画送信終了信号を受領するまで動画ＩＤ情報に対応させて動画記録ステップへ順次記録してゆく。やがて動画データに続いて動画送信終了信号を受領すると、動画記録ステップが動画の記録を終了させる。
このように、管理サーバでは、動画ＩＤ情報に対応させて動画データを記録するので、クライアント端末では所望の動画データを管理サーバで記録し、しかも該動画データは動画ＩＤ情報によって特定できるので、クライアント端末側から管理サーバで記録されている動画ＩＤ情報を指定することで、動画データの記録が終了して直ちに、管理サーバに対して動画ＩＤ情報を指示することだけで自動的にしかも直ちに動画の閲覧ができる。
また、該管理サーバが動画ＩＤ情報に対応させてＷｅｂページアドレスを自動生成し、該Ｗｅｂページアドレスにアクセスすることによって動画ＩＤ情報を特定できて直ちに記録した動画の閲覧可能とさせるため、
【００５５】
動画記録要求情報を受領する動画記録要求受領ステップと、動画記録要求情報を受領することで動画ＩＤ情報を自動生成する動画ＩＤ生成ステップと、生成した動画ＩＤ情報を送信する動画ＩＤ送信ステップと、動画データを受領すると動画送信終了信号を受信するまで動画ＩＤ情報と対応付けて記録させる動画記録ステップと、生成した動画ＩＤ情報を関連付けたＷｅｂページを自動生成するＷｅｂページ生成ステップと、生成したＷｅｂページを記録させるＷｅｂページ記録ステップと、Ｗｅｂページ記録ステップによって記録させたＷｅｂページの参照要求に対して該Ｗｅｂページに関連付けて記憶された動画ＩＤ情報によって動画データを特定し送信するＷｅｂ動画送信ステップとを備え、
動画記録要求受領ステップが動画記録要求情報を受領すると、動画ＩＤ生成ステップによって動画ＩＤ情報を自動生成すると共に動画ＩＤ送信ステップによって生成した動画ＩＤ情報を送信させ、動画データを受領すると動画記録ステップが該動画データを動画送信終了信号受領まで記録させると共に記録させた動画データを動画ＩＤ情報に対応させて記録させ、Ｗｅｂページ生成ステップが該動画ＩＤ情報を関連付けたＷｅｂページを自動生成すると共に、Ｗｅｂページ記録ステップが自動生成したＷｅｂページを記録させ、Ｗｅｂページ記録ステップに記録されたＷｅｂページの参照要求が有った場合には、Ｗｅｂ動画送信ステップが該Ｗｅｂページに関連付けて記憶された動画ＩＤ情報によって動画データを特定し送信させることを特徴とする動画データ記録プログラム、
【００５６】
を提供する。該プログラムでは、動画記録要求受領ステップが動画記録要求情報を受領したのを受け、これから録画する動画を特定するための動画ＩＤ情報を動画ＩＤ生成ステップが生成させる。そして、生成された該動画ＩＤ情報は、動画ＩＤ送信ステップによって動画記録要求情報を送信した装置へ送信するので、動画記録要求情報を受領すると動画ＩＤ生成ステップが動画ＩＤ情報を自動生成する。この自動生成された動画ＩＤ情報は、動画ＩＤ送信ステップによって動画記録要求情報を送信した装置に送信する。
そして、動画ＩＤ情報を送信した後、該動画ＩＤ情報を受けて送信されてくる動画データを、動画送信終了信号を受領するまで動画ＩＤ情報に対応させて動画記録ステップへ順次記録してゆく。やがて動画データに続いて動画送信終了信号を受領すると、動画記録ステップが動画の記録を終了させる。
また、Ｗｅｂページ生成ステップが、生成した動画ＩＤ情報を関連付けたＷｅｂページを自動生成し、該ＷｅｂページをＷｅｂページ記録ステップが記録させる。
【００５７】
そして、Ｗｅｂページ記録ステップによって記録させたＷｅｂページの参照要求があると、Ｗｅｂ動画送信ステップでは該要求に対して該Ｗｅｂページに関連付けて記憶された動画ＩＤ情報によって動画データを特定して送信する。
このように、管理サーバでは、動画ＩＤ情報に対応させて動画データを記録するので、クライアント端末では所望の動画データを管理サーバで記録し、しかも該動画データは動画ＩＤ情報によって特定でき、更には動画ＩＤ情報はＷｅｂページと対応しているので、Ｗｅｂページの参照要求があると記録されているＷｅｂページに対応して記録されている動画ＩＤ情報を指示するだけで、参照した端末へ動画データを送信して閲覧させることができ、しかも動画データの記録が終了した後直ちに動画の閲覧ができる。
更にまたこの発明では、参照要求があった端末に対し、記録した動画データに広告データを付加して閲覧可能とするため、
【００５８】
動画データを動画ＩＤ情報と対応付けて記録可能な動画記録ステップと、生成した動画ＩＤ情報を関連付けたＷｅｂページを自動生成するＷｅｂページ生成ステップと、生成したＷｅｂページを記録するＷｅｂページ記録ステップと、予め広告動画データを記録させる広告動画記録ステップと、Ｗｅｂページ記録ステップに記録されたＷｅｂページの参照要求に対して該Ｗｅｂページに関連付けて記憶された動画ＩＤ情報によって動画データを特定する動画データ特定ステップと、動画データ特定ステップが特定した動画データを受領すると共に広告動画データを受領し動画データと広告動画データとを合成して新たな合成動画を生成させ該合成動画を参照要求した端末へ送信させるＷｅｂ動画送信ステップとを備え、
動画記録要求受領ステップがクライアント端末から動画記録要求情報を受領すると、動画ＩＤ生成ステップによって動画ＩＤ情報を自動生成すると共に動画ＩＤ送信ステップによって生成した動画ＩＤ情報をクライアント端末へ送信し、クライアント端末から送信される動画データを動画送信終了信号を受領するまで記録させると共に記録させた動画データを動画ＩＤ情報に対応させて記録させ、Ｗｅｂページ生成ステップが該動画ＩＤ情報を関連付けたＷｅｂページを自動生成する共にＷｅｂページ記録ステップが自動生成したＷｅｂページを記録させ、管理サーバに対しＷｅｂページ記録ステップが記録させたＷｅｂページの参照要求が有った場合には、Ｗｅｂ動画送信ステップが該Ｗｅｂページに関連付けて記憶された動画ＩＤ情報によって動画データを特定して該動画データと広告動画データとを合成させて参照要求した端末へ送信させることを特徴とする動画データ記録プログラム、
【００５９】
を提供する。該プログラムでは、動画記録要求受領ステップが動画記録要求情報を受領したのを受け、これから録画する動画を特定するための動画ＩＤ情報を動画ＩＤ生成ステップが生成させる。そして、生成された該動画ＩＤ情報は、動画ＩＤ送信ステップによって動画記録要求情報を送信した装置へ送信するので、動画記録要求情報を受領すると動画ＩＤ生成ステップが動画ＩＤ情報を自動生成する。この自動生成された動画ＩＤ情報は、動画ＩＤ送信ステップによって動画記録要求情報を送信した装置に送信する。
そして、動画ＩＤ情報を送信した後、該動画ＩＤ情報を受けて送信されてくる動画データを、動画送信終了信号を受領するまで動画ＩＤ情報に対応させて動画記録ステップへ順次記録してゆく。やがて動画データに続いて動画送信終了信号を受領すると、動画記録ステップが動画の記録を終了させる。
一方、広告動画記録ステップでは、予め広告動画を記録させておく。
また、Ｗｅｂページ生成ステップが、生成した動画ＩＤ情報を関連付けたＷｅｂページを自動生成し、該ＷｅｂページをＷｅｂページ記録ステップが記録させる。
【００６０】
従って、Ｗｅｂページ記録手段が記録するＷｅｂページは、動画ＩＤ情報と対応付けられているため、該Ｗｅｂページに対する参照要求が有った場合には、動画データ特定手段が参照要求の有ったＷｅｂページに関連付けて記録させている動画データを特定する。この特定された動画データは、Ｗｅｂページ動画送信手段によって、該動画データに広告動画データを合成し新たな合成動画として参照要求の有った端末へ送信することとなる。
そして、Ｗｅｂページ記録ステップによって記録させたＷｅｂページの参照要求があると、Ｗｅｂ動画送信ステップでは該要求に対して該Ｗｅｂページに関連付けて記憶された動画ＩＤ情報によって動画データを特定させると共に予め記録された広告動画データと動画データとを合成して新たな合成動画を生成させ該合成動画を参照要求した端末へ送信させる。
【００６１】
このように、動画ＩＤ情報に対応させて動画データを記録するので、クライアント端末では所望の動画データを管理サーバで記録し、しかも該動画データは動画ＩＤ情報によって特定でき、更には動画ＩＤ情報はＷｅｂページと対応しているので、Ｗｅｂページの参照要求があると記録されているＷｅｂページに対応して記録されている動画ＩＤ情報を予め記録されている広告動画データと合成し合成動画として参照した端末へ送信して閲覧させることができ、しかも動画データの記録が終了した後直ちに該動画データと広告動画データとを合成して閲覧させることができる。
【発明の効果】
【００６２】
従って、この発明によれば、管理サーバがインターネットを介して送信される動画データに対して動画ＩＤ情報を付与すると共に該動画データを順次記録するので、動画データの記録が終了したときには動画ＩＤ情報に対応されて該動画データの記録が終了しており、且つ、該動画ＩＤ情報を通知されている利用者から動画データ記録後に動画ＩＤ情報を指定して該動画データを要求されると、該動画データを送信可能なので、動画の配信を希望するホームページの開設者等がインターネット接続環境およびインターネットを利用してリアルタイムに画像を送信可能なＷｅｂカメラ等を用いて動画を直ちに録画させることが出来、しかも、既に録画を終了された動画データは録画終了後直ちに再生可能になる。
また、管理サーバが、動画データを参照要求した端末へ送信する際、予め記録されている広告動画データと該要求の有った動画データを合成して新たな合成動画データを送信可能なので、インターネット環境を通じて閲覧させる動画に広告を自動的に付加して配信できるという効果を有する。
【００６３】
更にまた、記録する動画データに対応した動画ＩＤ情報に更に対応させてＷｅｂページを生成するので、上記閲覧要求がＷｅｂページの閲覧請求であっても直ちに該Ｗｅｂページに対応して記録された動画データを特定して送信するので、単にＷｅｂページを開いたことによって直ちに対応して記録されている動画データを送信可能であるという特有の効果を有する。このように送信可能とすることで、個人等のホームページ開設者が動画データの記録を行わせ、該動画データに対して自動生成するＷｅｂページを該ホームページ等に参照要求可能に記載しておくことで、個人等のホームページ開設者が自身で動画データのエンコード等を行うことなく動画データを自身のホームページに載せておくことが可能となる。これに伴って、ホームページ開設者毎に高価な編集ソフトや編集機器を用意することなく簡便に動画データをホームページ上で楽しむことが出来るという効果を有する。
そして、記録させた動画データを配信する際に、広告動画データを合成して新たな合成動画データを送信することで、広告主は広告を該ホームページ等の閲覧希望者に送信して閲覧させることが出来るので、該ホームページ開設者の利用費用を広告料として負担する等、広告主およびホームページ開設者等双方にとって利益となる動画データ記録システム、管理サーバ、および、動画データ記録プログラムを提供できる。
【発明を実施するための最良の形態】
【００６４】
この発明を実施するための最良の形態は、動画データ記録システムでは、管理サーバとクライアントサーバとがインターネットに接続されて通信出来る状態とする。
クライアント端末は、コンピュータシステムからなり、パソコン本体には通常備えられているメモリやＣＰＵを含む演算処理装置、データを記録可能なハードディスク等の記録装置を備え、且つパソコン本体と接続するキーボードやマウスの入力装置、プリンタ、ディスプレイ等の出力装置の各装置を具備している。また、クライアント端末は、動画を撮影するＷｅｂカメラを備える。Ｗｅｂカメラは、パソコン本体に接続され、演算処理装置の指示によって動画を撮影できる。このＷｅｂカメラは、動画をリアルタイムで撮像して送信させるためのものであり、Ｗｅｂカメラに代えて、或はＷｅｂカメラに加え、ビデオカメラ等の撮像装置で撮像した動画データを取込むインターフェースを備えると共に該動画の再生装置が接続される。更にクライアント端末は、ネットワークインターフェースを備え、インターネットに接続可能であり、Ｗｅｂカメラで撮像した動画等の情報を、インターネットを経由して管理サーバへ送信可能である。
【００６５】
そして、クライアント端末は、Ｗｅｂカメラによって撮像した動画データを管理サーバへ送信して管理サーバに記録させるように要求する動画記録要求情報を送信可能な動画記録要求手段を備えており、キーボードやマウスによる操作で該要求情報を送信可能に構成する。更に、該要求情報を送信した後に管理サーバから送信される動画ＩＤ情報を受領する動画ＩＤ受領手段を備え、動画ＩＤ情報を受領して後、該動画ＩＤ情報に対応させて管理サーバに動画データを記録させるためにＷｅｂカメラによって撮像した動画データを送信する動画データ送信手段を備える。この動画データ送信手段は、Ｗｅｂカメラによる撮像を終了させるためにキーボードやマウスによって動画記録終了指示を行うとことで動画データの送信を終了すると共に動画データの記録を終了させる動画送信終了信号を送信可能に構成する。
このように構成するクライアント端末では、利用者がＷｅｂカメラによって撮像する動画データを管理サーバに記録させたい場合には、キーボードやマウスを操作することで通常インターネットに接続してクライアント端末へ表示させるブラウザを起動すると共に管理サーバの動画記録を行えるＷｅｂページへ接続する。そして、キーボードやマウスの操作によって動画記録要求手段が動画記録要求情報を送信するように操作する。
管理サーバは、クライアント端末からの要求によって動画データを記録する動画記録手段を備える動画管理サーバと、該記録した動画データをＷｅｂページ上で公開させるＷｅｂページ管理サーバとから構成する。
【００６６】
動画管理サーバは、動画データを記録管理するネットワークサーバとしてのコンピュータシステムからなり、パソコン本体には通常備えられているメモリやＣＰＵを含む演算処理装置、該演算処理装置からの指示により動画データを記録するハードディスク等の記録装置を備え、且つパソコン本体と接続してキーボードやマウスの入力装置、プリンタ等の出力装置の各装置を具備している。また、動画管理サーバは、インターネットと接続可能であり、クライアント端末からインターネットを経由して送信される動画記録要求情報を受領する動画記録要求受領手段を備える。更にまた動画管理サーバは、動画記録要求手段がクライアント端末から動画記録要求情報を受領すると動画ＩＤ情報を自動的に生成する動画ＩＤ生成手段と、生成された動画ＩＤ情報を動画記録要求情報を送信してきたクライアント端末へ送信する動画ＩＤ送信手段を備える。そして、クライアント端末へ動画ＩＤ送信手段が動画ＩＤ情報を送信後にクライアント端末から送信されてくる動画データを生成した動画ＩＤ情報に対応させてハードディスクへ記録させるための動画記録手段を備える。この動画記録手段は、送信されてくる動画データを動画送信終了信号を受領するまで記録し続け、動画送信終了信号を受領することで、送信されてきていた動画データが終了したことを判断して一連の動画データとして動画ＩＤ情報に対応させて記録する。
【００６７】
Ｗｅｂページ管理サーバは、インターネット上に開設するＷｅｂページを管理するネットワークサーバとしてのコンピュータシステムからなり、パソコン本体には通常備えられているメモリやＣＰＵを含む演算処理装置、該演算処理装置からの指示によりＷｅｂページを提供するハードディスク等の記録装置を備え、且つパソコン本体と接続してキーボードやマウスの入力装置、プリンタ等の出力装置の各装置を具備している。また、Ｗｅｂページ管理サーバは、動画管理サーバと通信により接続される。この接続は、動画管理サーバと同一の筐体に設置される場合には、動画管理サーバと直接的に情報交換可能に接続される。また、Ｗｅｂページ管理サーバはインターネットと接続可能であり、動画管理サーバもしくはクライアント端末から受領する動画ＩＤ情報に対応するＷｅｂページを自動的に生成してハードディスクに記録するＷｅｂページ記録手段を備える。動画ＩＤ情報は、クライアント端末からカテゴリ情報や登録情報等を受領する必要がある場合には、該クライアント端末から動画ＩＤ情報を受領するように構成し、クライアント端末とのインターネットによる接続を必要としないように構成する場合には、動画管理サーバから動画ＩＤ情報を受領するように構成し、動画管理サーバが記録した動画データに対応した動画ＩＤ情報をいずれかにより受領すればよい。このようにＷｅｂページ管理サーバでは、Ｗｅｂページ生成手段およびＷｅｂページ記録手段が、生成したＷｅｂページと動画ＩＤ情報とを関連づけ、Ｗｅｂページの参照要求時には、該Ｗｅｂページに関連づけた動画ＩＤ情報を特定できる。
【００６８】
またＷｅｂページ管理サーバは広告動画記録手段を備える。広告動画記録手段の記録する広告動画データは、動画管理サーバに記録されている動画の再生を希望する端末へ送信する際に該動画データと広告動画データとを合成して合成動画データとして送信するためのものである。そしてまた、Ｗｅｂページ管理サーバには、インターネットを経由してＷｅｂページ記録手段に記録されたＷｅｂページを参照する要求があった際に、該Ｗｅｂページに関連付けて記憶された動画ＩＤ情報によって動画データを特定する動画データ特定手段を備える。そして更に、該特定された動画データを広告動画データと合成して、Ｗｅｂページ参照要求した端末へ合成動画データを送信するＷｅｂ動画送信手段を備える。このＷｅｂ動画送信手段は、動画データ特定手段によって特定された動画データを動画管理サーバから受領すると共に広告動画記録手段が記録した広告動画データを入力して動画データの一部に広告動画データを合成させる動画合成部と、該合成した合成動画データを参照要求端末へ送信する合成動画送信部とからなる。管理サーバを構成する動画管理サーバおよびＷｅｂページ管理サーバは、それぞれを別の場所で管理する場合には相互にインターネットを経由して通信可能に接続して構成し、同一の場所に設置する場合には１つの装置として構成する。
【００６９】
そして、上記のように構成する管理サーバには制御手段が各装置を制御するプログラムとして、
クライアント端末から送信される動画記録要求情報を待ち受ける動画記録待ち受けステップ、
動画記録待ち受けステップが動画記録要求情報を受領することで実行され、動画ＩＤ情報を自動生成する動画ＩＤ生成ステップ、
動画ＩＤ生成ステップが生成した動画ＩＤ情報をクライアント端末へ送信させる動画ＩＤ送信ステップ、
クライアント端末からの動画データの受領を待ち受け、動画データを受領すると動画記録手段に動画データを動画ＩＤ情報と対応させてハードディスクへ記録させる動画記録ステップ、
【００７０】
動画ＩＤ生成ステップが生成した動画ＩＤ情報を関連付けたＷｅｂページを自動生成するＷｅｂページ生成ステップ、
Ｗｅｂページ生成ステップが生成したＷｅｂページをハードディスクへ記録するＷｅｂページ記録ステップ、
予め広告動画データを記録させる広告動画記録ステップ、
Ｗｅｂページ記録ステップに記録されたＷｅｂページの参照要求に対して該Ｗｅｂページに関連付けて記憶された動画ＩＤ情報によって動画データを特定する動画データ特定ステップ、
【００７１】
動画データ特定ステップが特定した動画データを受領すると共に広告動画データを受領し動画データと広告動画データとを合成して新たな合成動画を生成させ該合成動画を参照要求した端末へ送信させるＷｅｂ動画送信ステップ、
の各ステップを実行するプログラムによって各手段を制御する。
【実施例１】
【００７２】
以下にこの発明の実施例を図面に基づき説明する。図１はこの発明の実施例のシステム構成を表す説明図であり、図２（ａ）は同動画撮像環境の構成を表す説明図、同（ｂ）図１の機能概要を表すブロック図であり、図３は会員登録を説明するフローチャートであり、図４は乃至図５は動画データの記録を説明するフローチャートであり、図６は管理サーバが各端末に表示させるディスプレイ画面の表示例を表す説明図であり、図７は図６の一部拡大説明図であり、図８は動画データの再生を説明するフローチャートであり、図９は各動画データの説明図であり（ａ）は記録される動画データを表し、（ｂ）は全面広告として合成させる広告動画データを表し、（ｃ）は部分広告として合成させる広告動画データを表し、図１０は動画データに広告動画データを合成して再生させる際の合成動画データの再生状況説明図であり（ａ）は初期に於ける再生状況を、（ｂ）は中間に於ける再生状況を、（ｃ）は終了時に於ける再生状況を、夫々表す説明図であり、図１１は動画データの再生を説明するフローチャートである。
【００７３】
Ａは、この発明の実施例を構成する動画データ記録システムであり、動画データを撮像して記録させるクライアント端末Ａ１と、動画データを動画ＩＤ情報に対応させて記録すると共に、記録した動画データをＷｅｂページの参照によって参照希望端末へ送信して表示させる管理サーバＡ２と、管理サーバＡ２に対してＷｅｂページを参照希望して動画データ再生希望する参照希望端末Ａ３とからなる。そして、管理サーバＡ２およびクライアント端末Ａ１並びに参照希望端末Ａ３は夫々インターネットＮＥＴによって通信可能に接続されており、夫々インターネット環境を利用可能なＷＷＷブラウザ等を備えている。
この実施例で説明するシステムＡは、クライアント端末Ａ１が管理サーバＡ２に会員登録を行うことで管理サーバＡ２に動画データを登録し、会員となったクライアント端末Ａ１が管理サーバＡ２に動画データを登録希望し、この動画データを管理サーバＡ２が記録しておくと共に該動画データを管理サーバＡ２が自動的に生成したＷｅｂページと関連付けて保存し、該Ｗｅｂページを参照希望端末Ａ３が参照希望することで該端末Ａ３に動画を表示させるシステムである。
先ずはじめに、クライアント端末Ａ１の送信する動画データを管理サーバＡ２に記録するまでを説明し、次いで管理サーバＡ２に記録された動画データを管理サーバＡ２が閲覧させるまでを説明する。
【００７４】
クライアント端末Ａ１は、コンピュータ端末からなる。即ち、クライアント端末Ａ１は、図２に表すように、パソコンからなるネットワーク端末であり、パソコンに通常備えられているＲＯＭやＲＡＭおよびＣＰＵを含む演算処理装置を備えると共に外部インターフェースが設けられている所謂一般的なパソコンの構成であり、データを記録可能なハードディスク等の記録装置を備え、パソコン本体と接続して入出力を行うキーボードやマウス等の入力装置、プリンタ等の出力装置の各装置が外部インターフェースを介してパソコン本体と接続されている。尚、クライアント端末Ａ１は、動画撮像可能なＰＤＡ等の携帯端末であってもよく、この場合でもコンピュータ端末同様に動作可能である。
また、クライアント端末Ａ１は、動画を撮影するＷｅｂカメラＡ１１を備える。ＷｅｂカメラＡ１１は、パソコン本体に接続され、演算処理装置の指示によって動画を撮影できる。このＷｅｂカメラＡ１１は、動画をリアルタイムで撮像して送信させるためのものであり、ＷｅｂカメラＡ１１に代えて或はＷｅｂカメラＡ１１に加えてビデオカメラ等の撮像装置を備え、撮像した動画データを取込むインターフェースを備えると共に該動画の再生装置Ａ１２が接続される。更にクライアント端末Ａ１は、１００ＢＡＳＥ／ＴＸ等のネットワークカードからなるネットワークインターフェースを備えると共にネットワークルータ装置を備えてインターネットＮＥＴに接続可能なネットワーク通信装置を備えてなり、且つ、これら各ネットワーク用の装置によってインターネットＮＥＴと接続可能とさせる所謂ネットワークプログラムが用意され、ＷｅｂカメラＡ１１で撮像した動画データを、インターネットＮＥＴを経由して管理サーバＡ２へ送信可能である。尚、インターネットＮＥＴを経由して通信する手続は、ネットワーク通信装置を用いてｈｔｔｐプロトコル等に則って一般的に行われている手法によるので、この実施例では詳説せずにネットワークインターフェースを経由して送信すると表現する。尚、以後単にクライアント端末Ａ１と管理サーバＡ２との間で通信する場合には、ネットワークインターフェース、ネットワークルータ装置等のネットワーク通信装置を用いて所定のプロトコルに基づいた処理を演算処理手段が行ってインターネットＮＥＴ経由でデータ通信できるものとする。
【００７５】
更にクライアント端末Ａ１は、ＷｅｂカメラＡ１１で撮像された動画データ、或は、その他の撮像装置Ａ１２で撮像した動画データを再生装置が再生した動画データをインターネットＮＥＴを経由して管理サーバＡ２へ送信させる映像送出装置Ａ１３を備える。この映像送出装置Ａ１３は、実質的にクライアント端末Ａ１のパソコン本体によって構成され、ＣＰＵやメモリー、ハードディスク等によって実現される。そして、クライアント端末Ａ１にはＣＰＵが処理を実行するためのオペレーションシステムや、クライアント端末Ａ１がインターネットを経由して管理サーバＡ２と通信を行うためのＷＷＷブラウザ、ＷｅｂカメラＡ１１等によって撮像した動画データを送信するための動画データ記録プログラム等のアプリケーションプログラムが格納されており、夫々ＣＰＵが処理を実行する際にＲＯＭやＲＡＭ或はハードディスク等から読出されて処理される。
【００７６】
クライアント端末Ａ１の処理装置は、ＷｅｂカメラＡ１１或は再生装置Ａ２から動画データを得て該データを映像送出装置Ａ１３から管理サーバＡ２送信させる。該処理は、後に説明する一連のプログラム中において行われる。この処理装置は、ＣＰＵをはじめとするメモリー等のパソコンに備えられている各装置を用いる装置であり、ハードディスク装置の記憶領域の一部を含めて処理装置を構成する場合もあり、また、処理装置が行う各処理は、ハードディスク装置やＲＯＭ内に記憶されているプロクラムによって処理される。
このように構成するクライアント端末Ａ１では、ＷｅｂカメラＡ１１で撮像した動画データをインターネットＮＥＴを介してリアルタイムで管理サーバＡ２へ送信可能である。
【００７７】
更に、クライアント端末Ａ１の映像送出装置Ａ１３には、ＷｅｂカメラＡ１１等によって撮像した動画データを管理サーバＡ２に記録させるための要求を行う動画記録要求情報を送信可能な動画記録要求手段Ａ１４を備えると共に、動画記録要求情報を受領した管理サーバＡ２から送信される動画ＩＤ情報を受領する動画ＩＤ受領手段Ａ１５を備える。更に映像送出装置Ａ１３は、管理サーバＡ２との間で、インターネットＮＥＴを介して情報交換を行える動画登録手続手段Ａ１６を備える。
動画登録手続手段Ａ１６は、図４に表すように、クライアント端末Ａ１で管理サーバＡ２に動画データの登録を可能とするための手続等を行うものである。
【００７８】
そして、この手続に先立つ会員となる手続を行うために、映像送出装置Ａ１３には図３に表すような会員手続手段Ａ１７を有する。会員手続手段Ａ１７は、映像送出装置Ａ１３とは別に備えても良いが、映像送出装置Ａ１３が備える機能を利用することで会員手続手段Ａ１７を構成できるので、映像送出装置Ａ１３に備える。
更に映像送出装置Ａ１３は、動画データ送信手段Ａ１８を備える。動画データ送信手段Ａ１８は、図５に表すように、動画ＩＤ受領手段Ａ１５が受領した動画ＩＤ情報に対応させて管理サーバＡ２に記録させたい動画データを送信し、送信終了時には動画送信終了信号を管理サーバＡ２に対して送信するものであり、動画データ送信手段Ａ１８が送信した動画データは管理サーバＡ２によって動画ＩＤ情報に対応されて記憶されることとなり、更には管理サーバＡ２が動画ＩＤ情報と対応してＷｅｂページを自動生成するので該Ｗｅｂページに対応付けられて記録されることとなる。動画データ送信手段Ａ１８は、クライアント端末Ａ１の備えるネットワークインターフェースによってインターネットＮＥＴを経由して管理サーバＡ２へ動画データを送信する。
【００７９】
更に映像送出装置Ａ１３は、登録確認手段Ａ１９を有する。登録確認手段Ａ１９は、管理サーバＡ２に記録された動画データを、自動生成されたＷｅｂページを表示して動画データの登録を確認して承認する手段である。
上記のように、クライアント端末Ａ１は、ＷｅｂカメラＡ１１、再生装置Ａ１２、映像送出装置Ａ１３、動画記録要求手段Ａ１４、動画ＩＤ受領手段Ａ１５、動画登録手続手段Ａ１６、会員手続手段Ａ１７、動画データ送信手段Ａ１８、登録確認手段Ａ１９の各手段を備えることで、ＷｅｂカメラＡ１１にて撮像した動画データを動画ＩＤ情報に対応させて管理サーバＡ２に記録させることを可能としている。
【００８０】
次いで、クライアント端末Ａ１の各手段が動作するステップの詳細を説明する。
図３に表す会員手続手段Ａ１７が最も初めに行われる処理であり、クライアント端末Ａ１の映像送出装置Ａ１３によって実現される。会員手続手段Ａ１７は、会員登録を行うために会員登録ページ要求ステップＳ１を実行する。会員登録ページ要求ステップＳ１では、管理サーバＡ２が管理している会員登録のためのＷｅｂページを取得するステップであり、クライアント端末Ａ１に備えるインターネットＮＥＴを経由して通信するためのインターフェースやＷＷＷブラウザ等を動作させてディスプレイに表示させる。
尚、クライアント端末Ａ１の備えるディスプレイ等の詳細は、既に一般的に利用されているパソコンと同様の利用であり、またこれらへの表示等も一般的に使用されているオペレーションシステムであるＷｉｎｄｏｗｓ（登録商標）の仕様により行われるものであるので、特に詳説しない。
【００８１】
会員登録ページ要求ステップＳ１の実行は、通常のＷｅｂページ参照同様、管理サーバＡ２に設けた会員登録のＷｅｂページへアクセスすることで行うので、ＷＷＷブラウザによって制御されることとなるので、ディスプレイに表示されることとなる。
会員登録ページ要求ステップＳ１によってクライアント端末Ａ１に表示された該Ｗｅｂページに基づいてクライアント端末Ａ１の情報（即ち、クライアント端末Ａ１によって登録するクライアント端末Ａ１利用者の情報）を入力するのが、登録情報入力ステップＳ２である。登録情報入力ステップＳ２は、キーボードやマウスを用いてクライアント端末Ａ１の情報、例えば利用者の氏名、住所、生年月日、年齢、性別等の情報を会員登録ページの要求に沿って入力するステップである。また、会員情報には、クライアント端末Ａ１が登録しようとしている会員が、無料会員を希望しているか有料会員を希望していくかの会員種別の情報を含む。この有料会員、無料会員である会員種別の差異は、利用状況を制限したり、無料会員では後に説明する広告データを無料会員の記録した動画データに合成して合成動画データを提供し有料会員では有料会員の記録した動画データをそのまま提供する等であり、この会員種別を付けることで動画データを登録して提供しようとするクライアントを多数獲得できるようにしている。尚、この実施例では会員登録時に有料会員と無料会員とに種別を分け行うが、特に会員種別を設けずに会員登録を行うように構成してもよい。登録情報入力ステップＳ２における各情報の入力は、ＣＧＩ等の適宜手法を用いて行われるようにし、利用者は表示されているＷｅｂページ上で所定の情報の入力が行えるようにする。
【００８２】
登録情報入力ステップＳ２に続けては、登録情報送信ステップＳ３が実行される。登録情報送信ステップＳ３は、登録情報入力ステップＳ２において入力した情報を管理サーバＡ２へ送信するステップであり、クライアント端末Ａ１の備える演算処理装置、ネットワークインターフェース等により処理して送信可能である。
登録情報送信ステップＳ３によって送信された会員情報は、後に詳説するように管理サーバＡ２によって処理された後、会員としての会員ＩＤ情報、パスワード情報等の会員を特定可能な会員特定情報が送信されてくるので、登録情報送信ステップＳ３に続けては該会員特定情報を受領して表示可能な会員特定情報受領ステップＳ４が用意されている。この会員特定情報受領ステップＳ４は、クライアント端末Ａ１に備えるＷＷＷブラウザによって受領すると共にディスプレイに表示させるステップであり、詳細には会員特定情報が送信されてきたか否かを待ち受け、該情報を受領していない場合には該待ち受けを繰返し、該情報を受領した場合には次のステップを実行させる判断ステップと、判断ステップが該情報を受領したと判断した場合にディスプレイに表示させる表示ステップとからなる。
【００８３】
クライアント端末Ａ１は、上述のように会員手続手段Ａ１７によって会員登録を行うことで、動画データを管理サーバＡ２に登録させることが出来る。そしてクライアント端末Ａ１では、送信されてきた会員特定情報を記録しておき、以後、管理サーバＡ２から会員特定情報の要求があった場合に該情報を送信することが可能となる。この会員特定情報は、会員を特定可能な会員ＩＤおよびパスワードからなり（あるいはこれらを含み）、会員ＩＤはクライアント端末Ａ１に記録させておき、必要に応じ自動的に送信可能にしておいても良い。パスワードはクライアント端末Ａ１の利用者が正規の利用者であるか否かを判断するためにも、管理サーバＡ２から要求される都度、利用者によりキーボード等の入力手段から入力させる。
即ち、クライアント端末Ａ１が動画データを管理サーバＡ２へ記録させるには、図４および図５に表すように動画登録手続手段Ａ１６によって会員であることをサーバＡ２に確認させ、確認した後に動画記録要求手段Ａ１４、動画ＩＤ受領手続Ａ１５、動画データ送信手段Ａ１８によってＷｅｂカメラＡ１１によって撮像する動画データを管理サーバＡ２へ記録させる。
【００８４】
クライアント端末Ａ１が動画データを管理サーバＡ２へ記録させるために、動画登録手続手段Ａ１６によって動画データ登録を行うための手続を行う。
動画登録手続手段Ａ１６は、録画ページアクセスステップＳ５と、認証ページ受領表示ステップＳ６と、会員特定情報送信ステップＳ７と、認証確認受領ステップＳ８と、動画登録ページ要求ステップＳ９と、動画登録ページ受領表示ステップＳ１０とによって実行され、クライアント端末Ａ１に備えるインターネットＮＥＴを経由して通信するためのインターフェースやＷＷＷブラウザ等を動作させてディスプレイに表示させる等により実現する。
録画ページアクセスステップＳ５は、クライアント端末Ａ１が動画データを管理サーバＡ２へ記録させたい場合に最初に行われるステップであり、管理サーバＡ２に用意された動画データ記録用のＷｅｂページへのアクセスを行い、管理サーバＡ２に録画ページを要求するステップである。
【００８５】
録画ページアクセスステップＳ５に続いては認証ページ受領表示ステップＳ６が実行される。認証ページ受領表示ステップＳ６は、録画ページアクセスステップＳ５が行った動画データ記録用のＷｅｂページ要求によって管理サーバＡ２から送信されるＷｅｂページ情報を表示するステップであり、送信されたＷｅｂページの情報をクライアント端末Ａ１のインターフェースから取得し、演算処理装置がＷＷＷブラウザによって一般的に行われるＷｅｂページの表示を行う。この時管理サーバＡ２から送信されてくるＷｅｂページには、会員手続手段Ａ１７によって会員登録を行った際に得たクライアント端末Ａ１を特定するための会員ＩＤ情報やパスワード情報等の会員特定情報を入力可能なＷｅｂページが表示される。
【００８６】
認証ページ受領表示ステップＳ６に続いて会員特定情報送信ステップＳ７が実行される。会員特定情報送信ステップＳ７は、クライアント端末Ａ１利用者が認証ページ受領表示ステップＳ６で表示した情報に基づいてキーボードやマウス等の入力手段を用いて所定箇所に入力した会員特定情報を管理サーバＡ２へ送信するステップである。会員特定情報送信ステップＳ７で行われる入力は、ＣＧＩ等の適宜手法を用いて行われるので、利用者は表示されているＷｅｂページ上で所定の情報を入力して行えるようにする。
入力された会員特定情報はＷＷＷブラウザ等の処理により、演算処理装置がネットワークインターフェースを経由して管理サーバＡ２へ送信されることとなる。尚、送信された会員特定情報によって会員の認証が出来ない場合には、サーバＡ２からは認証が出来なかった旨の情報が受領されてくるので、クライアント端末Ａ１では会員手続手段Ａ１７で処理される登録情報入力ステップＳ２が再び実行され、動画登録手続手段Ａ１６の処理は中断される。
【００８７】
会員特定情報送信ステップＳ７によって送信された会員特定情報は管理サーバＡ２によって照合され、会員であった場合に送信される会員ページデータが送信されてくる。
クライアント端末Ａ１は、この情報を待って該会員ページデータを表示するため、認証確認受領ステップＳ８を実行する。認証確認受領ステップＳ８では、送信されてくる会員ページデータを受領すると共に該ページをディスプレイに表示させるステップである。
この認証確認受領ステップＳ８によって該会員ページがディスプレイに表示され、いよいよ動画データの登録が行える状態となる。認証確認受領ステップＳ８が終了することで動画登録手続手段Ａ１６による動画登録手続は終了する。
動画登録手続手段Ａ１６に続いて動画記録要求手段Ａ１４が実行されることとなる。動画記録要求手段Ａ１４は、動画登録ページ要求ステップＳ９および動画登録ページ受領表示ステップＳ１０並びに動画ＩＤ要求ステップＳ１１からなる各ステップの処理によって実現される。
【００８８】
動画登録ページ要求ステップＳ９は、認証確認受領ステップＳ８に続いて実行され、動画データの登録の許可を要求するためのステップである。動画登録ページ要求ステップＳ９では、利用者が入力装置であるマウスによって、認証確認受領ステップＳ８で表示されている所定箇所をクリックすることにより、該クリックされることを待ち受けると共にクリックされた際にはそれを認識して登録要求の情報である動画記録要求情報を管理サーバＡ２へ送信させるステップである。この動画登録ページ要求ステップＳ９によって動画記録要求情報がネットワークインターフェースを経由して管理サーバＡ２へ送信される。
【００８９】
次いで動画登録ページ受領表示ステップＳ１０が実行される。動画登録ページ受領表示ステップＳ１０では、管理サーバＡ２が動画登録ページ要求ステップＳ９による登録要求を受付けることでクライアント端末Ａ１へ送信するＷｅｂページ、即ち動画データの登録を行わせるための動画登録ページを受領すると共に表示するステップである。この動画登録ページ受領表示ステップＳ１０によって表示されるディスプレイ画面の例を図６に表す。図６に表すのは、動画登録ページ要求ステップＳ９によって要求した動画登録ページを受領して動画登録ページ受領表示ステップＳ１０が表示させた状態を表すＷｅｂページＰ１である。ＷｅｂページＰ１は、ディスプレイ上に、タイトルを表示するタイトル領域Ｐ１１と、動画登録に関するコメントやリンク等を表示するコメント表示領域Ｐ１２と、管理サーバＡ２へ登録させたい（ＷｅｂカメラＡ１１で撮像した）動画を表示する動画表示領域Ｐ１３とから構成する。動画表示領域Ｐ１３は、図７に拡大説明するように、実際の動画が表示される動画領域Ｐ１３ａの下方に操作領域Ｐ１３ｂが表示され、操作領域Ｐ１３ｂには、動画の記録を開始させる録画ボタンＰ１３ｃ、動画の再生を行わせる再生ボタンＰ１３ｄ、動画の録画或は再生を停止させる停止ボタンＰ１３ｅ、録画或は再生されている動画のタイムラインを表示するタイムライン表示Ｐ１３ｆ、および、動画再生時間を表示する時間表示Ｐ１３ｇを夫々設ける。そして操作領域Ｐ１３ｂに表示させる動画の記録を開始させる録画ボタンＰ１３ｃ、動画の再生を行わせる再生ボタンＰ１３ｄ、動画の録画或は再生を停止させる停止ボタンＰ１３ｅの各操作ボタンは、マウスによるクリックやキーボードによる選択・実行ボタンの押下により各操作を実行可能に構成され、タイムライン表示Ｐ１３ｆは、録画或は再生の経過時間と共に図中左から右方向へ自動的に移動して表示されると共に、動画再生中にはドラッグすることでカーソル位置を自由に移動可能であり移動箇所に相当する動画の再生が行われるように構成する。更に、動画登録ページ受領表示ステップＳ１０以降では、動画データの録画が行われるため、再生ボタンＰ１３ｄは利用できない状態にすると共に表示色を変える等して利用できない表示としておく。これらの各操作を行うための手法は、一般的なアプリケーションの実装方法となんら変わりが無いので、この実施例では詳説しない。
【００９０】
動画登録ページ受領表示ステップＳ１０に続いては、動画ＩＤ要求ステップＳ１１が実行される。動画ＩＤ要求ステップＳ１１は、クライアント端末Ａ１から管理サーバＡ２へ動画データ送信を行うに当り、会員手続手段Ａ１７による会員登録時にクライアント端末Ａ１が有料会員であるか無料会員であるかを判別させるために会員特定情報を再び送信すると共に、クライアント端末Ａ１から動画データを時間軸に於ける差分圧縮等を施した動画データとしてリアルタイムで送信可能とする動画データ送信用のプログラムを送信するよう要求するステップである。動画ＩＤ要求ステップＳ１１では会員特定情報を再び管理サーバＡ２へ送信するが、その際送信する会員特定情報は、先に動画登録手続手段Ａ１６の会員特定情報送信ステップＳ７において送信した際に入力した情報をクライアント端末Ａ１のＲＡＭに一時的に記憶させておき再びＲＡＭから読出して送信する。この時送信する会員特定情報は、管理サーバＡ２がクライアント端末Ａ１の会員種別を判断するための情報として送信するのであって、会員特定情報の全てではなく接続中のクライアント端末Ａ１を管理サーバＡ２が特定できる情報を送信することで、管理サーバＡ２側で会員についての情報を管理サーバＡ２自身が記録している情報と照合させるようにしてもよい。また、動画ＩＤ要求ステップＳ１１では、クライアント端末Ａ１から動画データをリアルタイムで送信可能等する動画データ送信用のプログラムを要求するが、該プログラムを予めクライアント端末Ａ１のハードディスク等に格納しておき、動画データを送信するときに該プログラムを起動して動画データを送信するようにしても良く、必ずしも動画ＩＤ要求ステップＳ１１で動画データ送信プログラムを要求しなくとも良い。
【００９１】
このように動画記録要求手段Ａ１４では、管理サーバＡ２に対して動画データの記録要求を行う動画記録要求情報を送信する。この動画データ記録要求に対して管理サーバＡ２は動画データを対応付けて記録するための動画ＩＤを自動生成してクライアント端末Ａ１へ送信する。従って、動画記録要求手段Ａ１４が送信する動画記録要求情報には、少なくとも動画データの記録を希望情報が含まれており、更にクライアント端末Ａ１が有料会員であるか否かを判別可能な会員情報が含まれている。
クライアント端末Ａ１では、動画ＩＤ要求ステップＳ１１に続いては動画ＩＤ受領手段Ａ１５を実行する動画ＩＤ受領ステップＳ１２によって、管理サーバＡ２へ要求した動画ＩＤ情報を待ち受ける。
即ち、動画ＩＤ受領ステップＳ１２では、管理サーバＡ２から送信される動画ＩＤ情報が送信されてくるのを待ち受けるため動画ＩＤ情報を受領するまでは受領の有無を判断するステップを繰返し、ネットワークインターフェースを経由して動画ＩＤ受領手段Ａ１５に情報が入力されると該入力を受けて、入力されて動画ＩＤ情報をＲＡＭ等に一時的に或はハードディスク等に長期的に保存する動画ＩＤ情報を保存するステップからなる。
【００９２】
また、動画ＩＤ受領ステップＳ１２では、後に管理サーバＡ２へ送信するＷｅｂカメラＡ１１によって撮像した動画データをインターネットを経由して良好に送信できるように加工するために動画ＩＤ要求ステップＳ１１で要求したプログラムを受領し、ＲＡＭ或はハードディスク等の記憶手段に記憶させておくと共に該プログラムを実行可能とさせるステップでもある。この受領したプログラムは後のステップＳ１７乃至ステップＳ１９の各ステップを実行する。尚、該プログラムは、予めクライアント端末Ａ１へ用意されていても良い。そして、動画ＩＤ情報を受領すると続けて動画データ送信手段Ａ１８が実行されることとなる。
動画データ送信手段Ａ１８は、ステップＳ１３乃至ステップＳ２４からなり、動画ＩＤ情報を受領することでＷｅｂカメラＡ１１に撮像させ、ＷｅｂカメラＡ１１が撮像した画像データを管理サーバＡ２へ送信すると共に画像データ送信の終了を告げる動画送信終了信号を送信するまでを行う。
【００９３】
動画ＩＤ受領ステップＳ１２が動画ＩＤ情報を受領したことで続けて実行されるステップは映像信号要求ステップＳ１３である。
映像信号要求ステップＳ１３は、外部インターフェースによって該ステップＳ１３を実行している演算処理手段と接続されたＷｅｂカメラＡ１１に対し、映像信号出力の開始をさせるステップである。従って映像信号要求ステップＳ１３では、ＷｅｂカメラＡ１１に映像信号を出力させるためにオペレーションシステムＯＳ上に用意されたＷｅｂカメラＡ１１操作や映像信号受領等の各作業をさせる。
クライアント端末Ａ１では、映像信号要求ステップＳ１３によってＷｅｂカメラＡ１１へ映像信号の出力をさせるので、ＷｅｂカメラＡ１１が作動して映像を撮像することとなる。そして撮像した映像はクライアント端末Ａ１のパソコン本体に外部インターフェースを経由して取込まれ、映像処理が行われる。
【００９４】
映像信号要求ステップＳ１３に続けてはカメラ映像表示ステップＳ１４が実行される。このカメラ映像表示ステップＳ１４は、動画データ送信手段Ａ１８が終了するまで続け垂れ、ＷｅｂカメラＡ１１から映像信号を入力するたびに該信号による映像をパソコン本体が標準的に備えているグラフィックスチップ等によってディスプレイへ表示させる。
カメラ映像表示ステップＳ１４が実行されると、続けて録画ボタン押下待受けステップＳ１５が実行される。録画ボタン押下待受けステップＳ１５は、予め定められた箇所、即ち、図７に表す録画ボタンＰ１３ｃをクリックする等して録画指示されたか否かを判断し、指示されるまで繰返し実行することで待受ける。そして録画ボタンＰ１３ｃがクリックされる等して指示された場合には続けて録画開始信号通知ステップＳ１６が実行される。
録画開始信号通知ステップＳ１６は、動画データの情報を送信する旨を通知する録画開始信号を送信すると共に動画ＩＤ受領ステップＳ１２によって受領した動画ＩＤ情報を管理サーバＡ２へ送信するステップである。尚、ここで送信する動画ＩＤ情報は、動画ＩＤ情報そのものでも良く、また、管理サーバＡ２が動画ＩＤ要求ステップＳ１１の要求により送信した動画ＩＤ情報を特定できる情報でも良く、クライアント端末Ａ１がこれから送信する動画データと動画ＩＤ受領ステップＳ１２で受領した（即ち、管理サーバＡ２がクライアント端末Ａ１へ送信した）動画ＩＤ情報とを管理サーバＡ２が関連付けられるデータであれば良い。この録画開始信号通知ステップＳ１６によって録画開始信号を管理サーバＡ２が受領して送信されてくる動画データを動画ＩＤ情報に関連付けて録画開始出来る。
【００９５】
録画開始信号通知ステップＳ１６に続けてバッファリングステップＳ１７が実行される。バッファリングステップＳ１７は、ＷｅｂカメラＡ１１から映像信号を受領して該映像信号をＲＡＭ或はハードディスク等の記憶領域に一時的に記憶させるステップである。
バッファリングステップＳ１７に続いて、データ圧縮ステップＳ１８が実行される。データ圧縮ステップＳ１８は、バッファリングステップＳ１７で一時的に記憶した映像信号を圧縮するステップであり、この実施例では時間軸差分圧縮によってインターネットＮＥＴを経由して管理サーバＡ２へ良好に送信できるデータ量としている。
データ圧縮ステップＳ１８に続いて動画データ送信ステップＳ１９が実行される。動画データ送信ステップＳ１９は、データ圧縮ステップＳ１８において圧縮した動画データをネットワーク通信装置によりインターネットＮＥＴを経由して管理サーバＡ２へ送信させるステップであり、クライアント端末Ａ１に備えるネットワークインターフェースを経由して送信させる。このとき送信する動画データに先立って動画データの送信を開始する送信開始情報を送信するようにしても良い。
【００９６】
この実施例においては、バッファリングステップＳ１７乃至動画データ送信ステップＳ１９によってＷｅｂカメラＡ１１が撮像した映像信号を、データ圧縮ステップＳ１８によって時間軸差分圧縮等を行い動画を構成するフレームデータとして管理サーバＡ２へ送信するよう構成するが、インターネットＮＥＴの転送レートが改善され大容量の情報を送信可能であったり動画を構成するフレームデータが小さい等の場合には圧縮せずに送信しても良い。
動画データ送信ステップＳ１９に続いては終了判断ステップＳ２０が実行される
終了判断ステップＳ２０は、動画データの送信を終了する終了ボタンが押下されたか否かを判断するステップであり、図７に表すディスプレイ上の停止ボタンＰ１３ｅがマウスによるクリック或はキーボードによる所定の選択・実行キーの押下によって録画終了の指示がなされたか否かを判断し、終了指示されなかった場合には続けて録画時間終了判断ステップＳ２１が実行され、終了指示がなされた場合は、続けて動画終了指示ステップＳ２２が実行される。
【００９７】
終了判断ステップＳ２０に続けて実行される録画時間終了判断ステップＳ２１は、予め動画データ記録システムで定められている動画データの上限時間を判断するステップであり、動画データ送信手段Ａ１８が備える動画データ送信ステップＳ１９で既に送信した動画データのトータル時間を積算する積算手段によって積算された送信済動画データの総時間が所定の上限時間を超えたか否かを判断し、未だ上限時間に到達していない場合には再びバッファリングステップＳ１７を実行させ、上限時間に到達した或は上限時間を超えてしまっている場合には続けて動画終了指示ステップＳ２２を実行させる。尚、録画時間終了判断ステップＳ２１は、管理サーバＡ２に何時間にも亙るような大きな動画データが送信されて来ることを防止するための判断ステップであり、必ずしも設けることはなく、録画時間終了判断ステップＳ２１を設けない場合には、動画データ送信ステップＳ１９で送信した動画データのトータル時間を積算する積算手段を動画データ送信手段Ａ１８に設けずとも良い。また、動画データ送信手段Ａ１８に設ける積算手段は、動画データ送信ステップＳ１９が送信したフレームデータ数をカウントすることで時間を換算可能であり、単にプラスカウントするカウンタによって構成する。
【００９８】
上記のようにバッファリングステップＳ１７乃至動画データ送信ステップＳ１９によって動画データを管理サーバＡ２へ送信すると、やがて送信を終了するためにクライアント端末Ａ１のディスプレイ表示上の停止ボタンＰ１３ｅがマウス或はキーボードによって押下され利用者による動画データの記録終了希望があるか、録画時間終了判断ステップＳ２１によって既に動画データの録画時間が予め定める時間を経過した場合には、動画終了指示ステップＳ２２が実行されることとなる。
動画終了指示ステップＳ２２は、管理サーバＡ２に対し動画データの記録を終了させる動画送信終了信号を送信するステップであり、ネットワークインターフェースからインターネットＮＥＴを経由して管理サーバＡ２へ動画送信終了信号を送信させる。この動画終了指示ステップＳ２２の指示により、クライアント端末Ａ１の演算処理手段は、ネットワークインターフェースから動画送信終了信号を送信する。管理サーバＡ２では、この動画送信終了信号を受領することでクライアント端末Ａ１から受領した動画データを動画ＩＤ情報に対応付けて記録する作業を終了する。
【００９９】
動画終了指示ステップＳ２２に続けて登録内容編集カテゴリ選択ステップＳ２３が実行される。登録内容編集カテゴリ選択ステップＳ２３は、この後管理サーバＡ２によって自動的に生成される登録された動画データを再生可能なＷｅｂページに関する情報を編集し、且つ、該動画データに関連付けさせるカテゴリを決定する入力ステップであり、所定の書式に従って複数のカテゴリ、例えば、『グルメ』、『コスメ』、『パソコン』等の複数のカテゴリをディスプレイに表示させると共に該カテゴリをマウスによるクリック或はキーボードによる選択・決定のキー入力により選択可能とする。登録内容編集カテゴリ選択ステップＳ２３で入力された情報は、ＲＡＭに一時的に記録される。
登録内容編集カテゴリ選択ステップＳ２３に続けて、登録内容送信ステップＳ２４が実行される。登録内容送信ステップＳ２４は、登録内容編集カテゴリ選択ステップＳ２３によって入力されたデータを管理サーバＡ２へ送信するステップであり、演算処理手段、ネットワーク通信装置等に送信させる。登録内容送信ステップＳ２４で送信させる情報は、登録内容編集カテゴリ選択ステップＳ２３で入力された情報に加え、動画ＩＤ受領ステップＳ１２で受領しＲＡＭ或はハードディスク等に記録された動画ＩＤ情報も合わせて送信し、管理サーバＡ２が該動画データに対応して生成するＷｅｂページに該動画ＩＤ情報を対応させて記録するので、管理サーバＡ２が自動生成したＷｅｂページを閲覧端末が閲覧した際には、該Ｗｅｂページに対応付けられた動画ＩＤ情報から動画データを特定して管理サーバＡ２が閲覧端末へＷｅｂページに対応した動画データを送信可能となる。尚、管理サーバＡ２が先に記録した動画データと対応付けられた動画ＩＤ情報を自身の記録から読取って、自動的に生成したＷｅｂページと動画ＩＤ情報とを対応付けるように構成した場合には、登録内容送信ステップＳ２４で動画ＩＤ情報を送信しなくとも良い。
【０１００】
クライアント端末Ａ１では、登録内容送信ステップＳ２４が終了することで、登録させる動画データおよびこれに関連させるデータの管理サーバＡ２への送信が終了する。
管理サーバＡ２では、これらの情報に基づいてクライアント端末Ａ１から受信した動画データを登録すると共に、該動画データを閲覧させるための動画Ｗｅｂページを自動的に作成する。そして、自動的に作成した動画Ｗｅｂページに関する情報が管理サーバＡ２からクライアント端末Ａ１へ送信されて来るので、クライアント端末Ａ１ではこの情報の受領を待受けることとなる。
即ち、クライアント端末Ａ１では登録確認手段Ａ１９が送信されてくる動画Ｗｅｂページに関するデータを待受け、最終的に登録される動画についての承認を管理サーバＡ２へ送信する。
詳細には、登録内容送信ステップＳ２４に続けて動画Ｗｅｂページ受領ステップＳ２５が実行される。動画Ｗｅｂページ受領ステップＳ２５は、判断ステップステップからなり、管理サーバＡ２から送信される動画Ｗｅｂページデータが送信されてきたか否かを判断するステップであり、動画Ｗｅｂページデータの入力が無ければ再び動画Ｗｅｂページ受領ステップＳ２５を繰返し、動画Ｗｅｂページデータの入力があると続けて動画Ｗｅｂページ表示ステップＳ２６が実行される。
【０１０１】
動画Ｗｅｂページ表示ステップＳ２６は、動画Ｗｅｂページ受領ステップＳ２５が動画Ｗｅｂページデータを受領したことで実行され、受領した動画Ｗｅｂページデータに基づいて動画Ｗｅｂページをディスプレイに表示させる。動画Ｗｅｂページ表示ステップＳ２６に続けては登録認証ステップＳ２７が実行される。
登録認証ステップＳ２７では、Ｗｅｂページ表示ステップＳ２６で表示されたＷｅｂページの表示内容をクライアント端末Ａ１利用者が確認した結果、マウスによる所定箇所のクリックやキーボードからの所定入力により認証する場合と認証しない場合の入力が行われるのを待受け、何れかの入力があった場合には続けて認証判断送信ステップＳ２８が実行され、入力が無い場合には、入力が有るまで繰返し登録認証ステップＳ２７を繰返す。登録認証ステップＳ２７では、入力された認証或は非認証の情報をバッファーに一時的に記憶しておく。
【０１０２】
そして、登録認証ステップＳ２７で認証或は非認証の何れかの入力があると、認証判断ステップＳ２８が実行される。認証判断ステップＳ２８では、登録認証ステップＳ２７で入力された情報、即ちＲＡＭに記憶された内容が認証であった場合には、管理サーバＡ２に対して登録認証情報を送信させる認証データ送信ステップＳ２９が実行され、非認証であった場合には、動画記録要求手段Ａ１４である動画登録ページ要求ステップＳ９以下を再び繰返させる。
認証判断ステップＳ２８で認証と判断された場合に実行される認証データ送信ステップＳ２９は、認証した旨の情報を管理サーバＡ２へ送信させるステップであり、登録認証情報を管理サーバＡ２へネットワークインターフェース等を作動させて管理サーバＡ２へ送信する。
この認証データ送信ステップＳ２９が実行されると、クライアント端末Ａ１による動画データの登録が終了する。
【０１０３】
次いで、クライアント端末Ａ１から送信される動画データを動画ＩＤ情報および動画Ｗｅｂページに対応させて記録すると共に、参照希望端末から記録されている動画データを参照希望された場合に該データを参照させる管理サーバＡ２を説明する。
管理サーバＡ２は、図１、図２乃至図５、並びに、図８に表すように、動画管理サーバＡ２１とＷｅｂページ管理サーバＡ２２とからなり、動画管理サーバＡ２１およびＷｅｂページ管理サーバＡ２２はそれぞれ外部インターフェース（図示せず）を介しＬＡＮによって情報交換可能に接続され、一方の演算処理装置によって指示された検索等の指令に対し他方の演算処理装置が動作可能であり、該指令に基づいて検索等の作業を行え、その結果を一方の演算処理装置へ出力可能に構成されている。この２つのサーバＡ２１およびＡ２２の接続は、ＬＡＮによって接続されるが、専用のプロトコル等を介さずに直接的に接続されても良く、また、インターネットＮＥＴによって情報交換可能に接続されていても良い。また、管理サーバＡ２は、１００ＢＡＳＥ／ＴＸ等のネットワークカードからなるネットワークインターフェースを備えると共にネットワークルータ装置を備えてインターネットＮＥＴに接続可能なネットワーク通信装置を備えてなり、且つ、これら各ネットワーク用の装置によってインターネットＮＥＴと接続可能とさせる所謂ネットワークプログラムが用意され、インターネットＮＥＴを経由して通信可能に構成される。そして管理サーバＡ２では、この通信を行うに際してはネットワーク通信装置を用い、予め定められた通信方法であるｈｔｔｐプロトコル等に則って一般的に行われている手法によってネットワークインターフェースを経由して通信可能である。そして、管理サーバＡ２に設けたネットワーク通信装置は、動画管理サーバＡ２１およびＷｅｂページ管理サーバＡ２２がクライアント端末Ａ１等の他の端末と通信する際に機能する。
【０１０４】
動画管理サーバＡ２１は、先に説明したクライアント端末Ａ１から受領する圧縮された動画データを解凍してエンコードするエンコード装置Ａ２１ａと、エンコードされた動画データを記録しておくハードディスク等の記録手段を有する動画記録装置Ａ２１ｂと、ＣＰＵ、ＲＡＭ等からなりこれら装置を制御する演算処理装置Ａ２１ｃと、動画管理サーバＡ２１を操作するためのマウスやキーボードからなる入出力装置とを備え、ネットワーク通信装置と接続されてインターネットＮＥＴを経由してクライアント端末Ａ１と通信可能に構成される。また、動画管理サーバＡ２１は、制御装置を用いてエンコード装置Ａ２１ａおよび動画記録装置Ａ２１ｂを制御するためのプログラムが予めハードディスクに記憶されており演算処理装置によって実行可能に構成される。更に動画管理サーバＡ２１では、ディスプレイやプリンタ等の出力装置を備えており、演算処理装置Ａ２１ｃの制御により、表示やプリントアウトが可能に構成される。更にまた、動画管理サーバＡ２１は、予め広告動画データを記録しておくための広告記録装置Ａ２１ｄと、広告記録装置Ａ２１ｄに記録されている動画の選択等を行い該動画をＷｅｂページ管理サーバＡ２２へ出力させる等の制御を行う広告管理装置Ａ２１ｅとを備える。更にまた、動画管理サーバＡ２１は、動画記録を希望するクライアント端末Ａ１が送信する動画記録要求情報を受領する記録要求受領装置Ａ２１ｆと、該記録要求受領装置Ａ２１ｆが動画記録要求情報を受領すると動画ＩＤ情報を生成する動画ＩＤ生成装置Ａ２１ｇと、動画ＩＤ生成装置Ａ２１ｇが生成した動画ＩＤ情報を動画記録要求情報を送信してきたクライアント端末Ａ１へ送信する動画ＩＤ送信装置Ａ２１ｈとを備える。
【０１０５】
そして動画管理サーバＡ２１では、図４に表すように、会員登録しているクライアント端末Ａ１から動画データの登録を希望する動画記録要求情報を受領する。該動画記録要求情報の受領は記録要求受領装置Ａ２１ｆによって行われ、記録要求受領装置Ａ２１ｆでは該情報を受領すると、該情報に含まれるクライアント端末Ａ１の会員情報に基づいて会員種別を判断すると共にクライアント端末Ａ１に対して記録希望する動画データを特定するための動画ＩＤ情報を自動生成して送信する。そして更には、クライアント端末Ａ１において動画データを時間軸に於ける差分圧縮等を施した動画データとしてリアルタイムで送信可能とする動画データ送信用のプログラムをクライアント端末Ａ１へ送信する。尚、クライアント端末Ａ１に該プログラムが予め用意されている場合には、動画データ送信プログラムを送信しない。
更に動画管理サーバＡ２１では、図５に表すように、クライアント端末Ａ１から送信されてくる動画データを受領して記録し、動画送信終了信号を受領することで該動画データの受領および記録を終了する。
【０１０６】
Ｗｅｂページ管理サーバＡ２２は、Ｗｅｂサーバの機能を備え閲覧希望端末からの参照希望により、閲覧希望端末との間でインターネットＮＥＴを介して通信し希望されたＷｅｂページを閲覧希望端末に閲覧させることが出来る。また、Ｗｅｂページ管理サーバＡ２２は、動画管理サーバＡ２１が記録した動画データに対応させて自動的にＷｅｂページを生成するＷｅｂページ生成装置Ａ２２ａと、Ｗｅｂページ生成装置Ａ２２ａが生成したＷｅｂページのデータを記録しておくＷｅｂページ記録装置Ａ２２ｂと、ＣＰＵ、ＲＡＭ等からなりこれら装置を制御する演算処理装置Ａ２２ｃと、Ｗｅｂページ生成装置Ａ２２を操作するためのマウスやキーボードからなる入出力装置とを備え、ネットワーク通信装置と接続されてインターネットＮＥＴを経由してクライアント端末Ａ１と通信可能に構成される。また、Ｗｅｂページ管理サーバＡ２２は、演算処理装置Ａ２２ｃを用いてＷｅｂページ生成装置Ａ２２ａおよびＷｅｂページ記録装置Ａ２２ｂを制御するためのプログラムが予めハードディスクに記憶されており算処理装置Ａ２２ｃによって実行可能に構成される。更にＷｅｂページ管理サーバＡ２２では、ディスプレイやプリンタ等の出力装置を備えており、演算処理装置Ａ２２ｃの制御により、表示やプリントアウトが可能に構成される。更にＷｅｂページ管理サーバＡ２２は、Ｗｅｂページ表示装置Ａ２２ｄおよび動画データ合成装置Ａ２２ｅを備える。
【０１０７】
動画データ合成装置Ａ２２ｅは、演算処理装置Ａ２２ｃの制御により参照希望端末Ａ３から受領する参照希望情報に基づいて参照させる動画データに広告記録装置Ａ２１ｄに記録されている広告動画データを合成して合成動画データを生成する。Ｗｅｂページ表示装置Ａ２２ｄは、演算処理装置Ａ２２ｃの制御によりＷｅｂページ記録装置Ａ２２ｂに記録されているＷｅｂページのデータを参照希望端末Ａ３から受領する参照希望情報に基づいて参照希望されたＷｅｂページと対応付けられた動画データあるいは該動画データと広告記録装置Ａ２１ｄに記録されている広告データとを合成した合成動画データを送出して参照させる。また、Ｗｅｂページ管理サーバＡ２２は、会員となるクライアント端末Ａ１の管理を行う会員登録管理装置Ａ２２ｆを備え、クライアント端末Ａ１の会員登録を受け付けると共に、登録された会員の情報を記録管理する。会員登録管理装置Ａ２２ｆにはクライアント端末Ａ１から受領する会員情報に対して判断等の各ステップにおける処理を行う処理手段を備えると共に会員情報を記録する記録手段を備える。尚、会員登録管理装置Ａ２２ｆが備える処理手段は実質的に演算処理装置Ａ２２ｃであり、記録手段も実質的にＷｅｂページ記録装置Ａ２２ｂであるが、演算処理装置Ａ２２ｃおよびＷｅｂページ記録装置Ａ２２ｂとは別個に設けても良い。更にＷｅｂページ管理サーバＡ２２は、参照希望端末Ａ３から受領する参照希望情報に基づいて参照希望されたＷｅｂページと対応付けられた動画データを演算処理装置Ａ２２ｃの制御により特定可能な動画データ特定装置Ａ２２ｇを備える。
【０１０８】
そしてＷｅｂページ管理サーバＡ２２では、クライアント端末Ａ１から送信された動画データと関連づけるＷｅｂページを自動生成し、該自動生成したＷｅｂページの情報であるＷｅｂページデータをクライアント端末Ａ１へ送信して通知する。
以下に管理サーバＡ２の各手段が動作するステップの詳細を説明する。
管理サーバＡ２では、図３に表すように、クライアント端末Ａ１が会員登録ページ要求ステップＳ１によって会員登録の要求がなされ会員登録のＷｅｂページ要求を会員登録管理装置Ａ２２ｆが受領すると該Ｗｅｂページをクライアント端末Ａ１に送信させる会員登録ページ送出ステップＳ３０が実行され、該要求に対して会員登録のＷｅｂページを送信する。該送信は、管理サーバＡ２が備えるネットワーク通信装置を作動して行われる。
会員登録ページ送出ステップＳ３０が送信した情報に基づき、クライアント端末Ａ１で行われる登録情報入力ステップＳ２および登録情報送信ステップＳ３によって送信された会員情報を会員登録管理装置Ａ２２ｆがネットワーク通信装置を介して受領すると、会員判断ステップＳ３１によってクライアント端末Ａ１の会員種別の判断がなされる。会員判断ステップＳ３１は、会員情報を判断するステップであり、クライアント端末Ａ１が有料会員を望んでいる会員情報であった場合には続けて有料会員ＩＤ発行ステップＳ３２が実行され、クライアント端末Ａ１が無料会員を望んでいる会員情報であった場合には、続けて無料会員ＩＤ発行ステップＳ３３が実行される。
【０１０９】
有料会員ＩＤ発行ステップＳ３２は、有料会員としてクライアント端末Ａ１を識別可能な該クライアント端末Ａ１特有の会員ＩＤを自動生成するステップである。有料会員ＩＤ発行ステップＳ３２では、会員特有の会員ＩＤを自動生成すると共に会員を識別するためのクライアント端末Ａ１特有のパスワードも自動生成する。従ってクライアント端末Ａ１は、会員ＩＤおよびパスワードの両方によって識別することができ、会員であるクライアント端末Ａ１から情報を送信する際に会員を認証する際には、クライアント端末Ａ１から会員ＩＤおよびパスワードを送信させて認証することができる。
無料会員ＩＤ発行ステップＳ３３は、無料会員としてクライアント端末Ａ１を識別可能な該クライアント端末Ａ１特有の会員ＩＤを自動生成するステップである。無料会員ＩＤ発行ステップＳ３３では、有料会員ＩＤ発行ステップＳ３２同様にクライアント端末Ａ１特有のパスワードも自動生成する。従ってクライアント端末Ａ１は、会員ＩＤおよびパスワードの両方によって識別することができ、会員であるクライアント端末Ａ１から情報を送信する際に会員を認証する際には、クライアント端末Ａ１から会員ＩＤおよびパスワードを送信させて認証することができる。
【０１１０】
有料会員ＩＤ発行ステップＳ３２あるいは無料会員ＩＤ発行ステップＳ３３に続けては会員情報保管ステップＳ３４が実行される。
会員情報保管ステップＳ３４は、有料会員ＩＤ発行ステップＳ３２あるいは無料会員ＩＤ発行ステップＳ３３で生成された会員ＩＤにパスワードを関連付けて記録するステップである。
尚、有料会員ＩＤ発行ステップＳ３２あるいは無料会員ＩＤ発行ステップＳ３３において生成されるパスワードに関しては、この実施例では有料会員ＩＤ発行ステップＳ３２あるいは無料会員ＩＤ発行ステップＳ３３が自動生成したが、クライアント端末Ａ１に登録情報入力ステップＳ２で任意のパスワードを入力させ登録情報送信ステップＳ３が送信するように構成し、該パスワードを会員登録管理装置Ａ２２ｆが受領し会員情報保管ステップＳ３４が自動生成した会員ＩＤと対応付けて保管するように構成しても良い。
会員情報保管ステップＳ３４に続けては会員ＩＤ送信ステップＳ３５が実行される。会員ＩＤ送信ステップＳ３５は、会員情報保管ステップＳ３４に記録した会員ＩＤおよびパスワードをクライアント端末Ａ１へ送信するステップである。クライアント端末Ａ１ではこの送信される情報を会員特定情報受領ステップＳ４が受領し表示することとなる。
【０１１１】
会員登録管理装置Ａ２２ｆでは会員登録希望のクライアント端末Ａ１を有料会員あるいは無料会員として登録する。尚、登録会員は有料会員と無料会員とを区別せずに登録しても良く、この場合には会員判断ステップＳ３１および無料会員ＩＤ発行ステップＳ３３を設けず、有料会員ＩＤ発行ステップＳ３２を会員ＩＤ発行ステップＳ３２として設ければ足りる。
このように登録された会員であるクライアント端末Ａ１が管理サーバＡ２に動画データを記録する場合には、管理サーバＡ２では動画管理サーバＡ２１およびＷｅｂページ管理サーバＡ２２が各ステップをそれぞれに設ける演算処理装置Ａ２１ｃおよび演算処理装置Ａ２２ｃで実行することにより動画データの記録等を行う。
即ち、図４に表すように、クライアント端末Ａ１の動画登録手続き手段Ａ１６が管理サーバＡ２に用意された動画データ記録用のＷｅｂページへのアクセスを行い録画ページを要求すると、Ｗｅｂページ管理サーバＡ２２では自身に予め記録されている録画ページの情報をクライアント端末Ａ１へ送信するために録画ページ送信ステップＳ３６が実行される。録画ページ送信ステップＳ３６は、クライアント端末Ａ１で実行された録画ページアクセスステップＳ５の要求を受領し、該要求に基づいてＷｅｂページ記録装置Ａ２２ｂに予め記録されている録画ページの情報をネットワーク通信装置によってクライアント端末Ａ１へ送信するステップである。
【０１１２】
録画ページ送信ステップＳ３６が録画ページの情報を送信したことでクライアント端末Ａ１の動画登録手続き手段Ａ１６で会員特定情報送信ステップＳ７が実行されることとなる。そして会員特定情報送信ステップＳ７が送信した会員特定情報は、登録会員判断ステップＳ３７によって判断されることとなる。このとき会員特定情報送信ステップＳ７で送信される会員特定情報は、先に会員登録管理装置Ａ２２ｆがクライアント端末Ａ１へ送信した会員ＩＤおよびパスワード等である。
登録会員判断ステップＳ３７は、送信されてきた会員特定情報の会員ＩＤとパスワードとの照合および会員種別の特定を、会員登録管理装置Ａ２２ｆへ記録されている会員ＩＤおよびパスワードとの照合によって行うと共に会員ＩＤに関連づけて記録されている会員種別を照会して会員を特定するステップである。登録会員判断ステップＳ３７では、会員ＩＤとパスワードとの照合の結果、登録会員であり且つ正規の利用者であることが確認されると続けて会員ページデータ送信ステップＳ３８が実行され、会員ＩＤおよびパスワードのいずれか一方が違っている等して会員登録されたクライアント端末Ａ１でないかあるいは正規の利用者でないかした場合には、会員登録ページ送出ステップＳ３０以下を再び実行させる。
【０１１３】
送信されてきた会員特定情報によって会員であり正規の利用者であることが確認されて実行される会員ページデータ送信ステップＳ３８は、会員ページデータを送信するステップである。このステップで送信される会員ページデータは、会員ＩＤや会員種別、会員の氏名や住所等の会員固有情報を表示させるＷｅｂページのデータであり、予めＷｅｂページ記録装置Ａ２２ｂに記録されている会員ページの表示形式の所定箇所に会員特有の情報を当て嵌めてＷｅｂページを構成し、該Ｗｅｂページをクライアント端末Ａ１に表示させる。クライアント端末Ａ１では、該Ｗｅｂページを表示することで自身の確認を行い次の動画登録の手続きへと進むこととなる。
そして、クライアント端末Ａ１が動画記録要求手段Ａ１４によって動画データの記録を要求すると、クライアント端末Ａ１からは動画登録ページ要求ステップＳ９によって動画データの登録許可の要求がなされると、該要求の情報をＷｅｂページ管理サーバＡ２２では受領する。この時Ｗｅｂページ管理サーバＡ２２では登録ページ送信ステップＳ３９が実行される。
【０１１４】
登録ページ送信ステップＳ３９は、Ｗｅｂページ記録装置Ａ２２ｂに予め記録されている動画データを登録する際の動画登録ページのデータを送信するステップであり、該ステップＳ３９によって送信された情報に基づいてクライアント端末Ａ１のディスプレイ装置で表示した状態がＷｅｂページＰ１である。
クライアント端末Ａ１が動画登録手続き手段Ａ１６を終了し動画記録要求手段Ａ１４によって動画記録の要求を行うと、管理サーバＡ２では、動画管理サーバＡ２１が該要求に対応する。動画管理サーバＡ２１では、クライアント端末Ａ１で実行される動画ＩＤ要求ステップＳ１１によって、会員特定情報を再び送信すると共にクライアント端末Ａ１から動画データを時間軸に於ける差分圧縮等を施した動画データとしてリアルタイムで送信可能とする動画データ送信用のプログラムを送信するよう要求する動画記録要求情報を受領する。該情報の受領は動画管理サーバＡ２１では記録要求受領装置Ａ２１ｆで行われ、該情報に含まれるクライアント端末Ａ１の会員情報に基づいて会員種別を判断すると共にクライアント端末Ａ１に対して記録希望する動画データを特定するための動画ＩＤ情報を自動生成して送信する。
【０１１５】
即ち、記録要求受領装置Ａ２１によってステップＳ４０乃至Ｓ４３が実行されることとなる。ステップＳ４０は会員種別判断ステップであり、会員種別判断ステップＳ４０ではクライアント端末Ａ１から受領された会員ＩＤによって会員登録装置Ａ２２ｆに記録されている会員情報を検索し、該会員ＩＤに関連付けて記録されている会員種別が有料会員であった場合には、続けて有料会員動画ＩＤ生成ステップＳ４１が実行され、会員種別が無料会員であった場合には、続けて無料会員動画ＩＤ発行ステップＳ４２が実行される。
会員情報が有料会員であった場合に実行される有料会員動画ＩＤ発行ステップＳ４１は、これから記録する動画データを特定可能であると共に動画データが有料会員の動画であることを識別可能とする動画ＩＤ情報（有料動画ＩＤ情報）を生成する。この時生成する動画ＩＤ情報は、例えば先頭が有料会員の動画ＩＤであることを表すアルファベットの「Ｃ」であり以下数字からなる全１０桁のＩＤとし、ＩＤは有料会員動画ＩＤ発行ステップＳ４１で発行するたびに１ずつ加算した新たなＩＤが生成されるようにする等して、有料会員動画ＩＤ発行ステップＳ４１で生成される動画ＩＤ情報は常に異なるものが生成されるようにする。尚、無料会員の動画ＩＤであることを表す場合には、動画ＩＤの先頭を「Ｆ」とした全１０桁によって表す。
【０１１６】
会員情報が無料会員であった場合に実行される無料会員動画ＩＤ発行ステップＳ４２は、これから記録する動画データを特定可能であると共に動画データが無料会員の動画であることを識別可能とする動画ＩＤ情報（無料動画ＩＤ情報）を生成する。この時生成する動画ＩＤ情報は、例えば先頭が無料会員の動画ＩＤであることを表すアルファベットの「Ｆ」であり以下数字からなる全１０桁のＩＤとし、ＩＤは無料会員動画ＩＤ発行ステップＳ４２で発行するたびに１ずつ加算した新たなＩＤが生成されるようにする等して、無料会員動画ＩＤ発行ステップＳ４２で生成される動画ＩＤ情報は常に異なるものが生成されるようにする。
上述の有料会員動画ＩＤ発行ステップＳ４１および無料会員動画ＩＤ発行ステップＳ４２が動画ＩＤ生成ステップが構成すると共に、これらステップを実現している演算処理装置装置Ａ２１ｃが動画ＩＤ生成装置Ａ２１ｇを構成している。
【０１１７】
尚、特にことわらない限り、動画管理サーバＡ２１において実行される各ステップは演算処理装置装置Ａ２１ｃによって実行され、夫々を実行する演算処理装置装置Ａ２１ｃ等は演算処理装置装置Ａ２１ｃが構成している。
有料会員動画ＩＤ発行ステップＳ４１あるいは無料会員動画ＩＤ発行ステップＳ４２に続けては動画ＩＤ送信ステップＳ４３が実行される。
動画ＩＤ送信ステップＳ４３は、動画ＩＤ生成装置Ａ２１ｇで自動生成された動画ＩＤ情報をクライアント端末Ａ１へ送信するステップであり、管理サーバＡ２が備えるネットワーク通信装置によって送信する。この時送信する情報は、動画ＩＤ情報に加え、動画ＩＤ要求ステップＳ１１が送信要求した動画データ送信用プログラムも送信する。該プログラムは、動画管理サーバＡ２１に予め記録されており、クライアント端末Ａ１からの要求によってネットワーク通信装置によって送信する。勿論、動画データを時間軸に於ける差分圧縮等を施した動画データとしてリアルタイムで送信可能とする動画データ送信用のプログラムを予め各会員に配布し、クライアント端末Ａ１に既に用意されている場合には、該プログラムの送信は行わない。
【０１１８】
尚、動画ＩＤ生成装置Ａ２１ｇで生成する動画ＩＤ情報は、クライアント端末Ａ１が複数の動画ＩＤ情報を持つ場合もあるので、各クライアント端末Ａ１毎にクライアント端末Ａ１を識別可能なように、例えば、クライアント端末Ａ１毎に作成される会員ＩＤ情報に続けて会員種別を表す情報を付加し更に何番目の動画であるかを識別可能な数字を付加して構成する等しても良く、この場合には動画ＩＤ情報のみで、会員であるクライアント端末Ａ１の特定、および、有料会員・無料会員の識別、並びに、記録されている動画の特定が可能となる。
動画ＩＤ生成装置Ａ２１ｇが動画ＩＤ情報を生成して送信すると、クライアント端末Ａ１の動画ＩＤ受領手段Ａ１５が該動画ＩＤ情報を受領し動画データ送信手段Ａ１８による処理がなされ、動画ＩＤ受領ステップＳ１２乃至録画開始信号通知ステップＳ１６が順次実行される。管理サーバＡ２では録画開始信号通知ステップＳ１６によって動画データの情報を送信する旨を通知する録画開始信号が送信されると共に動画ＩＤ受領ステップＳ１２によって受領した動画ＩＤ情報が送信されてくるので、動画管理サーバＡ２１では該情報を受領する。
【０１１９】
即ち、動画管理サーバＡ２１では録画開始信号受領ステップＳ４４が動画ＩＤ送信ステップＳ４３の実行以後、録画開始信号と動画ＩＤ情報の受領を待受けており、録画開始信号および動画ＩＤ情報を受領すると動画ＩＤ情報をＲＡＭ等に一時的に記憶させておき、続けてを受領すると続けてプログラムモード設定ステップＳ４５が実行される。このプログラムモード設定ステップＳ４５以下はエンコード装置Ａ２１ａによって実行されることとなる。
プログラムモード設定ステップＳ４５は、これから送信されてくる動画データを解凍するように動画処理プログラムのモードを自動的に切り替えるステップである。このプログラムモード設定ステップＳ４５は、クライアント端末Ａ１で動画の画像データを圧縮して動画データとするプログラムが圧縮モードと解凍モードとを有しており、クライアント端末Ａ１では通信速度の確保等のために時系列差分圧縮された画像データを送信してくるので、動画管理サーバＡ２１でも同プログラムを使用して圧縮された動画データを解凍するために解凍モードに切り替えるが、予め解凍専用のプログラムを用いる場合にはこのステップＳ４５を実行せずに続く動画録画開始ステップＳ４６においてプログラムモード設定ステップＳ４５において該解凍専用プログラムを実行すればよい。
【０１２０】
プログラムモード設定ステップＳ４５に続いて動画録画開始ステップＳ４６が実行される。動画録画開始ステップＳ４６では、解凍モードに切り替わった動画処理プログラムを実行するステップであり、動画データを解凍してエンコードすることが可能となる。
そして、動画録画開始ステップＳ４６に続けてはクライアント端末Ａ１から動画が送信されてくるのを待受け、且つ解凍する動画待受け解凍ステップＳ４７が実行される。動画待受け解凍ステップＳ４７は、クライアント端末Ａ１の動画データ送信ステップＳ１９から送信されてくる動画データを待受け、クライアント端末Ａ１から動画データが送信されると圧縮されている該データを解凍する。具体的には、ネットワーク通信装置を経由して受領した動画データを一時的にＲＡＭ（或はハードディスク等の記憶装置）に記憶しておく。次いで記憶した動画データを解凍プログラムによって解凍し再びＲＡＭに一時的に記憶しておく。これらの処理は一般的にパソコン等で行われている動画データの解凍と同様の手順で行われれば良く、特に制限されるものではない。そして動画待受け解凍ステップＳ４７に続いてエンコードステップＳ４８が実行される。
【０１２１】
エンコードステップＳ４８は、解凍され一時的に記憶されている動画データをエンコード装置Ａ２１ａが備えるエンコーダによってエンコードする。そして、エンコードした動画データはハードディスク等の記録手段に記憶しておく。次いで動画データ終了判断ステップＳ４９が実行される。
動画データ終了判断ステップＳ４９は、クライアント端末Ａ１の動画データ送信手段Ａ１８で実行される動画終了指示ステップＳ２２から動画送信終了信号の受領があったか否かを判断するステップであり、動画送信終了信号の受領があった場合には続けて動画録画終了ステップＳ５０を実行し、受領がなかった場合には再び動画待受け解凍ステップＳ４７が実行される。
従ってエンコード装置Ａ２１ａでは、動画待受け解凍ステップＳ４７において送信されてきた圧縮されている動画データを解凍し、次いでエンコードステップＳ４８で解凍した動画データをエンコードする作業が順次送信されて来る動画データに対して行われ、動画データの送信が終了したことを知らせる動画送信終了信号を受領するまで順次作業を行うことで一連の動画データが解凍・エンコードされることとなる。
【０１２２】
動画データ終了判断ステップＳ４９に続いて実行される動画録画終了ステップＳ５０は、解凍・エンコードされた動画データの記録を終了し、一連の記録された動画データを１つの動画データとして記録するステップであり、動画記録装置Ａ２１ｂに記録する。動画録画終了ステップＳ５０に続いては動画保管ステップＳ５１が実行される。
動画保管ステップＳ５１は、録画開始ステップＳ４４にて録画開始信号と共に受領取得した一時的に記憶させておいた動画ＩＤ情報を、動画録画終了ステップＳ５０で保存した動画データに対応させて動画記録装置Ａ２１ｂへ記録させるテップである。
従って、圧縮・エンコードされた動画データは、動画録画終了ステップＳ５０および動画保管ステップＳ５１によって、動画データを特定するための動画ＩＤ情報と関連付けて動画記録装置Ａ２１ｂに記録されることとなる。
上記のように、クライアント端末Ａ１から送信される動画データは、録画開始信号受領ステップＳ４４乃至動画保管ステップＳ５１によって動画管理サーバＡ２１の動画記録装置Ａ２１ｂへ動画ＩＤ情報と対応付けられて記録される。
また管理サーバＡ２では、図２（ａ）、図４に表すように、クライアント端末Ａ１が動画データの送信を終了した後に登録内容送信ステップＳ２４から登録内容情報およびカテゴリ情報並びに動画ＩＤ情報が送信されるので、この情報をＷｅｂページ管理サーバＡ２２のＷｅｂページ生成装置Ａ２２ａが受領する。そして、管理サーバＡ２は、このＷｅｂページ生成装置Ａ２２ａによってカテゴリ受領ステップＳ５２以下の各ステップが、動画記録装置Ａ２１ｂに記録された動画と対応付ける動画Ｗｅｂページの自動生成を行う。
Ｗｅｂページ管理サーバＡ２２では、演算処理装置装置Ａ２２ｃによって各ステップが実行され、またクライアント端末Ａ１等からインターネットＮＥＴを介して送信されてくる情報はネットワーク通信装置によって送受信する。
以下、動画データに対応付けた動画Ｗｅｂページの生成および記録までの詳細を説明する。
Ｗｅｂページ生成装置Ａ２２ａでは、登録内容送信ステップＳ２４から送信されてくる情報を待受けるカテゴリ受領ステップＳ５２が、動画管理サーバＡ２１への動画データ登録終了後に実行されており、常に登録内容送信ステップＳ２４から送信されてきたかを見ており、登録内容送信ステップＳ２４から送信される情報は、ネットワーク通信装置を介して受領する。
カテゴリ受領ステップＳ５２は、登録内容送信ステップＳ２４から登録内容情報およびカテゴリ情報並びに動画ＩＤ情報が送信されて来た否かを監視し、送信されてきた場合には、次いでカテゴリ情報受領保管ステップＳ５３が実行される。
カテゴリ情報受領保管ステップＳ５３は、登録内容送信ステップＳ２４から送信された登録内容情報およびカテゴリ情報並びに動画ＩＤ情報を受領して動画ＩＤ情報に対応付けた状態でＷｅｂページ記録装置Ａ２２ｂへ記録するステップである。従って、送信されてきた情報は動画ＩＤ情報に対応付けられているので、動画記録装置Ａ２１ｂに動画ＩＤ情報と対応付けられ記録されている動画データとも常に動画ＩＤ情報に基づいて対応付けられている。
【０１２３】
カテゴリ情報受領保管ステップＳ５３に続けてＷｅｂページ生成ステップＳ５４が実行される。Ｗｅｂページ生成ステップＳ５４は、カテゴリ情報受領保管ステップＳ５３で記録した動画ＩＤ情報に対応付けて動画Ｗｅｂページを生成するステップである。Ｗｅｂページ生成ステップＳ５４による動画ＩＤ情報に関連付けた動画Ｗｅｂページの生成は、Ｗｅｂページ管理サーバＡ２２自身が閲覧させることが出来る動画Ｗｅｂページを順次生成し、該Ｗｅｂページを動画ＩＤ情報と関連付ける。これにより、閲覧希望端末がＷｅｂページ管理サーバＡ２２へ動画ＩＤ情報と関連付けられた動画Ｗｅｂページの閲覧希望をすると、該端末との間で通信を行い閲覧希望された動画Ｗｅｂページの閲覧を可能としている。そして、閲覧される動画Ｗｅｂページには、動画ＩＤ情報と関連付けられた動画データを再生可能とさせるため、ＣＧＩ等の手法により該端末に表示された該Ｗｅｂページの所定箇所をマウスでクリック等することで該動画データを通信によって送信して動画再生できるように対応付けられている。
Ｗｅｂページ生成ステップＳ５４に続けてはＷｅｂページ送信ステップＳ５５が実行される。Ｗｅｂページ送信ステップＳ５５は、Ｗｅｂページ生成ステップＳ５４で生成された動画Ｗｅｂページを動画データ記録請求を行ったクライアント端末Ａ１へ送信するステップであり、ネットワーク通信装置によって送信する。
従ってＷｅｂページ送信ステップＳ５５から動画Ｗｅｂページの情報を受領したクライアント端末Ａ１では、登録確認手段Ａ１９が動画Ｗｅｂページ表示ステップＳ２６によって動画Ｗｅｂページを表示させ、認証データ送信ステップＳ２９によって登録認証情報を送信することとなる。
【０１２４】
この登録認証情報を受領するためにＷｅｂページ管理サーバＡ２２では、Ｗｅｂページ記録装置Ａ２２ｂが登録認証情報を待ち受けて動画Ｗｅｂページを記録するので、Ｗｅｂページ送信ステップＳ５５の後、Ｗｅｂページ記録装置Ａ２２ｂが動画Ｗｅｂページ記録ステップＳ５６を実行し登録認証情報の待ち受けを行う。勿論、動画Ｗｅｂページ記録ステップＳ５６の実行はＷｅｂページ送信ステップＳ５５以前から実行されて待受けていても良い。
Ｗｅｂページ記録ステップＳ５６は、登録認証情報の受領を受領するとＷｅｂページ生成装置Ａ２２ａで生成された動画ＷｅｂページをＷｅｂページ生成装置Ａ２２ａでクライアント端末Ａ１から受領した動画ＩＤ情報と関連付けて記録するステップである。
上述のように、クライアント端末Ａ１から送信された動画データは、動画ＩＤ生成装置Ａ２１ｇが生成した動画ＩＤ情報と関連付けられて動画管理サーバＡ２１の動画記録装置Ａ２１ｂによって記録されており、且つ、Ｗｅｂページ生成装置Ａ２２ａが生成した動画Ｗｅｂページは動画ＩＤ情報と対応付けて記録されることとなる。
そして、このように動画ＩＤ情報と対応付けられた動画データは、該動画ＩＤ情報が対応付けられたＷｅｂページの閲覧希望があった場合に、同Ｗｅｂページを閲覧しながら対応付けられた動画データを再生可能となるのである。
【０１２５】
管理サーバＡ２１に対して動画Ｗｅｂページの参照希望があった場合には、図８に表すように、管理サーバＡ２１において参照希望された動画が有料会員によって記録された動画データか無料会員によって記録された動画データであるかを判別し、参照希望した参照希望端末Ａ３に参照させる。
即ち、参照希望する参照希望端末Ａ３は、図１および図８に表すように、パソコンからなるネットワーク端末であり、パソコンに通常備えられているＲＯＭやＲＡＭおよびＣＰＵを含む演算処理装置を備えると共に外部インターフェースが設けられている所謂一般的なパソコンの構成であり、データを記録可能なハードディスク等の記録装置を備え、パソコン本体と接続して入出力を行うキーボードやマウス等の入力装置、プリンタ等の出力装置の各装置が外部インターフェースを介してパソコン本体と接続されている。
また、参照希望端末Ａ３は、インターネットＮＥＴに接続可能なネットワーク通信装置を備えてなり、且つ、これら各ネットワーク用の装置によってインターネットＮＥＴと接続可能とさせる所謂ネットワークプログラムが用意され、インターネットＮＥＴを経由してＷｅｂページの参照が可能に構成されている。尚、インターネットＮＥＴを経由して通信する手続は、ネットワーク通信装置を用いてｈｔｔｐプロトコル等に則って一般的に行われている手法によるので、この実施例では詳説せずにネットワーク通信装置を経由して送信すると表現する。以後単に参照希望端末Ａ３と管理サーバＡ２との間で通信する場合には、ネットワーク通信装置を用いて所定のプロトコルに基づいた処理を演算処理手段が行ってインターネットＮＥＴ経由でデータ通信できるものとする。
【０１２６】
更に参照希望端末Ａ３は、ＣＰＵが処理を実行するためのオペレーションシステムや、参照希望端末Ａ３がインターネットを経由して管理サーバＡ２と通信を行うためのＷＷＷブラウザ、動画データを再生してディスプレイ等の表示装置に表示可能な動画データ再生プログラム等のアプリケーションプログラムが格納されており、夫々ＣＰＵが処理を実行する際にＲＯＭやＲＡＭ或はハードディスク等から読出されて処理される。
参照希望端末Ａ３の処理装置は、所望のＷｅｂページを参照し該Ｗｅｂページと対応付けられた管理サーバＡ２１から動画データを得て該データをディスプレイ等の表示装置に表示する。
そして、参照希望端末Ａ３には、動画Ｗｅｂページの参照を希望する参照希望情報をネットワーク通信装置を通じて送信可能な参照希望送信装置Ａ３１と、管理サーバＡ２と通信することで動画データを受領して表示可能な動画再生手段Ａ３２を具備している。
参照希望送信装置Ａ３１は、図８に表すように、動画Ｗｅｂページ要求ステップＳ５７乃至カテゴリ情報表示ステップＳ６１を実行可能に構成され、演算処理装置によって実行されネットワーク通信装置やディスプレイ等を利用し各ステップが実行される。
参照希望送端末Ａ３が動画Ｗｅｂページを参照して動画データを表示するために、動画Ｗｅｂページを要求する参照希望情報を送信する。この参照希望情報の送信は、ＵＲＬ送信ステップＳ５７によって行われる。
【０１２７】
ＵＲＬ送信ステップＳ５７は、キーボード等から参照希望するＷｅｂページのＵＲＬを指定してＷＷＷブラウザによって該Ｗｅｂページの表示希望を行う。この参照希望情報の送信は、インターネットＮＥＴのＷｅｂページを参照するために行われている一般的な方法によって行われ、ＷＷＷブラウザソフトを起動させた後、所定箇所にＵＲＬアドレスを指定してネットワーク通信装置によっておこなわせる。
ＵＲＬ送信ステップＳ５７によって送信されたＵＲＬアドレスのＷｅｂサーバである管理サーバＡ２では、Ｗｅｂページ管理サーバＡ２が該情報を受領し、該当するＷｅｂページの情報を表示させるべく該情報を参照希望端末Ａ３へ送信する。この時送信される情報は参照希望されたＷｅｂページに対応して記録された動画ＩＤ情報に基づいて、該動画ＩＤ情報に関連付けて記録されているカテゴリ情報および動画ＩＤ情報をも送信する。
参照希望端末Ａ３では、ネットワーク通信装置を介して通信された該Ｗｅｂページ情報等を演算処理装置が動画Ｗｅｂページ情報受領ステップＳ５８を実行することで記録装置等を作動させて受領する。
動画Ｗｅｂページ情報受領ステップＳ５８は、ＷＷＷブラウザにより実行され動画Ｗｅｂページの画面を表示する情報を受領するステップである。
【０１２８】
動画Ｗｅｂページ情報受領ステップＳ５８では、送信されてきた動画Ｗｅｂページ情報および動画ＩＤ情報並びにカテゴリ情報を参照希望端末Ａ３に備えるＲＡＭ或はハードディスク等の記録装置に一時的に記録しておく。
動画Ｗｅｂページ情報受領ステップＳ５８に続けて動画再生プログラム要求ステップＳ５９が実行される。
動画再生プログラム要求ステップＳ５９は、動画Ｗｅｂページに対応付けて記憶されている動画データを再生するための動画プレーヤプログラムを、管理サーバＡ２へ送信要求するステップである。動画再生プログラム要求ステップＳ５９は、参照希望端末Ａ３が管理サーバＡ２に記録されている動画データを再生するに当たり、動画ＩＤ要求ステップＳ１１同様、管理サーバＡ２から動画データを時間軸に於ける差分圧縮等を施した動画データとしてリアルタイムで受領可能とする動画データ受信用のプログラムを送信するよう管理サーバＡ２に要求するステップである。動画再生プログラム要求ステップＳ５９では、参照希望端末Ａ３から動画データをリアルタイムで受領可能とする動画データ受信用のプログラムを要求するが、該プログラムを予め参照希望端末Ａ３のハードディスク等に格納しておき、動画データを受領するときに該プログラムを起動して動画データを受領するようにしても良く、必ずしも動画再生プログラム要求ステップＳ５９で動画データ送信プログラムを要求しなくとも良い。
【０１２９】
管理サーバＡ２では、該プログラム送信要求を受領して動画再生プログラムを送信する。
参照希望端末Ａ３では、ネットワーク通信装置を介して参照希望送信装置Ａ３１が該プログラムを受領する。即ち、動画再生プログラム受領ステップＳ６０が実行されることとなる。
動画再生プログラム受領ステップＳ６０は、管理サーバＡ２から送信されてくる動画再生プログラムの受信を待受け該プログラムの受信が有ると該プログラムをＲＡＭ或はハードディスク等の記録装置に一時的に記録し、演算処理手段によって該プログラムを実行可能としておく。
動画再生プログラム受領ステップＳ６０に続いては、カテゴリ情報送信ステップＳ６１が実行される。
カテゴリ情報送信ステップＳ６１は、動画Ｗｅｂページ情報受領ステップＳ５８が受領して一時的に記録しておいた動画ＩＤ情報およびカテゴリ情報を管理サーバＡ２へ送信させるステップであり、ネットワーク通信装置によって該情報を送信する。
【０１３０】
カテゴリ情報送信ステップＳ６１に続いては動画Ｗｅｂページ表示ステップＳ６２が実行される。
動画Ｗｅｂページ表示ステップＳ６２は、ＷＷＷブラウザによって、動画Ｗｅｂページ情報受領ステップＳ５８で受領し一時的に記録してある動画Ｗｅｂページをディスプレイ等の表示装置に表示させるステップである。
動画Ｗｅｂページ表示ステップＳ６２が表示する動画Ｗｅｂページは、送信されてきたＷｅｂページの情報に基づいて演算処理装置がＷＷＷブラウザを実行し、参照希望端末Ａ３の備えるビデオカード等のグラフィック装置によってディスプレイ装置に表示させるステップである。
尚、この実施例では、動画再生プログラムは専用のプログラムを用意して動画再生させるように構成するが、Ｗｉｎｄｏｗｓ（登録商標）等において一般的に用いられているリアルプレーヤーやＷｉｎｄｏｗｓ  Ｍｅｄｉａ  Ｐｌａｙｅｒ（登録商標）等の汎用プログラムを用いてもよく、この場合には参照希望端末Ａ３が管理サーバＡ２へ該プログラムの送信要求をする必要がないので、動画再生プログラム要求ステップＳ５９および動画再生プログラム受領ステップＳ６０を設けずに動画Ｗｅｂページ情報受領ステップＳ５８に続けて動画Ｗｅｂページ表示ステップＳ６２を実行すれば足りる。
【０１３１】
尚、参照希望送信装置Ａ３１では、動画データ受信用プログラムを動画再生プログラム要求ステップＳ５９によって管理サーバＡ２に要求し受領するように構成したが、予め参照希望端末Ａ３に該プログラムをインストールしておき、動画データ受領再生時に該プログラムを受領可能にしてあれば、動画ｗｅｂページ情報受領ステップＳ５８乃至動画Ｗｅｂページ表示ステップＳ６２を設けなくとも実施可能である。
参照希望送信装置Ａ３１がカテゴリ情報送信ステップＳ６１によってカテゴリ情報を送信すると、管理サーバＡ２では、参照希望端末Ａ３がカテゴリ情報送信ステップＳ６１によって参照しようとしているＷｅｂページに関係付けて記録された動画データを、該動画データが有料会員によって記録されたものか否かを判断し、有料会員による動画データの場合には該データのまま、また、無料会員による動画データの場合には広告データと合成した合成動画データを、動画データとして参照希望端末Ａ３へ送信する。
参照希望端末Ａ３では、管理サーバＡ２から送信される動画データを動画再生手段Ａ３２が受領して表示する。動画再生手段Ａ３２は、各ステップが演算処理装置で実行され、実行される各ステップによって、ネットワーク通信装置や表示装置等を動作させて管理サーバＡ２から受領した動画再生プログラムによって受領した動画データを表示させる。
【０１３２】
即ち、動画再生手段Ａ３２では、まず再生画面表示ステップＳ６３を実行する。再生画面表示ステップＳ６３では、管理サーバＡ２から再生動画の送信準備が完了した旨を知らせる準備完了通知情報の受領を待ち受け、該情報を受領すると、図７に表すような、動画が再生される動画表示領域Ｐ１３を表示装置であるディスプレイ装置に表示させる。このディスプレイ装置への表示は、演算処理装置が先に受領した動画再生プログラムの中に予め組み込まれている画面情報に基づいてディスプレイ装置に表示させる。尚、所定時間、準備完了通知情報を受領しない場合には、エラー表示等を行うが、一般的に行われるエラー処理であるので詳細な説明は省略する。再生画面表示ステップＳ６３に続けては再生指示待ち受けステップＳ６４が実行される。
【０１３３】
再生指示待ち受けステップＳ６４は、再生画面表示ステップＳ６３によって表示されている画面のうち操作領域Ｐ１３ｂの再生ボタンＰ１３ｄが押下されるのを待ち受けるステップである。尚、操作領域Ｐ１３ｂに表示させる再生ボタンＰ１３ｄ、動画の再生を停止させる停止ボタンＰ１３ｅの各操作ボタンは、マウスによるクリックやキーボードによる選択・実行ボタンの押下により各操作を実行可能に構成され、タイムライン表示Ｐ１３ｆは、録画或は再生の経過時間と共に図中左から右方向へ自動的に移動して表示されると共に、動画再生中にはドラッグすることでカーソル位置を自由に移動可能であり移動箇所に相当する動画の再生が行われるように構成する。更に、再生画面表示ステップＳ６３以降では、動画データの再生が行われるため、録画ボタンＰ１３ｃは利用できない状態にすると共に表示色を変える等して利用できない表示としておく。これらの各操作を行うための手法は、一般的なアプリケーションの実装方法となんら変わりが無いので、この実施例では詳説しない。
【０１３４】
再生指示待ち受けステップＳ６４において再生ボタンＰ１３ｄの押下があると、続けて動画データ要求ステップＳ６５が実行される。
動画データ要求ステップＳ６５では、管理サーバＡ２に対して再生希望した動画データを送信するように指示するステップであり、演算処理装置がネットワーク通信装置等により管理サーバＡ２に対して動画データ送信開始情報を送信する。
管理サーバＡ２では、この動画データ送信開始情報を受領することで動画データを送信する。
動画データ要求ステップＳ６５に続けては動画再生ステップＳ６６が実行される。
動画再生ステップＳ６６では、管理サーバＡ２から送信されてくる動画データを待ち受け、該データを受領すると該データに基づいて動画データを再生する。このときの動画の再生は、管理サーバＡ２から送信されてくる動画データの形式に合わせたコーデック等を用い演算処理装置がグラフィックカード等のハードを用いディスプレイ装置で表示させる。動画再生ステップＳ６６で表示される動画データは、再生希望した動画データが有料会員によって記録された動画データである場合には、記録された動画データそのものが管理サーバＡ２から送信されてくるので、記録された動画が再生される。また、再生希望した動画データが無料会員の動画データであった場合には、管理サーバＡ２に記録された動画データに広告動画データを合成した合成動画データが送信されてくるので、合成された動画が再生されることとなる。尚、動画データの合成は、管理サーバＡ２が行っているので詳細は後に説明する。
【０１３５】
上記のように参照希望端末Ａ３が、参照希望送信装置Ａ３１によって参照希望する動画データを指定し動画再生手段Ａ３２が送信されてきた動画を再生するには、参照希望端末Ａ３によって希望された動画データを管理サーバＡ２が選択して参照希望端末Ａ３へ送信する。以下に、参照希望端末Ａ３への動画データの送信についての詳細を説明する。
管理サーバＡ２では、参照希望端末Ａ３の参照希望送信装置からＵＲＬ送信ステップＳ５７によって所望のＷｅｂページを参照希望する旨の参照希望情報の送信があると、該情報によって特定されるＷｅｂページの情報を参照希望端末Ａ３へ送信する。
管理サーバＡ２ではＷｅｂページ管理サーバＡ２２において演算処理装置がネットワーク通信装置等を制御し、常にＷｅｂページの参照希望があるか否かを待ち受けている。即ち、Ｗｅｂページ管理サーバＡ２２では参照希望情報を受領すべくＷｅｂページ送信ステップＳ６７によって該情報の受領を待ち受けている。Ｗｅｂページ送信ステップＳ６７は、ＵＲＬが指定されることで参照希望されたか否かを常に監視し、希望がある場合には、指定されたＵＲＬに該当するＷｅｂページを参照希望端末Ａ３へ参照させるステップであり、参照希望があるといわゆる一般的なＷｅｂサーバと同様に参照希望端末Ａ３がＷＷＷブラウザによって該Ｗｅｂページを表示できる情報を送信するステップである。Ｗｅｂページ送信ステップＳ６７で送信し、参照希望端末Ａ３で表示させる情報は、図７に表すような、動画再生可能な動画表示領域Ｐ１３を含むＷｅｂページである。該表示領域Ｐ１３は参照希望端末Ａ３上でディスプレイ装置によって表示され、該表示領域Ｐ１３上に更に表示されている再生ボタンＰ１３ｄ、停止ボタンＰ１３ｅは、参照希望端末Ａ３による操作によってそれぞれ再生、停止の指示が可能であり、該指示によって参照希望端末Ａ３では、動画の再生や停止が可能である。また、その他のタイムライン表示Ｐ１３ｆや時間表示Ｐ１３ｇ等も動画データ記録時に説明したとおりに参照希望端末Ａ３上で機能する。
【０１３６】
また、Ｗｅｂページ送信ステップＳ６７では、参照希望情報を受領すると、Ｗｅｂページを表示させる情報に加え、参照希望されたＷｅｂページと関連づけて記録されている動画ＩＤ情報およびカテゴリ情報を検索し動画ＩＤ情報を得る。詳細には、Ｗｅｂページ管理サーバＡ２２の演算処理装置が、Ｗｅｂページ送信ステップＳ６７によって取得したＷｅｂページのＵＲＬを元にＷｅｂページ記録装置Ａ２２ｂに記録しているＷｅｂページの情報を検索し、該情報と関係付けて記録している動画ＩＤ情報およびカテゴリ情報を取得する。そして、該取得した情報をネットワーク通信装置等を介して参照希望端末Ａ３へ送信する。このとき送信するカテゴリ情報は、参照希望端末Ａ３のディスプレイ装置上にコメント表示領域Ｐ１２等を設けて表示させてもい。
Ｗｅｂページ送信ステップＳ６７の送信した情報は参照希望端末Ａ３が受領する。参照希望端末Ａ３では、演算処理装置が動画Ｗｅｂページ情報受領ステップＳ５８によってＷＷＷブラウザを実行し、動画Ｗｅｂページの画面を表示する。そして動画Ｗｅｂページ情報受領ステップＳ５８に続けて実行される動画再生プログラム要求ステップＳ５９が動画データ受信用のプログラムを送信するよう管理サーバＡ２に要求するので、管理サーバＡ２では該プログラムを送信する。即ち動画管理サーバＡ２１では、演算処理装置が動画再生プログラム送信ステップＳ６８を常に実行して該プログラムの送信要求があるか否かを監視しており、送信要求があった場合には該プログラムを送信する。この動画再生プログラム送信ステップＳ６８は、演算処理装置で実行されており、演算処理装置が予めハードディスク等の記録装置に記録しておいた動画再生プログラムを、外部インターフェース等によりＬＡＮを介してＷｅｂページ管理サーバＡ２２の動画データ特定装置Ａ２２ｇへ送信するステップである。
【０１３７】
Ｗｅｂページ管理サーバＡ２２では、Ｗｅｂページ送信ステップＳ６７が実行され以後動画データ特定装置Ａ２２ｇにおいて動画再生プログラム送受信ステップＳ６９が実行されている。動画データ特定装置Ａ２２ｇは、参照希望端末Ａ３が参照希望しているＷｅｂページに関連づけて記録されている動画データを特定して動画管理サーバＡ２１から動画データを送信させる装置であり、演算処理装置Ａ２２ｃによって動画再生プログラム送受信ステップＳ６９乃至動画データ要求ステップＳ７３の各ステップを実行可能である。動画再生プログラム送受信ステップＳ６９はＷｅｂページ管理サーバＡ２２の演算処理装置によって実行され、ＬＡＮによって動画管理サーバＡ２１から送信されてくる動画再生プログラムを外部インターフェースを介して受領し、Ｗｅｂページの参照を希望した参照希望端末Ａ３へ受領した動画再生プログラムをネットワーク通信装置を介してインターネットＮＥＴ経由で送信するステップである。
動画データ特定装置Ａ２２ｇでは、動画再生プログラム送受信ステップＳ６９が動画再生プログラムを送信すると、次いで動画ＩＤ受領ステップＳ７０が実行される。
【０１３８】
動画ＩＤ受領ステップＳ７０は、参照希望端末Ａ３の参照希望送信装置Ａ３１から送信される動画ＩＤ情報およびカテゴリ情報を待ち受け受領するステップであり、受領した動画ＩＤ情報およびカテゴリ情報は一時的にＲＡＭ等の記憶装置に記憶しておく。そして動画ＩＤ受領ステップＳ７０に続けては動画種別判断ステップＳ７１が実行される。この実施例では動画ＩＤ受領ステップＳ７０は、動画ＩＤ情報およびカテゴリ情報を参照希望端末Ａ３から受領するように構成したが、Ｗｅｂページ送信ステップＳ６７によって取得しＲＡＭ等に一時的に記憶している動画ＩＤ情報およびカテゴリ情報を取得するように構成することも可能であり、続いて実行される動画種別判断ステップＳ７１において利用される動画ＩＤ情報を取得可能であればどのように構成されても良い。
尚、動画再生プログラムは動画管理サーバＡ２１に記録してあるため、動画再生プログラム送信ステップＳ６８は動画管理サーバＡ２１において実行されるが、該プログラムはＷｅｂページ管理サーバＡ２２に記録しておいても良く、この場合には動画再生プログラムの送信要求情報をＷｅｂページ管理サーバＡ２２が受領するように動画再生プログラム送信ステップＳ６８はＷｅｂページ管理サーバＡ２２の演算処理装置によって処理すればよい。
【０１３９】
動画種別判断ステップＳ７１では、動画ＩＤ受領ステップＳ７０で受領した参照希望されている動画ＩＤ情報（即ち、先に動画ＩＤ生成装置Ａ２１ｇによって生成された動画ＩＤ情報）が有料動画ＩＤ情報であるか無料動画ＩＤ情報であるかを判断するステップである。そして該判断が有料動画ＩＤ情報であった場合には、広告動画データの合成を行わないので、次いで動画データ要求ステップＳ７３が実行され、無料動画ＩＤ情報であった場合には広告データの合成を行うので、次いで広告動画データ要求ステップＳ７２が実行される。
動画種別判断ステップＳ７１において、動画ＩＤ情報が無料動画ＩＤ情報であると判断されることで実行される広告動画データ要求ステップＳ７２は、動画管理サーバＡ２１に対して広告管理装置Ａ２１ｅに記録してある広告動画データの送信を要求するステップである。広告動画データ要求ステップＳ７２は、広告動画データの要求と共に広告動画データを特定するカテゴリ情報を広告管理装置Ａ２１ｅに対してＬＡＮを経由して送信する（カテゴリ情報は広告動画データの要求情報に含まれており、単一の要求情報として送信しても良い。）。広告管理装置Ａ２１ｅでは、送信されてきたカテゴリ情報に対応して記録されている広告動画データをＷｅｂページ管理サーバＡ２２へ送信することとなる。尚、この実施例では、広告動画データをカテゴリ情報ごとに異なる動画データとしているのでカテゴリ情報を送信するが、広告動画データが１つの動画データとしてのみ扱っている場合、即ち、参照希望されたどの動画データに対しても同じ広告動画データを合成させる場合には、カテゴリ情報は意味を持たなくなるので、特に送信せずに広告動画データの要求のみを行っても良い。
【０１４０】
動画種別判断ステップＳ７１において、動画ＩＤ情報が有料動画ＩＤ情報であると判断されることで実行される動画データ要求ステップＳ７３は、動画管理サーバＡ２１に対して動画記録装置Ａ２１ｂに記録してある動画データの送信を要求するステップである。即ち、動画データ要求ステップＳ７３では、動画ＩＤ受領ステップＳ７０で取得した動画ＩＤ情報を送信すると共に該動画ＩＤ情報に関連づけて記録されている動画データの送信要求情報を送信するステップである。
このように動画データ特定装置Ａ２２ｇでは、動画種別判断ステップＳ７１の判断に基づき、参照希望された動画データの動画ＩＤ情報が無料動画ＩＤ情報であった場合には広告動画データ要求ステップＳ７２および動画データ要求ステップＳ７３の両ステップによって広告動画データおよび参照希望された動画データを要求し、有料動画ＩＤ情報であった場合には動画データ要求ステップＳ７３のみが実行されて参照希望された動画データのみを要求することができる。
【０１４１】
広告動画データ要求ステップＳ７２によって広告動画データの送信を要求された動画管理サーバＡ２１では、広告データ送信ステップＳ７４が実行され、広告管理装置Ａ２１ｅが該要求に対応する。即ち、広告管理装置Ａ２１ｅでは広告データ送信ステップＳ７４が演算処理装置Ａ２１ｃによって機能し、広告動画データを要求する情報およびカテゴリ情報（カテゴリ情報は要求情報に含まれていてもい。）を受領すると、広告記録装置Ａ２１ｄに記録されている広告動画データから、該カテゴリ情報に関連づけて記録されている広告動画データを検索して特定し、特定した広告動画データをＷｅｂページ管理サーバＡ２２へＬＡＮを経由させて送信する。この広告動画データ要求ステップＳ７２は参照希望された動画データに関連づけて記録された動画ＩＤ情報が無料動画ＩＤ情報の場合のみに実行される。
動画データ要求ステップＳ７３によって動画データの送信を要求された動画記録装置Ａ２１ｂでは、動画記録装置Ａ２１ｂが該要求に対応する。即ち、動画記録装置Ａ２１ｂは、演算処理装置Ａ２１ｃによって機能し、動画データを要求する情報および動画ＩＤ情報（動画ＩＤ情報は要求情報に含まれていてもい。）を受領すると、記録されている動画データから、該動画ＩＤ情報に関連づけて記録されている動画データを検索して特定し、Ｗｅｂページ管理サーバＡ２２へＬＡＮを経由させて送信する。
動画管理サーバＡ２１から送信される参照希望された動画データおよび広告動画データはＷｅｂページ管理サーバＡ２２の動画データ合成装置Ａ２２ｅによって受領される。即ち、Ｗｅｂページ管理サーバＡ２２では、動画データ要求ステップＳ７３に続けて動画データ合成ステップＳ７６が実行されており、要求した動画データおよび広告データの入力を待ち受けているので、ＬＡＮを経由して送信された各データは、Ｗｅｂページ管理サーバＡ２２によって受領される。
【０１４２】
動画データ合成装置Ａ２２ｅで実行されている動画データ合成ステップＳ７６は、演算処理装置Ａ２２ｃによって実行され、動画記録装置Ａ２１ｂから無料動画ＩＤ情報の場合には広告動画データおよび参照希望されている動画データを、有料動画ＩＤ情報の場合には参照希望されている動画データの情報を、それぞれ受領することで動画合成の準備が完了したことを準備完了通知情報として参照希望端末Ａ３へ送信させると共に、広告動画データを受領している場合には広告動画データを参照希望された動画データと合成して合成動画データを動画データ合成装置Ａ２２ｅによって生成させ、参照させる動画データを衛生させるステップである。動画データ合成ステップＳ７６に次いでは合成動画データ送信ステップＳ７７が実行される。
【０１４３】
動画データ送信ステップＳ７７は、準備完了通知情報を受領した動画再生手段Ａ３２から動画データ要求ステップＳ６５によって送信された動画データ送信開始情報を受領することで動画データ送信ステップＳ７７で生成した参照させる動画データを参照希望端末Ａ３へ動画データ合成装置Ａ２２ｅによってネットワーク通信装置を介して送信させるステップである。
このようにＷｅｂページ管理サーバＡ２２では、動画データ合成装置Ａ２２ｅによって有料動画データの場合にはその動画データを、無料動画データの場合には動画データと広告動画データとを合成して、参照させる動画データを生成してネットワーク通信装置を経由して参照希望端末Ａ３へ送信する。
そして参照希望端末Ａ３では、動画再生ステップＳ６６がこの合成動画データを受領してディスプレイ装置に表示する。
【０１４４】
動画データ合成装置Ａ２２ｅによって合成される動画データは、図９に表すようなデータからなる。即ち、図９（ａ）に表すデータは、参照希望端末が参照希望している動画データであり、クライアント端末Ａ１によって動画記録装置Ａ２１ｂに記録された動画データである。また、図９（ｂ）に表すデータは、全面広告動画データであり、図７に表す動画領域Ｐ１３ａ全面に亘って表示可能なデータであり、図９（ｃ）は、部分広告動画データであり、（ａ）に表す動画データと同時に動画領域Ｐ１３ａに表示可能なデータである。そして、動画データ合成装置Ａ２２ｅによって合成される合成動画データは、図１０（ａ）に表すように、参照希望された動画データの先頭に全面広告動画データを所定時間合成する。このとき合成される全面広告動画データは、例えばカテゴリ情報がコスメ情報であれば化粧品等のコスメに関する全面広告動画データを例えば３０秒程度合成する。そして、全面広告動画データに続けて図１０（ｂ）に表すように参照希望された動画データを合成するが、この場合にも、動画領域Ｐ１３ａの下部には部分広告動画データを合成して広告を行うようにする。更に、参照希望された動画データを合成し終わった後に続けて再び全面広告動画データを３０秒ほど合成して合成動画データを作成する。そして、このときに合成される全面広告動画データおよび部分広告動画データは、それぞれ参照希望された動画データに関連づけられて記録されているカテゴリ情報に一致する広告動画データが用いられる。尚、カテゴリ情報が複数ある場合には、合成動画データの前後に合成する全面広告動画データに複数のカテゴリ情報の全面広告動画データを合成し、また参照希望の動画データと合成させる部分広告動画データも複数のカテゴリ情報の広告動画データを所定時間ごとに代わる代わる合成する等、適宜合成方法を選択可能すればよく、どのような合成方法をとってもよい。また、この実施例では、参照希望の動画データに部分広告動画データを合成したが、部分広告動画データを合成しなくともよく、また、合成動画データの前後に合成した全面広告動画データも前にのみあるいは後ろにのみ合成したり、あるいは全く合成せずに部分広告動画データのみの合成からなってもよく適宜合成すれば足りる。更にまた、合成する広告動画データは、同じカテゴリ情報に対応させて記録された動画データでも、参照させる動画データによって全面広告動画データと部分広告動画データの両方を合成させるものや全面広告動画データのみを合成させるものというように、カテゴリ情報が同じコスメに関するものでも動画データごとに異ならせてもよい。この場合には、動画ＩＤ情報に関連づけて記録するカテゴリ情報を更に細かく分類し、合成させる広告データを細分化させればよい。
【０１４５】
このように動画データ合成装置Ａ２２ｅによって合成された合成動画データは、広告記録装置Ａ２１ｄおよび広告管理装置Ａ２１ｅによって記録管理する。即ち、管理サーバＡ２がインターネットＮＥＴを介して広告主から送信された広告動画データをネットワーク通信装置を介して広告管理装置Ａ２１ｅが受領する。広告動画データは全面広告動画データおよび部分広告動画データであり、同じく広告主から送信されたカテゴリ情報を受領し、該カテゴリ情報と広告動画データとを関連づけ広告記録装置Ａ２１ｄへ記録しておく。従って、広告記録装置Ａ２１ｄには広告動画データがカテゴリ情報と関連づけられると共に全面広告動画データであるか部分広告動画データであるかを識別可能に記録されている。このように広告記録装置Ａ２１ｄに広告動画データが記録されていることで、広告データ送信ステップＳ７４がカテゴリ情報に基づいて広告記録装置Ａ２１ｄから広告動画データを検索可能となっている。
上記実施例では、動画Ｗｅｂページに対応して記録される動画データは、クライアント端末Ａ１によって記録される例であったが、以下に図１１に基づいて動画撮像可能な携帯電話端末によって管理サーバＡ２へ動画データを記録する場合の例を説明する。
【０１４６】
図１１は、クライアント端末Ａ１が動画撮像可能な携帯電話端末からなる場合の説明図である。
クライアント端末Ａ１は、動画撮像可能な携帯電話端末であり、携帯電話通信網およびインターネットＮＥＴを経由して撮像した動画データの通信が可能である。
その他携帯電話端末からなるクライアント端末Ａ１は、ＰＣからなるクライアント端末同様、ＷｅｂカメラＡ１１に相当する撮像装置Ａ１１、映像送出装置Ａ１３、動画記録要求手段Ａ１４、動画登録手続手段Ａ１６、動画データ送信手段Ａ１８の各手段を有している。これら各手段はクライアント端末Ａ１がＰＣからなる場合と同様である。また携帯クライアント端末Ａ１は、入力装置はキーボードの変わりに番号キーが用いられる。この番号キーの用い方は、通常利用されているインターネット対応の携帯電話同様、所定のキー操作により、テンキーに割り当てられたアルファベットやカタカナの入力が可能であり、これらを用いて日本語変換等が行える、通常の携帯電話端末としての機能を有する。
【０１４７】
携帯電話によるクライアント端末Ａ１では、予め会員登録をすませておく。即ち、携帯電話端末では、データ送受信する際に、携帯電話端末の電話番号が通知されることとなるので、携帯電話端末による会員登録希望者は予め使用する携帯電話端末の電話番号を届け出ることで、管理サーバＡ２２の会員登録装置Ａ２２ｆでは、該電話番号と共に会員の情報が保管される。従って、携帯クライアント端末Ａ１が携帯電話通信網およびインターネットＮＥＴを経由して管理サーバＡ２と通信する（以下単に通信という。）場合には、管理サーバＡ２では自動的に携帯クライアント端末Ａ１の電話番号が通知される。
会員登録が完了している携帯クライアント端末Ａ１では、動画登録手続き手段Ａ１６によって動画登録手続きが行われる。即ち、図１１に表すように、携帯クライアント端末Ａ１では演算処理装置によってカテゴリ選択ステップＳ７８が実行される。
【０１４８】
カテゴリ選択ステップＳ７８は、カテゴリ情報を入力手段であるテンキーから入力するステップであり、利用者がたとえば『コスメ』のようにカテゴリ情報を入力し入力終了キーを押す。
カテゴリ選択ステップＳ７８で入力終了キーが押圧されると、次いでメール送信ステップＳ７９が実行される。メール送信ステップＳ７９では、予め定めるメールアドレスへカテゴリ情報をネットワーク通信装置によって送信させる。このとき送信される情報は、カテゴリ情報であるが、メール送信時には携帯クライアント端末Ａ１の携帯電話番号も通知される。このネットワーク送信装置は、携帯電話におけるメール送信手段であり、一般的に行われている方法であるので詳説しない。
【０１４９】
ステップＳ８０は会員登録案内表示ステップであり、カテゴリ選択ステップＳ７８で送信した情報を管理サーバＡ２が受領した結果、会員登録がされていない携帯クライアント端末Ａ１であった場合に会員ではない旨のエラー情報が送信され、該情報によって通知されるメール内容を表示するステップである。
携帯クライアント端末Ａ１が既に管理サーバＡ２に登録された会員である場合には、カテゴリ選択ステップＳ７８によって送信したデータは管理サーバＡ２によって受領され、テレビ電話通信を行うか否かのテレビ電話情報が管理サーバＡ２から送信されてくる。
携帯クライアント端末Ａ１では、動画データ送信手段Ａ１８が該情報を受領する。即ち、携帯クライアント端末Ａ１では、テレビ電話受話判断ステップＳ８１がテレビ電話情報を受領し、動画データの送受信を行うか否かを判断する。このテレビ電話受話判断ステップＳ８１による動画データ送受信を行うか否かの判断は、利用者が所定キーを入力することで行われ、テレビ電話受話判断ステップＳ８１では入力されたキーによって判断する。たとえば終了キーが押下された場合もしくは一定時間何のキーも押下されなかった場合にはＮＯと判断し、受話キーが押下された場合にはＹＥＳと判断する。そしてＮＯと入力された場合にはＮＯである旨を管理サーバＡ２へ送信する。ＹＥＳと入力された場合には、次いで録画開始通知ステップＳ８２が実行される。
【０１５０】
録画開始通知ステップＳ８２は、動画データの情報を送信する旨を通知する録画開始信号を管理サーバＡ２へ送信するステップである。録画開始通知ステップＳ８２による信号送信は、演算処理装置によってネットワーク通信装置を用いて行われ、携帯電話通信網およびインターネットＮＥＴを経由して送信される。
録画開始通知ステップＳ８２によって動画記録開始を通知すると、次いで映像信号バッファリングステップＳ８３が実行される。
映像信号バッファリングステップＳ８３は、撮像装置Ａ１１に動画像を撮像させると共に撮像した所定量の動画データを一時的に記録しておくステップであり、バッファリングステップＳ１７と同様である。映像信号バッファリングステップＳ８３では、予め携帯電話に備えられたバッファリング（即ち、携帯電話に予め備えられたテレビ電話技術によるバッファリング）が行われる。映像信号バッファリングステップＳ８３に続いては動画データ圧縮ステップＳ８４が実行される。
【０１５１】
動画データ圧縮ステップＳ８４は、映像信号バッファリングステップＳ８３によってバッファリングされた動画データを圧縮するステップであり、データ圧縮ステップＳ１８と同様である。動画データ圧縮ステップＳ８４では、動画データの圧縮は携帯電話に予め備えられた圧縮技術によって圧縮される。動画データ圧縮ステップＳ８４に続いては動画データ送信ステップＳ８５が実行される。
動画データ送信ステップＳ８５は、動画データ送信ステップＳ１９と同様であり、動画データ圧縮ステップＳ８４によって圧縮された動画データをネットワーク通信装置により携帯電話通信網およびインターネットＮＥＴを経由して管理サーバＡ２へ送信させるステップであり、携帯クライアント端末Ａ１に備えるネットワークインターフェースを経由して送信させる。
動画データ送信ステップＳ８５に続いては終了判断ステップＳ８６が実行される。
終了判断ステップＳ８６は終了判断ステップＳ２０同様であり、動画データの送信を終了する所定のテンキーボタンが押下されたか否かを判断するステップであり、図示しないテンキー上の所定キーの押下によって録画終了の指示がなされたか否かを判断し、終了指示されなかった場合には続けて録画時間終了判断ステップＳ８７が実行され、終了指示がなされた場合は、続けてテレビ電話終了ステップＳ８８が実行される。
【０１５２】
終了判断ステップＳ８６に続けて実行される録画時間終了判断ステップＳ８７は録画時間終了判断ステップ２１とは異なり、管理サーバＡ２から録画時間終了情報の受領があったか否かを判断するステップである。ＰＣからなるクライアント端末Ａ１の場合には、録画時間終了判断ステップＳ２１自身が予め動画データ記録システムで定められている動画データの上限時間を判断するステップであったのに対し、携帯電話端末では録画時間のカウントを行わないため、管理サーバＡ２が予め動画データ記録システムで定められている動画データの上限時間をカウントして該時間終了時点で携帯クライアント端末Ａ１へ録画時間終了情報を送信するので、該情報の受領の有無を判断するステップである。そして録画時間終了判断ステップＳ８７が録画時間終了情報を受領していなければ再び映像信号バッファリングステップＳ８３を実行させ、該情報を受領した場合には続けてテレビ電話終了ステップＳ８８を実行させる。
録画時間終了判断ステップＳ８７が録画時間終了情報を受領すると、テレビ電話終了ステップＳ８８が実行され、テレビ電話通話を終了する。
一方、管理サーバＡ２でも、携帯クライアント端末Ａ１から送信される動画データを記録する場合には、先のＰＣによるクライアント端末Ａ１とは異なる動作による。
【０１５３】
即ち、図１１に表すように、クライアント端末Ａ１の動画登録手続き手段Ａ１６が管理サーバＡ２へ動画データの記録を行うべくカテゴリ選択ステップＳ７８によって入力したカテゴリ情報をメール送信ステップＳ７９が送信すると、Ｗｅｂページ管理サーバＡ２２では登録会員判断ステップＳ８９が該メールの受信を常に待ち受けており、メールを受領すると、該メールの送信者を識別する携帯電話番号を取得し、該番号に基づいて会員登録装置Ａ２２ｆに検索させ、検索の結果会員としての登録が無かった場合には、携帯クライアント端末Ａ１に対して、会員登録案内表示ステップＳ８０がエラー情報であるメール内容を表示可能とさせる。一方検索の結果登録会員であった場合には、該会員の会員特定情報およびカテゴリ情報をＲＡＭ等の記録手段に一時的に記憶しておく。そして続けて動画ＩＤ要求ステップＳ９０が実行される。
【０１５４】
動画ＩＤ要求ステップＳ９０は、携帯クライアント端末Ａ１から管理サーバＡ２へ動画データ送信を行うに当り、送信した動画データを関連づけて記録するための動画ＩＤ情報を生成させるために、登録会員判断ステップＳ８９でＲＡＭ等に記憶しておいた会員特定情報を動画管理サーバＡ２１へ送信するステップである。
Ｗｅｂページ管理サーバＡ２２では、動画ＩＤ要求ステップＳ９０が動画管理サーバＡ２１に対して動画ＩＤ情報を生成するよう要求したのに対して、動画管理サーバＡ２１では動画ＩＤ情報を生成するので、Ｗｅｂページ管理サーバＡ２２ではＲＡＭ等の記録手段に一時的に記録してある会員特定情報およびカテゴリ情報を、生成された動画ＩＤ情報と関連づけて会員登録装置Ａ２２ｆへ登録させると共に、該動画ＩＤ情報と関連づけたＷｅｂページを自動生成する。即ち、Ｗｅｂページ自動生成装置Ａ２２ａにＷｅｂページを生成させるためのカテゴリ情報受領保管ステップＳ９１が動画ＩＤ要求ステップＳ９０に続けて実行される。
【０１５５】
カテゴリ情報受領保管ステップＳ９１は、動画管理サーバＡ２１が自動生成して送信してくる動画ＩＤ情報の受領を待ち受け、ＲＡＭ等の記録手段に一時的に記録してある会員特定情報およびカテゴリ情報を受領した動画ＩＤ情報に対応付けた状態でＷｅｂページ記録装置Ａ２２ｂへ記録するステップである。従って、送信されてきた情報は動画ＩＤ情報に対応付けられているので、動画記録装置Ａ２１ｂに動画ＩＤ情報と対応付けられ記録されている動画データとも常に動画ＩＤ情報に基づいて対応付けられている。
カテゴリ情報受領保管ステップＳ９１に続けてＷｅｂページ生成ステップＳ９２が実行される。Ｗｅｂページ生成ステップＳ９２は、カテゴリ情報受領保管ステップＳ９１で記録した動画ＩＤ情報に対応付けて動画Ｗｅｂページを生成するステップである。Ｗｅｂページ生成ステップＳ９２による動画ＩＤ情報に関連付けた動画Ｗｅｂページの生成は、Ｗｅｂページ管理サーバＡ２２自身が閲覧させることが出来る動画Ｗｅｂページを順次生成し、該Ｗｅｂページを動画ＩＤ情報と関連付ける。これにより、閲覧希望端末がＷｅｂページ管理サーバＡ２２へ動画ＩＤ情報と関連付けられた動画Ｗｅｂページの閲覧希望をすると、該端末との間で通信を行い閲覧希望された動画Ｗｅｂページの閲覧を可能としている。そして、閲覧される動画Ｗｅｂページには、動画ＩＤ情報と関連付けられた動画データを再生可能とさせるため、ＣＧＩ等の手法により該端末に表示された該Ｗｅｂページの所定箇所をマウスでクリック等することで該動画データを通信によって送信して動画再生できるように対応付けられている。Ｗｅｂページ自動生成ステップＳ９２に続けては動画Ｗｅｂページ記録ステップＳ９３が実行される。
【０１５６】
動画Ｗｅｂページ記録ステップＳ９３は、動画Ｗｅｂページ記録ステップＳ５６同様であり、Ｗｅｂページ生成装置Ａ２２ａで生成された動画ＷｅｂページをＷｅｂページ生成装置Ａ２２ａでクライアント端末Ａ１から受領した動画ＩＤ情報と関連付けて記録するステップである。
上述のように、Ｗｅｂページ管理サーバＡ２２では、動画ＩＤ生成装置Ａ２１ｇで生成した動画ＩＤ情報がＷｅｂページ生成装置Ａ２２ａで生成した動画Ｗｅｂページと関連付けられて動画Ｗｅｂページ記録装置Ａ２２ｂへ記録されており、これによりカテゴリ情報および会員特定情報もＷｅｂページ生成装置Ａ２２ａが生成した動画Ｗｅｂページと対応付けて記録されることとなる。
一方、動画ＩＤ要求ステップＳ９０によって動画ＩＤ情報を自動生成するように指示された動画管理サーバＡ２１では、該要求情報を動画ＩＤ生成装置Ａ２１ｇが受領する。
即ち、動画ＩＤ生成装置Ａ２１ｇでは、動画ＩＤ発行ステップＳ９４が動画ＩＤ要求ステップＳ９０からの要求情報の受領を待ち受け、動画ＩＤ発行の要求があった場合には動画ＩＤ情報を自動的に発行する。このとき発行した動画ＩＤ情報は、一時的にＲＡＭ等の記憶装置に記憶しておく。この実施例である携帯クライアント端末Ａ１では、有料会員あるいは無料会員の区別なく動画ＩＤ情報を生成するが、登録会員判断ステップＳ８９が登録会員であるか否かの判断に加え、有料会員であるか無料会員であるかの会員種別の情報も会員登録装置Ａ２２ｆに登録されている情報から読みとりＲＡＭ等の記録手段に一時的に記憶させておき、動画ＩＤ要求ステップＳ９０の前に会員種別判断ステップを設けて会員種別が無料会員であるか有料会員であるかを判断させ、動画ＩＤ要求ステップＳ９０では有料会員動画ＩＤ発行ステップＳ４１および無料会員動画ＩＤ発行ステップＳ４２を実行させて、それぞれの会員種別ごとに動画ＩＤ情報を発行するようにしてもよい。
【０１５７】
動画ＩＤ発行ステップＳ９４に続けては動画ＩＤ送信ステップＳ９５が実行される。
動画ＩＤ送信ステップＳ９５は、動画ＩＤ送信ステップＳ４３同様である。ただし、動画ＩＤ送信ステップＳ４３では管理サーバＡ２が備えるネットワーク通信装置によってクライアント端末Ａ１へ送信したのに対し、動画ＩＤ送信ステップＳ９５ではＬＡＮを経由してＷｅｂページ管理サーバＡ２２へ送信する。また、動画ＩＤ送信ステップＳ４３では動画ＩＤ情報に加え、動画ＩＤ要求ステップＳ１１が送信要求した動画データ送信用プログラムも送信したが、動画ＩＤ送信ステップＳ９５では自動生成した動画ＩＤ情報のみを動画ＩＤ送信装置Ａ２１ｈに送信させる。そして、動画ＩＤ送信ステップＳ９５に続いてテレビ電話発信ステップＳ９６が実行される。
テレビ電話発信ステップＳ９６は、携帯クライアント端末Ａ１からテレビ電話機能を利用して動画データを受領するために携帯クライアント端末Ａ１との間でテレビ電話機能を確立するためにテレビ電話情報を送信するステップである。
携帯クライアント端末Ａ１がこのテレビ電話通信を拒否した場合には、動画記録中止ステップＳ９７が拒否した旨の情報を携帯クライアント端末Ａ１から受領し、動画記録の作業を中止する。
携帯クライアント端末Ａ１が動画データの記録を開始する旨の通知を録画開始通知ステップＳ８２が送信すると、動画管理サーバＡ２１では解凍設定ステップＳ９８が受領する。
【０１５８】
解凍設定ステップＳ９８は、プログラムモード設定ステップＳ４５同様、送信されてくる動画データが携帯電話のテレビ伝通信機能を利用した情報であるため、圧縮されて送信されてくる動画データを適切に解凍するように動画処理プログラムのモードを自動的に切り替えるステップである。ＰＣによるクライアント端末Ａ１の場合とは異なりこの実施例では、テレビ電話通信の圧縮動画データを適切に解凍できるモードに設定する。この設定により、動画待ち受け解凍ステップＳ１００およびエンコードステップＳ１０１が適切な解凍およびエンコードを行えるように設定される。
解凍設定ステップＳ９８に続いては動画記録開始ステップＳ９９が実行される。携帯クライアント端末Ａ１からの動画データの受領を開始させるステップであり、携帯クライアント端末Ａ１対応解凍モードに切り替わった動画処理プログラムを実行するステップであり、動画データを解凍してエンコードすることが可能となる。解凍設定ステップＳ９８に続いては動画待ち受け解凍ステップＳ１００が実行される。
動画待ち受け解凍ステップＳ１００は、動画待受け解凍ステップＳ４７同様、携帯クライアント端末Ａ１の動画データ送信ステップＳ８５から送信されてくる動画データを待受け、携帯クライアント端末Ａ１から動画データが送信されると圧縮されている該データを解凍する。具体的には、ネットワーク通信装置を経由して受領した動画データを一時的にＲＡＭ（或はハードディスク等の記憶装置）に記憶しておく。次いで記憶した動画データを解凍プログラムによって解凍し再びＲＡＭに一時的に記憶しておく。これらの処理は一般的にパソコン等で行われている動画データの解凍と同様の手順で行われれば良く、特に制限されるものではない。そして動画待受け解凍ステップＳ１００に続いてエンコードステップＳ１０１が実行される。
【０１５９】
エンコードステップＳ１０１は、解凍され一時的に記憶されている動画データをエンコード装置Ａ２１ａが備えるエンコーダによってエンコードする。そして、エンコードした動画データはハードディスク等の記録手段に記憶しておく。次いで録画時間終了判断ステップＳ１０２が実行される。
録画時間終了判断ステップＳ１０２は、予め動画データ記録システムで定められている動画データの上限時間を判断するステップであり、エンコード装置Ａ２１ａで既に記録した動画データのトータル時間を積算する積算手段によって送信済動画データの総時間が所定の上限時間を超えたか否かを判断し、未だ上限時間に到達していない場合には続けて動画データ終了判断ステップＳ１０３が実行され、上限時間に到達した或は上限時間を超えたしまっている場合には続けて動画録画終了ステップＳ１０４を実行させる。尚、録画時間終了判断ステップＳ１０２は、管理サーバＡ２に何時間にも亙るような大きな動画データが送信されて来ることを防止するための判断ステップであり、必ずしも設けることはない。また、録画時間終了判断ステップＳ１０２では、上限時間に到達した或は上限時間を超えてしまっている場合には携帯クライアント端末Ａ１に対して終了指示を行う終了指示情報を送信する。この送信指示は外部インターフェース等の装置を介してＬＡＮを経由して行われる。
【０１６０】
動画データ終了判断ステップＳ１０３は、携帯クライアント端末Ａ１の動画データ送信手段Ａ１８で実行される終了判断ステップＳ８６から動画送信終了信号（終話通知）の受領があったか否かを判断するステップであり、動画送信終了信号の受領があった場合には続けて動画録画終了ステップＳ１０４が実行され、受領がなかった場合には再び動画待受け動画解凍ステップＳ１００が実行される。
従ってエンコード装置Ａ２１ａでは、動画待受け解凍ステップＳ１００において、送信されてきた圧縮されている動画データを解凍し、次いでエンコードステップＳ１０１で解凍した動画データをエンコードする作業が順次送信されて来る動画データに対して行われ、動画データの送信が終了したことを知らせる動画送信終了信号を受領するまで順次作業を行うことで一連の動画データが解凍・エンコードされることとなる。
録画時間終了判断ステップＳ１０２あるいは動画データ終了判断ステップＳ１０３に続けて実行される動画録画終了ステップＳ１０４は、解凍・エンコードされた動画データの記録を終了し、一連の記録された動画データを１つの動画データとして記録するステップであり、動画記録装置Ａ２１ｂに記録する。動画録画終了ステップＳ１０４に続いては動画保管ステップＳ１０５が実行される。
動画保管ステップＳ１０５は、動画ＩＤ発行ステップＳ９４にて自動生成しＲＡＭ等の記録手段に一時的に記憶させておいた動画ＩＤ情報を、動画録画終了ステップＳ１０４で保存した動画データに対応させて動画記録装置Ａ２１ｂへ記録させるテップである。
【０１６１】
従って、圧縮・エンコードされた動画データは、動画録画終了ステップＳ１０４および動画保管ステップＳ１０５によって、動画データを特定するための動画ＩＤ情報と関連付けて動画記録装置Ａ２１ｂに記録されることとなる。
【産業上の利用可能性】
【０１６２】
この発明は、インターネットを利用して動画データをリアルタイムに記録できる技術、および、該記録した動画データをＷｅｂページと関連付けて記録しておき関連付けられたＷｅｂページ参照する参照希望端末に、動画データの記録が終了して直ぐに配信することが出来る技術に関するので、個人あるいは企業等が運営するＷｅｂサイトのＷｅｂページに、例えば売り込みたい商品の動画データや社員の紹介の動画データを記録させて参照させる等クライアント端末によるホームページの製作に利用可能である。
更に、この発明では、前記記録させた動画を参照希望端末に参照させる際、該動画データと広告データとを合成して新たな動画データとして参照させることができ、しかも合成させる広告データはカテゴリ情報毎に異なる広告データを合成可能なので、有料あるいは無料でＷｅｂサーバを貸出すＷｅｂサーバ事業者などがＷｅｂサーバを構築する際に利用可能である。
【図面の簡単な説明】
【０１６３】
【図１】この発明の実施例のシステム構成を表す説明図
【図２】（ａ）は同動画撮像環境の構成を表す説明図                （ｂ）図１の機能概要を表すブロック図
【図３】会員登録を説明するフローチャート
【図４】動画データの記録を説明するフローチャート
【図５】動画データの記録を説明するフローチャート
【図６】各端末に表示されるディスプレイ画面の表示例を表す説明図
【図７】図６の一部拡大説明図
【図８】動画データの再生を説明するフローチャート
【図９】各動画データの説明図であり                （ａ）は記録される動画データ                （ｂ）は全面広告として合成させる広告動画データ                （ｃ）は部分広告として合成させる広告動画データ
【図１０】合成動画データの再生状況説明図であり                （ａ）は初期時に於ける再生状況の説明図                （ｂ）は中間時に於ける再生状況の説明図                （ｃ）は終了時に於ける再生状況の説明図
【図１１】動画データの再生を説明するフローチャート
【図１２】従来例を表す説明図
【符号の説明】
【０１６４】
ＮＥＴ  インターネット
Ａ    動画データ記録システム
Ａ１    クライアント端末
Ａ１１  Ｗｅｂカメラ（撮像装置）
Ａ１２  再生装置
Ａ１３  映像送出装置
Ａ１４  動画記録要求手段
Ａ１５  動画ＩＤ受領手段
Ａ１６  動画登録手続手段
Ａ１７  会員手続手段
Ａ１８  動画データ送信手段
Ａ１９  登録確認手段
Ａ２    管理サーバ
Ａ２１  動画管理サーバ
Ａ２１ａ  エンコード装置
Ａ２１ｂ  動画記録装置
Ａ２１ｃ  演算処理装置
Ａ２１ｄ  広記録装置
Ａ２１ｅ  広告管理装置
Ａ２１ｆ  記録要求受領装置
Ａ２１ｇ  動画ＩＤ生成装置
Ａ２１ｈ  動画ＩＤ送信装置
Ａ２２  Ｗｅｂページ管理サーバ
Ａ２２ａ  Ｗｅｂページ生成装置
Ａ２２ｂ  Ｗｅｂページ記録装置
Ａ２２ｃ  演算処理装置
Ａ２２ｄ  Ｗｅｂページ表示装置
Ａ２２ｅ  動画データ合成装置
Ａ２２ｆ  会員登録装置
Ａ２２ｇ  動画データ特定装置
Ａ３    参照希望端末
Ａ３１  参照希望送信装置
Ａ３２  動画再生手段
Ｐ１    動画登録Ｗｅｂページ
Ｐ１１  タイトル領域
Ｐ１２  コメント表示領域
Ｐ１３  動画表示領域
Ｐ１３ａ  動画領域
Ｐ１３ｂ  操作領域
Ｐ１３ｃ  録画ボタン
Ｐ１３ｄ  再生ボタン
Ｐ１３ｅ  停止ボタン
Ｐ１３ｆ  タイムライン表示
Ｐ１３ｇ  時間表示
Ｓ１    会員登録ページ要求ステップ
Ｓ２    登録情報入力ステップ
Ｓ３    登録情報送信ステップ
Ｓ４    会員特定情報受領ステップ
Ｓ５    録画ページアクセスステップ
Ｓ６    認証ページ受領表示ステップ
Ｓ７    会員特定情報送信ステップ
Ｓ８    認証確認受領ステップ
Ｓ９    動画登録ページ要求ステップ
Ｓ１０  動画登録ページ受領表示ステップ
Ｓ１１  動画ＩＤ要求ステップ
Ｓ１２  動画ＩＤ受領ステップ
Ｓ１３  映像信号要求ステップ
Ｓ１４  カメラ映像表示ステップ
Ｓ１５  録画ボタン押下待受けステップ
Ｓ１６  録画開始信号通知ステップ
Ｓ１７  バッファリングステップ
Ｓ１８  データ圧縮ステップ
Ｓ１９  動画データ送信ステップ
Ｓ２０  終了判断ステップ
Ｓ２１  録画時間終了判断ステップ
Ｓ２２  動画終了指示ステップ
Ｓ２３  登録内容編集カテゴリ選択ステップ
Ｓ２４  登録内容送信ステップ
Ｓ２５  動画Ｗｅｂページ受領ステップ
Ｓ２６  動画Ｗｅｂページ表示ステップ
Ｓ２７  登録認証ステップ
Ｓ２８  認証判断ステップ
Ｓ２９  認証データ送信ステップ
Ｓ３０  会員登録ページ送出ステップ
Ｓ３１  会員判断ステップ
Ｓ３２  有料会員ＩＤ発行ステップ
Ｓ３３  無料会員ＩＤ発行ステップ
Ｓ３４  会員情報保管ステップ
Ｓ３５  会員ＩＤ送信ステップ
Ｓ３６  録画ページ送信ステップ
Ｓ３７  登録会員判断ステップ
Ｓ３８  会員ページデータ送信ステップ
Ｓ３９  登録ページ送信ステップ
Ｓ４０  会員種別判断ステップ
Ｓ４１  有料会員動画ＩＤ発行ステップ
Ｓ４２  無料会員動画ＩＤ発行ステップ
Ｓ４３  動画ＩＤ送信ステップ
Ｓ４４  録画開始信号受領ステップ
Ｓ４５  プログラムモード設定ステップ
Ｓ４６  動画録画開始ステップ
Ｓ４７  動画待受け解凍ステップ
Ｓ４８  エンコードステップ
Ｓ４９  動画データ終了判断ステップ
Ｓ５０  動画録画終了ステップ
Ｓ５１  動画保管ステップ
Ｓ５２  カテゴリ受領ステップ
Ｓ５３  カテゴリ情報受領保管ステップ
Ｓ５４  Ｗｅｂページ生成ステップ
Ｓ５５  Ｗｅｂページ送信ステップ
Ｓ５６  動画Ｗｅｂページ記録ステップ
Ｓ５７  ＵＲＬ送信ステップ
Ｓ５８  動画Ｗｅｂページ情報受領ステップ
Ｓ５９  動画再生プログラム要求ステップ
Ｓ６０  動画再生プログラム受領ステップ
Ｓ６１  カテゴリ情報送信ステップ
Ｓ６２  動画Ｗｅｂページ表示ステップ
Ｓ６３  再生画面表示ステップ
Ｓ６４  再生指示待ち受けステップ
Ｓ６５  動画データ要求ステップ
Ｓ６６  動作再生ステップ
Ｓ６７  Ｗｅｂページ送信ステップ
Ｓ６８  動画再生プログラム送信ステップ
Ｓ６９  動画再生プログラム？受信ステップ
Ｓ７０  動画ＩＤ受領ステップ
Ｓ７１  動画種別判断ステップ
Ｓ７２  広告動画データ要求ステップ
Ｓ７３  動画データ要求ステップ
Ｓ７４  広告データ送信ステップ
Ｓ７５  動画データ送信ステップ
Ｓ７６  動画データ合成ステップ
Ｓ７７  合成動画データ送信ステップ
Ｓ７８  カテゴリ選択ステップ
Ｓ７９  メール送信ステップ
Ｓ８０  会員登録案内表示ステップ
Ｓ８１  テレビ電話受話判断ステップ
Ｓ８２  録画開始通知ステップ
Ｓ８３  映像信号バッファリングステップ
Ｓ８４  動画データ圧縮ステップ
Ｓ８５  動画データ送信ステップ
Ｓ８６  終了判断ステップ
Ｓ８７  録画時間終了判断ステップ
Ｓ８８  テレビ電話終了ステップ
Ｓ８９  登録会員判断ステップ
Ｓ９０  動画ＩＤ要求ステップ
Ｓ９１  カテゴリ情報受領保管ステップ
Ｓ９２  Ｗｅｂページ自動生成ステップ
Ｓ９３  動画Ｗｅｂページ記録ステップ
Ｓ９４  動画ＩＤ発行ステップ
Ｓ９５  動画ＩＤ送信ステップ
Ｓ９６  テレビ電話発信ステップ
Ｓ９７  動画記録中止ステップ
Ｓ９８  解凍設定ステップ
Ｓ９９  動画記録開始ステップ
Ｓ１００  動画待ち受け解凍ステップ
Ｓ１０１  エンコードステップ
Ｓ１０２  録画時間終了判断ステップ
Ｓ１０３  動画データ終了判断ステップ
Ｓ１０４  動画録画終了ステップ
Ｓ１０５  動画保管ステップ
【図１】
2006237682.tif 000003
【図２】
2006237682.tif 000004
【図３】
2006237682.tif 000005
【図４】
2006237682.tif 000006
【図５】
2006237682.tif 000007
【図６】
2006237682.tif 000008
【図７】
2006237682.tif 000009
【図８】
2006237682.tif 000010
【図９】
2006237682.tif 000011
【図１０】
2006237682.tif 000012
【図１１】
2006237682.tif 000013
【図１２】
2006237682.tif 000014